(57)【要約】  ヘッド組立体であって、少なくとも１つの支持部材磁石を有する支持部材と、ブレードカートリッジであって、少なくとも１つの剃刀ブレードを備えた少なくとも１つの面を有し、かつ支持部材に旋回軸を中心として回転可能に結合されるように構成されたブレードカートリッジと、を含むヘッド組立体を含むシェービングデバイス。ブレードカートリッジは、ブレードカートリッジを、旋回軸を中心として初期始動位置（ＩＳＰ）に向かって付勢する磁力を生じさせるために、支持部材磁石の極と整列された極を有する少なくとも１つのブレードカートリッジ磁石を含み、ブレードカートリッジは、支持部材磁石とブレードカートリッジ磁石との間の磁力を克服するのに十分な外力をかけると、旋回軸を中心としてＩＳＰから離れて回転するようにさらに構成される。【選択図】図９３
2018526076.tif 000002
【特許請求の範囲】
【請求項１】
ヘッド組立体であって、
少なくとも１つのアームを含む支持部材と、
少なくとも１つの剃刀ブレードを含む少なくとも第１面を有するブレードカートリッジであって、前記支持部材に旋回軸を中心として回転可能に結合されるように構成されたブレードカートリッジと、
前記ブレードカートリッジを初期始動位置に向かって付勢するために、少なくとも１つの磁気付勢力を生じさせるように構成された抵抗旋回機構と、を含むヘッド組立体を備えるシェービングデバイス。
【請求項２】
前記抵抗旋回機構が、前記ブレードカートリッジが前記初期始動位置から時計回り及び反時計回りの両方に回転することを可能にするように構成される、請求項１に記載のシェービングデバイス。
【請求項３】
前記抵抗旋回機構が、前記ブレードカートリッジを前記初期始動位置に向かって付勢するために、少なくとも１つの反発磁気付勢力を生じさせるように構成される、請求項１に記載のシェービングデバイス。
【請求項４】
前記抵抗旋回機構が、前記ブレードカートリッジを前記初期始動位置に向かって付勢するために、少なくとも１つの吸引磁気付勢力を生じさせるように構成される、請求項１に記載のシェービングデバイス。
【請求項５】
前記抵抗旋回機構が、前記ブレードカートリッジを前記初期始動位置に向かって付勢するために、少なくとも１つの反発磁気付勢力及び少なくとも１つの吸引磁気付勢力を生じさせるように構成される、請求項１に記載のシェービングデバイス。
【請求項６】
ハンドルであって、それから外向きに延在するハンドル突出部を含むハンドルをさらに備え、前記ハンドル突出部が、ブレードカートリッジに結合された少なくとも１つのブレードカートリッジ磁石と前記磁気付勢力を生じさせるように構成された中央磁石とを含む、請求項１に記載のシェービングデバイス。
【請求項７】
前記支持部材が、前記ハンドル突出部の少なくとも一部を受けるように構成された空洞を含む、請求項６に記載のシェービングデバイス。
【請求項８】
前記支持部材が環状磁石を含み、前記中央磁石が、前記環状磁石の中央領域に少なくとも部分的に受けられるように構成される、請求項７に記載のシェービングデバイス。
【請求項９】
前記環状磁石の極及び前記中央磁石の極が、前記ヘッド組立体を前記ハンドルに取り外し可能に結合するように構成された磁力をもたらすために整列される、請求項８に記載のシェービングデバイス。
【請求項１０】
前記環状磁石の極及び前記中央磁石の極が、前記ヘッド組立体を前記ハンドルに取り外し可能に結合するように構成された反発磁力をもたらすために整列される、請求項８に記載のシェービングデバイス。
【請求項１１】
前記支持部材が、前記支持部材から外向きに前記ブレードカートリッジに略向かって延在するタレットを含み、前記タレットが前記中央磁石を少なくとも部分的に受けるように構成される、請求項７に記載のシェービングデバイス。
【請求項１２】
前記支持部材に対する前記ブレードカートリッジの前記初期始動位置を設定するように構成された少なくとも１つの初期始動位置（ＩＳＰ）特徴部をさらに含む、請求項６に記載のシェービングデバイス。
【請求項１３】
前記支持部材及び／又は前記ブレードカートリッジの少なくとも１つが少なくとも１つのＩＳＰ特徴部を含む、請求項１２に記載のシェービングデバイス。
【請求項１４】
前記ＩＳＰ特徴部が、突出部、肩部、隆起部及び／又は延在部の少なくとも１つを含む、請求項１３に記載のシェービングデバイス。
【請求項１５】
１つ又は複数の磁石が前記ブレードカートリッジ及び／又は前記支持部材の１つ又は複数に配置されるように構成され、前記１つ又は複数の磁石が前記磁気付勢力を生じさせるように構成される、請求項１に記載のシェービングデバイス。
【請求項１６】
前記支持部材の少なくとも１つのアームが少なくとも１つの磁石を含み、及び／又は前記ブレードカートリッジの側方端部が、前記磁気付勢力を生じさせるように構成された少なくとも１つの磁石を含む、請求項１５に記載のシェービングデバイス。
【請求項１７】
前記少なくとも１つの磁石が、前記支持部材の略中央領域に配置されるように構成される、請求項１５に記載のシェービングデバイス。
【請求項１８】
少なくとも１つの回転リミッタであって、前記ブレードカートリッジの回転を前記旋回軸に対する所定の回転ポイントへ略制限するように構成された少なくとも１つの回転リミッタをさらに含む、請求項１に記載のシェービングデバイス。
【請求項１９】
前記ブレードカートリッジが、前記磁気付勢力を生じさせるように構成された少なくとも１つの磁石を含み、前記少なくとも１つの磁石が前記支持部材の中央領域に配置される、請求項１に記載のシェービングデバイス。
【請求項２０】
前記ヘッド組立体に取り外し可能に結合されるように構成されたハンドルをさらに含む、請求項１に記載のシェービングデバイス。
【請求項２１】
前記ハンドル及び前記ヘッド組立体を取り外し可能に結合するように構成された磁気接続部をさらに含む、請求項２０に記載のシェービングデバイス。
【請求項２２】
前記ハンドル及び前記ヘッド組立体が、極であって、それらの間に反発磁力をもたらすために整列された極を有する少なくとも１つの磁石をそれぞれ含む、請求項２１に記載のシェービングデバイス。
【請求項２３】
前記支持部材が、第１及び第２のアームとそれらの間に配置されたベース領域とを有するヨークを含み、前記ブレードカートリッジが、前記ヨークの前記ベースに結合された少なくとも１つの磁石に磁気的に係合するように構成された少なくとも１つの磁石を含む、請求項１に記載のシェービングデバイス。
【請求項２４】
前記ブレードカートリッジが第２の面をさらに含み、前記抵抗旋回機構が、それぞれ前記ブレードカートリッジの前記第１面及び前記第２面に対応する第１面位置又は第２面位置の１つを選択するために、前記ブレードカートリッジが前記旋回軸を中心として回転することを可能にするようにさらに構成される、請求項１に記載のシェービングデバイス。
【請求項２５】
前記抵抗旋回機構が、前記ブレードカートリッジが、前記旋回軸を中心として、前記選択された面位置に対応する初期始動位置から時計回り及び反時計回りの両方に回転することを可能にするようにさらに構成される、請求項２４に記載のシェービングデバイス。
【請求項２６】
ヘッド組立体であって、
少なくとも１つのアームを含む支持部材と、
少なくとも１つの剃刀ブレードを含む少なくとも第１面を有するブレードカートリッジであって、前記支持部材に旋回軸を中心として回転可能に結合されるように構成されたブレードカートリッジと、
前記ブレードカートリッジを初期始動位置に向かって付勢するために、磁気付勢力を生じさせるように構成された第１磁石と、を含むヘッド組立体を備えるシェービングデバイス。
【請求項２７】
前記ブレードカートリッジが、前記初期始動位置からの所定の回転範囲内で時計回り及び反時計回りの両方に回転するように構成される、請求項２６に記載のシェービングデバイス。
【請求項２８】
第２磁石をさらに備え、前記第１磁石及び前記第２磁石が、前記ブレードカートリッジを前記初期始動位置に向かって付勢するために、反発磁石付勢力を生じさせるように構成される、請求項２６に記載のシェービングデバイス。
【請求項２９】
前記抵抗旋回機構が、前記ブレードカートリッジを初期始動位置に向かって付勢するために、少なくとも１つの吸引磁気付勢力を生じさせるように構成される、請求項２６に記載のシェービングデバイス。
【請求項３０】
ヘッド組立体であって、
少なくとも１つの剃刀ブレードを有するブレードカートリッジであって、少なくとも１つのブレードカートリッジ磁石をさらに含むブレードカートリッジと、
環状磁石を含む支持部材と、
ハンドルであって、それから外向きに延在するハンドル突出部を含み、前記ハンドル突出部が、前記環状磁石の中央領域に少なくとも部分的に受けられるように構成された中央磁石を含む、ハンドルと、を含むヘッド組立体を備え、
前記環状磁石及び前記中央磁石が、前記ヘッド組立体を前記ハンドルに取り外し可能に結合するように構成された反発磁力をもたらすために整列され、
前記少なくとも１つのブレードカートリッジ磁石が、前記ブレードカートリッジを初期始動位置に向かって付勢する前記中央磁石と磁気付勢力を生じさせるように構成される、シェービングデバイス。
【発明の詳細な説明】
【技術分野】
【０００１】
関連出願の相互参照
[0001]  本出願は、２０１４年１０月７日に出願された米国仮特許出願第６２／０６０，７００号の利益を主張する、それ自体が２０１５年２月２０日に出願された米国特許出願公開第１４／６２７，２８２号（現在米国特許第９，２５９，８４６号）の継続出願である、それ自体が２０１５年１０月２日に出願された米国特許出願公開第１４／８７３，８５７号の一部継続出願である、２０１５年１２月２１日に出願された米国特許出願公開第１４／９７７，５６０号の一部継続出願である、２０１６年４月２１日に出願された米国特許出願公開第１５／１３５，４８５号の継続出願であり、これらの開示全体が参照により本明細書に完全に組み込まれる。本出願は、２０１５年８月５日に出願された米国仮特許出願第６２／２０１，５５１号の利益も主張し、その開示全体が参照により本明細書に完全に組み込まれる。
【０００２】
[0002]  本開示は、概して、個人用身繕いデバイス、より詳細には、毛を剃るための個人用シェービングデバイスに関する。
【背景技術】
【０００３】
[0003]  シェービング剃刀は、様々な形態で入手可能である。例えば、シェービング剃刀は、ハンドルに選択的に結合されるように構成された使い捨て剃刀カートリッジを含み得る。剃刀カートリッジは、使い捨て剃刀カートリッジの切削面に配置された１つ又は複数の剃刀ブレードを含み得る。剃刀ブレードが鈍くなると、ユーザは、剃刀カートリッジをハンドルから分離して新たな剃刀カートリッジを再接続することができる。
【発明の概要】
【０００４】
[0004]  本開示の上記及び他の特徴並びにそれらを取得する方法は、添付図面と併せて本明細書で説明される実施形態の以下の説明を参照することにより、より明らかとなりかつより良好に理解される。
【図面の簡単な説明】
【０００５】
【図１Ａ】本開示の一実施形態と合致する部分的に組み立てられたシェービングデバイスの正面図を示す。
【図１Ｂ】ハンドルに略平行なヘッド組立体を示す、ヒンジの一実施形態を有する、図１Ａの部分的に組み立てられたシェービングデバイスの正面図を示す。
【図１Ｃ】ハンドルに対して角度αのヘッド組立体を示す、ヒンジの一実施形態を有する、図１Ａの部分的に組み立てられたシェービングデバイスの正面図を示す。
【図２】図１Ａの部分的に組み立てられたシェービングデバイスの側面図を示す。
【図３】旋回付勢機構が拡張された状態で完全に組み立てられたときの図１Ａのシェービングデバイスの側面図を示す。
【図４】旋回付勢機構が格納された状態で完全に組み立てられたときの図１Ａのシェービングデバイスの側面図を示す。
【図５】シェービングデバイスの別の実施形態を示す。
【図６Ａ】図６Ｂのシェービングデバイスのハンドルの線６−６に沿った断面図を示す。
【図６Ｂ】ブレードカートリッジ旋回付勢機構の一実施形態の拡大図を示す。
【図７】図５と合致する抵抗旋回機構の一実施形態を示す。
【図８】抵抗旋回機構の別の実施形態を示す。
【図９】抵抗旋回機構のさらに別の実施形態を示す。
【図１０】図９と合致する抵抗旋回機構の別の図を示す
【図１１】本開示と合致する抵抗旋回機構の別の実施形態を示す。
【図１２】図１１と合致する抵抗旋回機構の別の図を示す。
【図１３】本開示と合致する抵抗旋回機構のさらに別の実施形態を示す。
【図１４】図１３と合致する抵抗旋回機構の別の図を示す。
【図１５】本開示と合致する抵抗旋回機構のなおさらなる実施形態を示す。
【図１６Ａ】本開示と合致する抵抗旋回機構のさらに追加的な実施形態を示す。
【図１６Ｂ】本開示と合致する抵抗旋回機構のさらに追加的な実施形態を示す。
【図１７Ａ】本開示と合致する抵抗旋回機構のさらなる実施形態を示す。
【図１７Ｂ】本開示と合致する抵抗旋回機構のさらなる実施形態を示す。
【図１８】本開示と合致する抵抗旋回機構を含む、ブレードカートリッジの一実施形態を概略的に示す。
【図１９】本開示と合致する抵抗旋回機構の一実施形態を図１８の線１９−１９に沿って概略的に示す。
【図２０】本開示と合致する抵抗旋回機構の一実施形態を図１９の線２０−２０に沿って概略的に示す。
【図２１】図１９のものと同様の抵抗旋回機構の別の実施形態を概略的に示す。
【図２２】図２０のものと同様の抵抗旋回機構の別の実施形態を概略的に示す。
【図２３】本開示と合致するバラスト機構を含む抵抗旋回機構の別の実施形態を概略的に示す。
【図２４】本開示と合致するバラスト機構を含む抵抗旋回機構の別の実施形態を概略的に示す。
【図２５】本開示と合致するヒンジ及びスイベル機構の一実施形態を示す。
【図２６】本開示と合致するヒンジ及びスイベル機構の一実施形態を示す。
【図２７】本開示と合致するヒンジ及びスイベル機構の一実施形態を示す。
【図２８】ブレードカートリッジ中心位置合わせ機構の一実施形態を示す。
【図２９】図２８と合致するブレードカートリッジ中心位置合わせ機構の一実施形態を示す。
【図３０Ａ】本開示の一実施形態によるブレードカートリッジの拡大正面図を示す。
【図３０Ｂ】本開示の別の実施形態によるブレードカートリッジの拡大正面図を示す。
【図３１】本開示の一実施形態による格納可能玉軸受を含むブレードカートリッジのセクションの断面図を示す。
【図３２】本開示の別の実施形態による格納可能玉軸受を含むブレードカートリッジのセクションの断面図を示す。
【図３３】本開示の別の実施形態による格納可能玉軸受を含むブレードカートリッジのセクションの断面図を示す。
【図３４】本開示の別の実施形態による自己潤滑性格納可能玉軸受／長尺状玉軸受／ローラーピンを含むブレードカートリッジの断面図を示す。
【図３５Ａ】本開示の別の実施形態による自己潤滑性格納可能玉軸受／長尺状玉軸受／ローラーピンを含むブレードカートリッジの断面図を示す。
【図３５Ｂ】本開示の別の実施形態による自己潤滑性格納可能玉軸受／長尺状玉軸受／ローラーピンを含むブレードカートリッジの断面図を示す。
【図３５Ｃ】玉軸受をブレードカートリッジ内に固定するための保持クリップの図を示す。
【図３５Ｄ】玉軸受をブレードカートリッジ内に固定するための保持クリップの図を示す。
【図３５Ｅ】玉軸受をブレードカートリッジ内に固定するための保持クリップの図を示す。
【図３５Ｆ】１つ又は複数の剃刀ブレードをブレードカートリッジ内に固定するためのブレード保持クリップの図を示す。
【図３５Ｇ】１つ又は複数の剃刀ブレードをブレードカートリッジ内に固定するためのブレード保持クリップの図を示す。
【図３５Ｈ】１つ又は複数の剃刀ブレードをブレードカートリッジ内に固定するためのブレード保持クリップの図を示す。
【図３６】本開示の別の実施形態によるブレードカートリッジの拡大正面図を示す。
【図３７】本開示の別の実施形態によるブレードカートリッジの拡大正面図を示す。
【図３８】本開示と合致するブレードカートリッジのなお別の実施形態の端面図を示す。
【図３９】図３８と合致するブレードカートリッジの端面斜視図を示す。
【図４０】図３８及び図３９のブレードカートリッジと併せて抵抗旋回機構の一実施形態とともに使用され得る旋回ピン／シリンダの一実施形態の端面図を示す。
【図４１】図３８〜図４０と合致するさらなる図を示す。
【図４２】図３８〜図４０と合致するさらなる図を示す。
【図４３】図３８〜図４０と合致するさらなる図を示す。
【図４４】図３８〜図４０と合致するさらなる図を示す。
【図４５】図３８〜図４０と合致するさらなる図を示す。
【図４６】図２５〜図２７と合致する剃刀の追加的な図を示す。
【図４７】図２５〜図２７と合致する剃刀の追加的な図を示す。
【図４８】図２５〜図２７と合致する剃刀の追加的な図を示す。
【図４９】図２５〜図２７と合致する剃刀の追加的な図を示す。
【図５０】本開示と合致するブレードカートリッジの追加的な図を示す。
【図５１】本開示と合致するブレードカートリッジの追加的な図を示す。
【図５２】本開示と合致するブレードカートリッジの追加的な図を示す。
【図５３】本開示と合致する剃刀の別の図を示す。
【図５４】本開示と合致する抵抗揺動機構を有する剃刀の一実施形態を示す。
【図５５】本開示と合致する抵抗旋回機構の別の実施形態を含む別のシェービングデバイスの斜視図を示す。
【図５６】抵抗旋回機構を備えた図５５のシェービングデバイスの側面図を示す。
【図５７】図５５のシェービングデバイスの拡大側面図を示す。
【図５８】抵抗旋回機構の別の実施形態を示す。
【図５９Ａ】ブレードカートリッジ支持部材が部分的に透明である図５８の抵抗旋回機構を示す。
【図５９Ｂ】ブレードカートリッジ磁石及びブレードカートリッジ支持部材磁石の一配置構成を示す。
【図５９Ｃ】ブレードカートリッジ磁石及びブレードカートリッジ支持部材磁石の別の配置構成を示す。
【図５９Ｄ】ブレードカートリッジ磁石及びブレードカートリッジ支持部材磁石のなお別の配置構成を示す。
【図６０】図５９Ａの抵抗旋回機構の別の図を示す。
【図６１】ブレードカートリッジ支持部材が部分的に透明である、図５８のブレードカートリッジ支持部材の別の図を示す。
【図６２】ブレードカートリッジ支持部材が中実である図６１のブレードカートリッジ支持部材の別の図を示す。
【図６３】ブレードカートリッジが部分的に透明である図５８のブレードカートリッジの別の図を示す。
【図６４】ブレードカートリッジが部分的に中実である図６３のブレードカートリッジの別の図を示す。
【図６５】抵抗旋回機構の別の実施形態を示す。
【図６６】ブレードカートリッジ支持部材が中実である図６５の抵抗旋回機構を示す。
【図６７】ブレードカートリッジ支持部材が部分的に透明である図６５の抵抗旋回機構を示す。
【図６８】図６５のブレードカートリッジの断面図を示す。
【図６９】図６５のブレードカートリッジの別の断面図を示す。
【図７０】抵抗旋回機構の別の実施形態の断面図を示す。
【図７１】アクスル及びカムに加えてブレードカートリッジ支持部材が部分的に透明である、図７０の抵抗旋回機構を示す。
【図７２】アクスル及びカムがない、図７１のブレードカートリッジ支持部材の別の図を示す。
【図７３】ブレードカートリッジ支持部材が部分的に中実である図７０のブレードカートリッジの別の図を示す。
【図７４】アクスル、カム、及び戻り止めプレートに加えて、ブレードカートリッジ支持部材が部分的に透明である図７０の抵抗旋回機構の別の図を示す。
【図７５】図７０のブレードカートリッジの断面図を示す。
【図７６】図７０のブレードカートリッジの別の断面図を示す。
【図７７】１つ又は複数の磁石を使用して一緒に結合されるように構成されたヘッド組立体及びハンドルの一実施形態を組み立てられていない状態で示す。
【図７８】図７７のヘッド組立体及びハンドルを組み立てられた状態で概略的に示す。
【図７９】図７７のヘッド組立体及びハンドルの断面図を組み立てられていない状態で示す。
【図８０】図７７のヘッド組立体及びハンドルの断面図を組み立てられた状態で示す。
【図８１Ａ】図７７〜図８０の磁気結合と合致する空洞内への異なる変位での磁力を示す。
【図８１Ｂ】図７７〜図８０の磁気結合と合致する空洞内への異なる変位での磁力を示す。
【図８２】ヘッド組立体とハンドルとの間の磁気接続の別の実施形態を示す。
【図８３】ヘッド組立体とハンドルとの間の磁気接続のさらなる実施形態を示す。
【図８４】ブレードカートリッジをブレードカートリッジ支持部材に固定するためのブレードカートリッジ接続機構の一実施形態を組み立てられていない状態で示す。
【図８５】図８４のブレードカートリッジ接続機構を組み立てられた状態で示す。
【図８６】図８４のブレードカートリッジ接続機構の断面図を組み立てられていない状態で示す。
【図８７】図８４のブレードカートリッジ接続機構の断面図を組み立てられた状態で示す。
【図８８】ブレードカートリッジをブレードカートリッジ支持部材に固定するためのブレードカートリッジ保持器の一実施形態を組み立てられていない状態で示す。
【図８９】図８８のブレードカートリッジ保持器を組み立てられた状態で示す。
【図９０】組み立てられた状態の、ブレードカートリッジをブレードカートリッジ支持部材に固定するためのブレードカートリッジ保持器の別の実施形態である。
【図９１】図９０のブレードカートリッジ保持器の線Ａ−Ａに沿った断面を示す。
【図９２】図９０のブレードカートリッジ保持器の線Ｂ−Ｂに沿った断面で示す。
【図９３】抵抗旋回機構及び／又はブレードカートリッジをハンドルへ結合するための接続機構の別の実施形態を組み立てられていない状態で示す。
【図９４】図９３の抵抗旋回機構及び／又は接続機構を組み立てられた状態で示す。
【図９５】図９３のブレードカートリッジ保持器の断面を示す。
【図９６】別の抵抗旋回機構及び／又は接続機構を組み立てられた状態で示す。
【図９７】ハードストップ／ＩＳＰ突出部の一実施形態を示す。
【図９８】２つのコンポーネントを結合するための２つ以上の直径方向磁化（ＤＭ）磁石の実施形態を示す。
【図９９】２つのコンポーネントを結合するための２つ以上の直径方向磁化（ＤＭ）磁石の実施形態を示す。
【図１００】２つのコンポーネントを結合するための２つ以上の直径方向磁化（ＤＭ）磁石の実施形態を示す。
【図１０１】２つのコンポーネントを結合するための２つ以上の直径方向磁化（ＤＭ）磁石の実施形態を示す。
【図１０２】２つのコンポーネントを結合するための２つ以上の直径方向磁化（ＤＭ）磁石の実施形態を示す。
【図１０３】ＤＭ磁石を用いるさらなる実施形態を示す。
【図１０４】ＤＭ磁石を用いるさらなる実施形態を示す。
【図１０５】ＤＭ磁石を用いるさらなる実施形態を示す。
【図１０６】ブレードカートリッジ支持部材／ブレードカートリッジの、ハンドルに対する側方移動を可能にする２つ以上のＤＭ磁石の実施形態を示す。
【図１０７】ブレードカートリッジ支持部材／ブレードカートリッジの、ハンドルに対する側方移動を可能にする２つ以上のＤＭ磁石の実施形態を示す。
【図１０８】ブレードカートリッジ支持部材／ブレードカートリッジの、ハンドルに対する側方移動を可能にする２つ以上のＤＭ磁石の実施形態を示す。
【図１０９】２つ以上のＤＭ磁石を特徴とするさらなる実施形態を示す。
【図１１０】２つ以上のＤＭ磁石を特徴とするさらなる実施形態を示す。
【図１１１】２つ以上のＤＭ磁石を特徴とするなおさらなる実施形態を示す。
【図１１２】２つ以上のＤＭ磁石を特徴とするなおさらなる実施形態を示す。
【図１１３】２つ以上のＤＭ磁石を特徴とするなおさらなる実施形態を示す。
【図１１４】２つ以上のＤＭ磁石を特徴とする追加的な実施形態を示す。
【図１１５】複数のＤＭ磁石対であって、２つのコンポーネントを確実に取り付けるためのものであり、また、コンポーネントが所定の静止位置へ戻る傾向を有しつつ複数の軸を中心として互いに対して回転することを可能にし、かつ手動で分離され得る複数のＤＭ磁石対の実施形態を示す。
【図１１６】複数のＤＭ磁石対であって、２つのコンポーネントを確実に取り付けるためのものであり、また、コンポーネントが所定の静止位置へ戻る傾向を有しつつ複数の軸を中心として互いに対して回転することを可能にし、かつ手動で分離され得る複数のＤＭ磁石対の実施形態を示す。
【図１１７】複数のＤＭ磁石対であって、２つのコンポーネントを確実に取り付けるためのものであり、また、コンポーネントが所定の静止位置へ戻る傾向を有しつつ複数の軸を中心として互いに対して回転することを可能にし、かつ手動で分離され得る複数のＤＭ磁石対の実施形態を示す。
【図１１８】複数のＤＭ磁石対であって、２つのコンポーネントを確実に取り付けるためのものであり、また、コンポーネントが所定の静止位置へ戻る傾向を有しつつ複数の軸を中心として互いに対して回転することを可能にし、かつ手動で分離され得る複数のＤＭ磁石対の実施形態を示す。
【図１１９】２自由度での（角度の付いたかつ軸方向の）動きを可能にする剃刀の２つの部分間の浮揚効果を達成するために、少なくとも２つの同軸の、直径方向磁化磁石を有する剃刀の実施形態を示す。］
【図１２０】２自由度での（角度の付いたかつ軸方向の）動きを可能にする剃刀の２つの部分間の浮揚効果を達成するために、少なくとも２つの同軸の、直径方向磁化磁石を有する剃刀の実施形態を示す。］
【図１２１】２自由度での（角度の付いたかつ軸方向の）動きを可能にする剃刀の２つの部分間の浮揚効果を達成するために、少なくとも２つの同軸の、直径方向磁化磁石を有する剃刀の実施形態を示す。］
【図１２２】２自由度での（角度の付いたかつ軸方向の）動きを可能にする剃刀の２つの部分間の浮揚効果を達成するために、少なくとも２つの同軸の、直径方向磁化磁石を有する剃刀の実施形態を示す。］
【図１２３Ａ】２自由度での（角度の付いたかつ軸方向の）動きを可能にする剃刀の２つの部分間の浮揚効果を達成するために、少なくとも２つの同軸の、直径方向磁化磁石を有する剃刀の実施形態を示す。］
【図１２３Ｂ】２自由度での（角度の付いたかつ軸方向の）動きを可能にする剃刀の２つの部分間の浮揚効果を達成するために、少なくとも２つの同軸の、直径方向磁化磁石を有する剃刀の実施形態を示す。］
【図１２３Ｃ】２自由度での（角度の付いたかつ軸方向の）動きを可能にする剃刀の２つの部分間の浮揚効果を達成するために、少なくとも２つの同軸の、直径方向磁化磁石を有する剃刀の実施形態を示す。］
【図１２３Ｄ】２自由度での（角度の付いたかつ軸方向の）動きを可能にする剃刀の２つの部分間の浮揚効果を達成するために、少なくとも２つの同軸の、直径方向磁化磁石を有する剃刀の実施形態を示す。］
【図１２３Ｅ】２自由度での（角度の付いたかつ軸方向の）動きを可能にする剃刀の２つの部分間の浮揚効果を達成するために、少なくとも２つの同軸の、直径方向磁化磁石を有する剃刀の実施形態を示す。］
【図１２４】ブレードカートリッジを「身体モード」で整列させるための機械的旋回部を有する剃刀の一実施形態を示す。
【図１２５】支持部材内で回転ブレードカートリッジを位置付け、かつ制御するための磁石を含む剃刀の実施形態を示す。
【図１２６】支持部材内で回転ブレードカートリッジを位置付け、かつ制御するための磁石を含む剃刀の実施形態を示す。
【図１２７】支持部材内で回転ブレードカートリッジを位置付け、かつ制御するための磁石を含む剃刀の別の実施形態を示す。抵抗旋回機構の追加的な実施形態を示す。
【図１２８】支持部材内で回転ブレードカートリッジを位置付け、かつ制御するための磁石を含む剃刀の別の実施形態を示す。抵抗旋回機構の追加的な実施形態を示す。
【図１２９】支持部材内で回転ブレードカートリッジを位置付け、かつ制御するための磁石を含む剃刀の別の実施形態を示す。抵抗旋回機構を有する剃刀のなお別の実施形態を示す。
【図１３０】支持部材内で回転ブレードカートリッジを位置付け、かつ制御するための磁石を含む剃刀の別の実施形態を示す。抵抗旋回機構を有する剃刀のさらなる実施形態を示す。
【図１３１】支持部材内で回転ブレードカートリッジを位置付け、かつ制御するための磁石を含む剃刀の別の実施形態を示す。１つのみのアーム磁石を有する抵抗旋回機構を有する剃刀のさらなる実施形態を示す。
【図１３２】支持部材内で回転ブレードカートリッジを位置付け、かつ制御するための磁石を含む剃刀の別の実施形態を示す。磁石を含まないアームを取り外すように修正された、図１３０と同様の実施形態を示す。
【図１３３】支持部材内で回転ブレードカートリッジを位置付け、かつ制御するための磁石を含む剃刀の別の実施形態を示す。磁石を含まないアームを取り外すように修正された、図１３０と同様の実施形態を示す。
【図１３４】支持部材内で回転ブレードカートリッジを位置付け、かつ制御するための磁石を含む剃刀の別の実施形態を示す。旋回アクスルがアームではなくブレードカートリッジに固定され、通路／溝／スロットがブレードカートリッジ及びアクスルがアームから除去され得るように、アーム及び／又は磁石に設けられた、図１２４〜図１２８の実施形態の変形形態の実施形態を示す。
【図１３５】支持部材内で回転ブレードカートリッジを位置付け、かつ制御するための磁石を含む剃刀の別の実施形態を示す。旋回アクスルがアームではなくブレードカートリッジに固定され、通路／溝／スロットがブレードカートリッジ及びアクスルがアームから除去され得るように、アーム及び／又は磁石に設けられた、図１２４〜図１２８の実施形態の変形形態の実施形態を示す。
【図１３６】支持部材内で回転ブレードカートリッジを位置付け、かつ制御するための磁石を含む剃刀の別の実施形態を示す。抵抗旋回機構を有する剃刀のさらなる実施形態を示す。
【図１３７】使い捨てヘッド組立体に組み込まれたナノチューブシート、ストリップ又はスレッドを含む剃刀の一実施形態を示す。
【図１３８】抵抗旋回機構及び結合機構の実施形態を示す。
【図１３９】ブレードカートリッジをブレードカートリッジ支持部材に複数の磁石を使用して旋回可能に結合する別の実施形態を示す。
【図１４０】ブレードカートリッジをブレードカートリッジ支持部材に複数の磁石を使用して旋回可能に結合する別の実施形態を示す。
【図１４１】反発磁石が任意選択的に嵌合特徴部を含む一実施形態を示す。
【図１４２】「顔モード」で選択的に配置され得る剃刀の別の実施形態を示す。
【図１４３】「身体モード」で選択的に配置され得る剃刀の別の実施形態を示す。
【図１４４】「顔モード」で選択的に配置され得る剃刀の別の実施形態を示す。
【図１４５】ブレードカートリッジを初期始動位置（ＩＳＰ）へ付勢するための磁気付勢システムの一実施形態を示す。
【図１４６】ブレードカートリッジを初期始動位置（ＩＳＰ）へ付勢するための磁気付勢システムの一実施形態を示す。
【図１４７】ブレードカートリッジを初期始動位置（ＩＳＰ）へ付勢するための磁気付勢システムの一実施形態を示す。
【図１４８】ブレードカートリッジをＩＳＰへ付勢するための磁気付勢システムの別の実施形態を示す。
【発明を実施するための形態】
【０００６】
[00121]  当然のことながら、上の図面の説明は例示目的のみのものであり、従って、以下の詳細な説明を考慮して読み取られなければならない。上の図面の説明における特徴の全てが、図面のいずれの特定の実施形態にもなければならないわけではなく、上で説明された図面の特徴とともに又は上で説明された図面の特徴なしで含まれ得る上の図面の説明に挙げられていない他の特徴も説明され、図面／詳細な説明で説明された特徴は、他の図面で説明された他の特徴を考慮して組み合わされ得、及び／又は修正され得る。
【０００７】
[00122]  本開示は、その適用において、以下の説明で定められるか又は図面に示される構造の詳細及びコンポーネントの配置構成に限定されるものではないことが認められ得る。本明細書における本発明は、他の実施形態であってもよく、様々な方法で実行又は実施され得る。また、本明細書で使用する表現法及び用語法は、説明することを目的とするものであり、限定するものとして見なされてはならず、そのようなものとして当業者に理解され得ることが認められ得る。
【０００８】
[00123]  ここで図を参照すると、図１〜図４は、ヒトの毛を剃るために特に有用である本開示の一実施形態による個人用手動（すなわち無給電）シェービングデバイス１０を示す。図示のとおり、シェービングデバイス１０は、シェービングデバイス１０のユーザの毛を剃るための使い捨てヘッド組立体２０と、シェービングデバイス１０を保持及び操作するためのハンドル６０と、を含む。
【０００９】
[00124]  図１Ａにより最も良好に示されるとおり、使い捨てヘッド組立体２０は、ブレードカートリッジ２２とブレードカートリッジ支持部材２４とを含む。図示のとおり、ブレードカートリッジ支持部材２４は、略Ｕ字型のカートリッジ支持フレーム２６を含む。Ｕ字型のカートリッジ支持フレーム２６は２つの略曲線の支持アーム３０を含む。例えば、支持アーム３０は略Ｃ字型又はＬ字型を有し得る。
【００１０】
[00125]  ブレードカートリッジ支持部材２４へのブレードカートリッジ２２の旋回可能な取付け及び後続のその使用を円滑にするため、ブレードカートリッジ２２及びブレードカートリッジ支持部材２４は、ブレードカートリッジ２２が旋回軸ＰＡを中心として（例えば、ハンドル６０の長手方向軸Ｌに略垂直な方向を中心として）回転することを可能にする１つ又は複数のヒンジ又は旋回組立体３を含み得る。本明細書で説明されるとおり、ヒンジ又は旋回組立体３は、ブレードカートリッジ２２の前側１４０及び後側１５６が使用され得るように、ブレードカートリッジ２２が旋回軸ＰＡを中心としておよそ１８０度回転することを可能にするように構成され得る。一実施形態によると、ヒンジ又は旋回組立体３は、ブレードカートリッジ２２が旋回軸ＰＡを中心としておよそ３６０度回転することを可能にするように構成され得る。
【００１１】
[00126]  例えば、ヒンジ又は旋回組立体３は、ブレードカートリッジ支持部材２４の各支持アーム３０（例えば、限定するものではないが、支持アーム３０の末端セクション４０）に配置された（例えば、貫通孔の形態の）旋回軸レセプタクル３２を含んでもよく、旋回軸レセプタクル３２の各々は、ブレードカートリッジ２２の対向する側面に位置する旋回ピン／シリンダ３４を受ける。旋回ピン／シリンダ３４は、ブレードカートリッジ２２の側面から略外向きに延在し得る。前述の配置構成では、ブレードカートリッジ２２は支持アーム３０間に配置され、かつ旋回接続（組立体）で各支持アーム３０により支持され、ブレードカートリッジ２２は、旋回軸ＰＡを中心として最大で３６０°度を含む任意の角度で回転可能である。当然のことながら、旋回軸レセプタクル３２及び旋回ピン３４の１つ又は複数の場所は切り替えられ得る（例えば、旋回軸レセプタクル３２の１つ又は複数は、ブレードカートリッジ２２に位置してもよく、旋回ピン３４の１つ又は複数はブレードカートリッジ支持部材２４の支持アーム３０から外向きに延在してもよい）。
【００１２】
[00127]  シェービングの間、ブレードカートリッジ２２の使用の緩衝を和らげるため、支持アーム３０の１つ又は複数は緩衝機構３８を含み得る。図示のとおり、各支持アーム３０の第２の（末端）セクション４０は、各支持アーム３０の第１の（基端）セクション４４のレセプタクル４２（例えば、溝付き凹部）内を摺動するように構成される。各レセプタクル４２は、圧縮（例えば、コイル）ばね又は付勢デバイス４６をその底部に含み得る。本明細書で使用する際、基端及び末端は、シェービングデバイス１０のユーザに対して理解され得る。
【００１３】
[00128]  前述の方法では、緩衝機構３８の付勢デバイス４６は、ブレードカートリッジ２２にかけられた下向きの力に応じて圧縮されてもよく、そのような圧縮は下向きの力に抗して付勢する。その際、そのような圧縮は、ブレードカートリッジ２２の使用の衝撃を和らげるために下向きの力を吸収する／そぐことができる。さらに、各支持アーム３０の緩衝機構３８は互いに無関係であるため、緩衝機構３８は、ブレードカートリッジ２２の各側方端部が独立して移動し及び／又は緩衝を和らげることを可能にし得る。シェービングデバイス１０の他の実施形態では、ブレードカートリッジ支持部材２４は緩衝機構３８を含まなくてもよいことが理解されるべきである。
【００１４】
[00129]  ヘッド組立体２０は、ユーザによりハンドル６０に選択的に取り外し可能に接続可能であってもよい。認められ得るとおり、ブレードカートリッジ支持部材２４をハンドル６０に選択的に結合する任意の機構が使用されてもよい。例えば、ブレードカートリッジ支持部材２４は、２つの支持アーム３０間の中央に配置され得る支持ハブ５０を含み得る。支持ハブ５０は、ブレードカートリッジ支持部材２４をハンドル６０の長尺状シャフト６２の機械的接続要素６４に機械的に接続する機械的接続要素５２を含む。
【００１５】
[00130]  例えば、図１Ａ及び図２により示されるとおり、ブレードカートリッジ支持部材２４の接続要素５２の一実施形態は、ハンドル６０の接続要素６４の円筒形凹部６６内に適合するように構成された中空（管状の）円筒形シャンク５４を含む。確動的機械的接続を提供するため、円筒形シャンク５４は、係合開口６８内に係合する複数の変形可能な（片持及び／又はばね仕掛けの）係合タブ５６を含む。変形可能な（片持及び／又はばね仕掛けの）係合タブ５６は、一実施形態では、作動ボタン１００が押されると、及び／又は、ユーザの手／指で各独立した係合タブを手動で押すことにより、係合開口６８との係合から出るように構成されてもよい。
【００１６】
[00131]  係合タブ５６が係合開口６８内で係合されると、ヘッド組立体２０及びハンドル６０は一般に互いから分離することを妨げられる。その後（例えば、ブレードカートリッジ２２の有用寿命後）、ヘッド組立体２０及びハンドル６０は、係合タブ５６を内向きへ押すこと（例えば、ハンドル６０及び／又は使い捨てヘッド組立体２０に配置されたボタンなどを押すことにより、及び／又は、ユーザの手／指で各係合タブを手動で押すことにより）、及びブレードカートリッジ支持部材２４の円筒形シャンク５４をハンドル６０の円筒形凹部６６から引き出すことにより互いから分離され得る。使用済みヘッド組立体２０／ブレードカートリッジ２２は、次いで、新たなヘッド組立体２０／ブレードカートリッジ２２と置き換えられ得る。従って、理解され得るとおり、ヘッド組立体２０は、ユーザによりハンドル６０に選択的に取り外し可能に接続可能である。
【００１７】
[00132]  シャンク５４及び凹部６６は、それぞれブレードカートリッジ支持部材２４及びハンドル６０の一部として示されているが、当然のことながら、シャンク５４及び凹部６６の配置構成は切り替えられ得る（例えば、シャンク５４及び凹部６６は、それぞれハンドル６０及びブレードカートリッジ支持部材２４の一部であってもよく、例えば図５を参照されたい）。追加的に、変形可能な（片持及び／又はばね仕掛けの）係合タブ５６及び係合開口６８は、それぞれシャンク５４及び凹部６６の一部として示されているが、当然のことながら、変形可能な（片持及び／又はばね仕掛けの）係合タブ５６及び係合開口６８の配置構成は切り替えられ得る（例えば、変形可能な（片持及び／又はばね仕掛けの）係合タブ５６及び係合開口６８は、それぞれ凹部６６及びシャンク５４の一部であってもよい）。ここでも同様に、当然のことながら、接続要素５２は、そうであると具体的に述べられない限り、本明細書で図示及び／又は説明された配置構成に限定されず、ユーザがヘッド組立体２０をハンドル６０に選択的に取り外し可能に結合することを可能にする任意の接続要素５２が使用されてもよい。
【００１８】
[00133]  ハンドル６０（図１Ａ〜図１Ｃ）は、ハンドル６０（例えば、ハンドル６０の長手方向軸Ｌ）に対するヘッド組立体２０の向き（例えば、ヘッド組立体２０の長手方向軸Ｈ）がユーザにより調整され得るように、ヘッド組立体２０がハンドル６０の一部に対して選択的に回転されることを可能にするように構成された１つ又は複数のヒンジ７４を任意選択的に含んでもよい。ヒンジ７４は、ハンドル６０の長さに沿った実質的にいずれの場所にも位置付けることができるが、概略的に示されるとおりハンドル６０の第１の（基端）領域に近接して位置付けられてもよい。
【００１９】
[00134]  図１Ａを参照すると、ヘッド組立体２０の剃刀ブレード１４２の１つ又は複数の切れ刃１５１の切れ刃軸ＣＥは、ハンドル６０の長手方向軸Ｌに対して略垂直（例えば、略直交／９０度）に整列することが認められ得る。本明細書で説明されるとおり（例えば、図１Ｂ及び図１Ｃで概略的に示されるとおり）、ヒンジ７４は、ヘッド組立体２０の剃刀ブレード１４２の１つ又は複数の切れ刃１５１の切れ刃軸ＣＥがハンドル６０の長手方向軸Ｌに対して直角／垂直／９０度以外の角度α（例えば、図１Ｃを参照されたい）で整列するように、ユーザがヘッド組立体２０をハンドル６０の旋回ポイントを中心として選択的に回転させることを可能にするように構成され得る。例えば、図１Ｂは、ヘッド組立体２０の剃刀ブレード１４２の１つ又は複数の切れ刃１５１の切れ刃軸ＣＥがハンドル６０の長手方向軸Ｌに略平行であることを概略的に示し、一方で、図１Ｃは、ヘッド組立体２０の剃刀ブレード１４２の１つ又は複数の切れ刃１５１の切れ刃軸ＣＥが、ハンドル６０の長手方向軸Ｌに対して９０度未満の角度α、例えば０〜９０度未満であることを概略的に示す。
【００２０】
[00135]  本開示と合致するヒンジ７４の一実施形態は、図１Ａ及び図２に概略的に示されている。ヒンジ７４は、ハンドル６０の第１の（基端）シャフト部分７５及び第２の（末端）シャフト部分７７の重複する接合部分８４、８６（図２を参照されたい）のレセプタクル８０、８２を通って延在するヒンジピン７６を含み得る。第１の（基端）長尺状シャフトセクション７５及び第２の長尺状（末端）シャフトセクション７７が互いに対して回転することを可能にすることに加えて、ヒンジピン７６は、第１の（基端）シャフト部分７５及び第２の（末端）シャフト部分７７が互いから分離することを妨げ得る。ヒンジ７４は、ユーザがハンドル６０に対するヘッド組立体２０の相対的位置を略係止するか又は固着させることを可能にするように構成された係止機構（例えば、限定するものではないが、係止つめ、ラチェット機構など）を任意選択的に含み得る。
【００２１】
[00136]  当然のことながら、ヒンジ７４は、ヘッド組立体２０の剃刀ブレード１４２の１つ又は複数の切れ刃１５１の切れ刃軸ＣＥがハンドル６０の長手方向軸Ｌに対して実質的に直角／垂直／９０度のままであるように、ユーザがヘッド組立体２０をハンドル６０の旋回ポイントを中心として選択的に回転させることを可能にするようにも構成され得る。例えば、ヒンジピン７６及びレセプタクル８０、８２の配置構成は、図１Ａ〜図１Ｃに示された配置構成から、ハンドル６０の長手方向軸Ｌを中心としておよそ９０度回転され得る。
【００２２】
[00137]  ハンドル６０は、長尺状シャフト６２も任意選択的に含み得る。長尺状シャフト６２は、ハンドル６０の全長がユーザにより調整され得るように互いに対して入れ子状に摺動するように構成された第１及び少なくとも第２のシャフトセクション７０、７２を含む入れ子式ハンドル延在部７８を任意選択的に含む。シャフトセクション７０、７２の１つ又は複数は、本明細書で説明されるとおり１つ又は複数のヒンジ７４を任意選択的に含み得ることが理解される。シェービングデバイス１０の他の実施形態では、長尺状シャフト６２は単一のセクションから形成され、ヒンジ７４を含まなくてもよく、入れ子式ハンドル延在部７８は除去されてもよいことも理解されるべきである。
【００２３】
[00138]  図３〜図５を参照すると、シェービングデバイス１０（例えば、ハンドル６０）は、ブレードカートリッジ支持部材２４に対する方向へのブレードカートリッジ２２の旋回軸ＰＡを中心とする回転を制御するために１つ又は複数のブレードカートリッジ旋回付勢機構９０を任意選択的に含み得る。旋回付勢機構９０は、ハンドル６０の円筒形凹部９４内を摺動する１つ又は複数の長尺状円筒形ロッド９２を含み得る。長尺状円筒形ロッド９２は、略矢印Ｃの方向に（すなわち、図３及び図５に概略的に示されたとおり、ブレードカートリッジ２２に略向かって）付勢され得る。例えば、ハンドル６０は、長尺状円筒形ロッド９２を略矢印Ｃの方向に付勢するように構成された１つ又は複数の付勢デバイス（例えば、ばねなど）を有する円筒形凹部９４（図６Ａ及び図６Ｂで最もよく見える）を含み得る。一実施形態では、第１の付勢デバイス９６（例えば、コイルばねなど）が円筒形ロッド９２の下の円筒形凹部９４内に配置されてもよく、任意選択的に第２の付勢デバイス９８（例えば、コイルばねなど）も第１の付勢デバイス９６の下の円筒形凹部９４内に配置されてよい。第２の付勢デバイス９８は、第１の付勢デバイス９６より大きいばね（力）定数を有してもよい。
【００２４】
[00139]  認められ得るとおり、ブレードカートリッジ２２は、シェービングデバイス１０の使用中、ブレードカートリッジ２２が剃られている皮膚表面の外形に従う際、回転方向Ｒ１及びＲ２に旋回軸ＰＡを中心として旋回し得る。そのような時間中、円筒形ロッド９２の末端部（例えば、球状末端部）は、ブレードカートリッジ２２の後側１５６（すなわち、シェービング中に使用される表面の略反対側のブレードカートリッジ２２の表面）と接触し、ブレードカートリッジ２２を、旋回軸ＰＡを中心として旋回するように付勢する。本明細書で説明されるとおり、ブレードカートリッジ２２は、前側１４０及び後側１５６の両方に剃刀ブレード１４２を任意選択的に含み得る。このような場合、ロッド９２の末端部は、ブレードカートリッジ２２と、剃刀ブレード１４２が位置する箇所以外の領域１６３で接触するように構成され得る。
【００２５】
[00140]  一実施形態（図３及び図４）によれば、ロッド９２はブレードカートリッジ２２と旋回軸ＰＡの上の場所で接触してもよく、旋回付勢機構９０は、ブレードカートリッジ２２を反対方向に（例えば、方向Ｒ２に）付勢してもよい。代替的に、ロッド９２は、ブレードカートリッジ２２と、図５に概略的に示されたとおり旋回軸ＰＡの下の場所で接触してもよく、旋回付勢機構９０はブレードカートリッジ２２を方向Ｒ１に付勢してもよい。従って、付勢ロッド９２がブレードカートリッジに接触する場所（すなわち、図３〜図４では旋回軸ＰＡの上又は図５では旋回軸ＰＡの下）に依存して、旋回付勢機構９０は、ブレードカートリッジ２２を略方向Ｒ２（図３〜図４において）又は方向Ｒ１（図５において）に付勢することができ、ばね９６、９８が最も低い位置になると特定の／所定のポイント（回転度）を超えての反対方向の（例えば、図３〜図４ではＲ１又は図５ではＲ２の）ブレードカートリッジ２２の回転を略妨げ得る。
【００２６】
[00141]  さらに、本明細書でより詳細に説明されるとおり、少なくとも１つの実施形態では、ブレードカートリッジ２２は、ユーザがブレードカートリッジ２２の前又は後面１４０、１５６のいずれかを選択することができるように、旋回軸ＰＡを中心としておよそ１８０度以上回転するように構成され得る。例えば、ブレードカートリッジ２２は、その前側１４０及び後側１５６の両方にシェービング（剃刀）ブレードを含み得る（例えば、図５又は図８を参照されたい）。代替的に（又は加えて）、ブレードカートリッジ２２は、前側１４０にシェービング（剃刀）ブレード及び後側１５６に鏡を含み得る。
【００２７】
[00142]  一実施形態によると、旋回付勢機構９０は作動ボタン１００を任意選択的に含み得る。作動ボタン１００はロッド９２に結合されてもよく、図４に概略的に示されるとおり、ブレードカートリッジ２２が旋回軸ＰＡを中心としておよそ１８０度（以上）回転されるとき、ロッド９２を、略矢印Ｃと反対の方向に（例えば、図３及び図５を参照されたい）、ブレードカートリッジの経路から外れるように格納するように構成されてもよい。例えば、作動ボタン１００は、ハンドル６０に形成された長尺状スロットにより提供された案内トラック１０２（図６Ａ及び図６Ｂ）内を移動し得る。ユーザは、付勢デバイス９６、９８を圧縮するのに十分な力でロッド９２を格納するために作動ボタン１００を矢印Ｃの略反対の方向に付勢してもよく、それにより、ブレードカートリッジ２２が、例えばロッド９２の付勢方向（例えば、図３〜図４では方向Ｒ１及び図５では方向Ｒ２）の略反対方向にロッド９２と接触せずに、旋回軸ＰＡを中心としておよそ１８０度（以上）回転され得るように、円筒形ロッド９２を十分遠くに（例えば、矢印Ｃの略反対の方向にかつブレードカートリッジ２２から概して離して）格納することを可能にする。当然のことながら、旋回付勢機構９０は、図６Ａ及び図６Ｂではハンドル６０の外部に示されているが、旋回付勢機構９０の一部は、本明細書で概略的に示されているとおりハンドル６０の内部領域内に位置してもよい。
【００２８】
[00143]  別の実施形態によると、使い捨てヘッド組立体２０は、前又は後側１４０、１５６のいずれかを使用しながらハンドル６０及び／又はブレードカートリッジ支持部材２４に対するブレードカートリッジ２２の回転の範囲を略限定するように構成された１つ又は複数のブレードカートリッジ回転リミッタ３５を任意選択的に含み得る。ブレードカートリッジ回転リミッタ３５は、ブレードカートリッジ２２が旋回軸ＰＡを中心として、（図３〜図４では）回転方向Ｒ２に、又は（図５では）回転方向Ｒ１に特定の／所定のポイント（回転度）を超えて旋回することを略防ぐように構成され得る。従って、ブレードカートリッジ回転リミッタ３５は、所定のポイントを超えて回転することを略防ぐように構成され得る。
【００２９】
[00144]  図３を参照すると、本開示と合致するブレードカートリッジ回転リミッタ３５の一実施形態が概略的に示されている。ブレードカートリッジ回転リミッタ３５は、使用されているブレードカートリッジ２２の反対側に接触するように構成された、弾性があり変形可能な止め部材又はつめ３６を含み得る。例えば、変形可能なつめ３６は、ブレードカートリッジ２２が旋回軸ＰＡを中心として回転方向Ｒ２に特定の／所定のポイント（回転度）を超えて旋回すると、旋回軸ＰＡの下の場所でブレードカートリッジ２２のエッジ領域に接触し得る。変形可能なつめ３６は、支持ハブ５０から外向きに延在し、かつブレードカートリッジ２２の一部に接触すると示されているが、当然のことながら、この配置構成は逆であってもよい。例えば、変形可能なつめ３６は、支持ハブ５０の一部と接触するようにブレードカートリッジ２２から外向きに延在するように構成されてもよい。
【００３０】
[00145]  ブレードカートリッジ２２を、旋回軸ＰＡを中心としておよそ１８０度以上回転させるため、ピン９２は、図４に概略的に示されたとおり格納されてもよく、ブレードカートリッジ２２は方向Ｒ１に回転されてもよい。ブレードカートリッジ２２が方向Ｒ１に回転されると、ブレードカートリッジ２２はつめ３６と接触する。つめ３６（これはポリマー組成物、例えばエラストマー又は板金から形成され得る）は、ブレードカートリッジ２２が方向Ｒ１に回転し続けることを可能にするために下向きに（例えば、支持フレーム２６のハブ５０及び／又は支持アーム３０に略向かって）変形する。ブレードカートリッジ２２がつめ／弾性があり変形可能な止め部材３６を通過すると、止め部材３６はその初期位置へ戻り、ブレードカートリッジ２２が回転方向Ｒ２に戻るように回転することを妨げる。この弾性があり変形可能な止め部材３６は、ブレードカートリッジ２２が一方向に回転することを可能にするが、ブレードカートリッジ２２が反対方向に回転することを抑止する。この場合にも（上述のとおり）、つめ３６は支持フレーム２６から延在していると示されているが、つめ３６はブレードカートリッジ２２から延在することができ、ブレードカートリッジ２２が旋回軸ＰＡを中心として回転すると弾性的に変形し得る。
【００３１】
[00146]  再び図５及び図７を参照すると、本開示と合致するブレードカートリッジ回転リミッタ３５の別の実施形態が概略的に示されている。ブレードカートリッジ回転リミッタ３５は、複数の歯３７の１つ又は複数に接触するように構成された弾性があり、変形可能な止め部材又はつめ３６を含み得る。図５及び図７に示された実施形態では、つめ３６は、旋回ピン３４から略半径方向外向きに延在し、歯３７は旋回軸レセプタクル３２から略半径方向内向きに延在するが、当然のことながら、つめ３６及び歯３７の配置構成は切り替えられることができ、つめ３６は旋回軸レセプタクル３２から略半径方向内向きに延在してもよく、歯３７は旋回ピン３４から略半径方向外向きに延在してもよい。
【００３２】
[00147]  図７に最もよく示されているとおり、旋回ピン３４の、旋回軸ＰＡを中心として第１の方向（例えば、図示の実施形態では方向Ｒ２）への回転は、つめ３６を第１の歯３７ａの穏やかに傾斜した先細、曲線、凸状、凹状、及び／又は弓形の部分（例えば、第１の部分）３９に接触させることができ、それにより、つめ３６を第１の歯３７ａから外れるように弾性的に変形させ（例えば、図示の実施形態では略半径方向内向きに変形させる）、かつ旋回ピン３４が旋回軸ＰＡを中心として第１の方向に引き続き回転することを可能にする。反対に、旋回軸ＰＡを中心とした第２の方向への（例えば、図示の実施形態では方向Ｒ１への）旋回ピン３４の回転は、つめ３６を第２の歯３７ｂ（例えば、隣接する歯）の急な傾斜の、直立した、及び／又は略垂直の部分（例えば、第２の部分）４１に接触させることができ、それによりつめ３６を歯３７ｂの第２の部分４１に係合させ、旋回ピン３４が旋回軸ＰＡを中心として、さらに第２の方向に、第２の歯３７ｂにより規定された所定のポイントを超えて回転することを略防ぐ。一実施形態によると、旋回ピン３４は旋回軸ＰＡを中心として、２つの隣接する歯（例えば、歯３７ａ、３７ｂ）により規定された領域４３内で略自由に回転することができる。領域４３は凹部であるとも考えられ得る。
【００３３】
[00148]  当然のことながら、本明細書で説明された任意の実施形態では、歯間の間隔は、図に示されたものより大きくても及び／又は小さくてもよく、これは、カートリッジヘッドについてより大きい回転度及び／又はより小さい回転度を可能にする。
【００３４】
[00149]  シェービング剃刀１０は、抵抗旋回機構を任意選択的に含み得る。抵抗旋回機構は、複数の側／面の１つを選択するためにユーザがブレードカートリッジ２２を、旋回軸ＰＡを中心として回転させることと、ブレードカートリッジ２２が、ユーザの皮膚輪郭に従うために、剃刀の正常な使用中に選択されたブレード／面位置にあると同時に所定の回転範囲内で回転することとを可能にするように構成され得る。一実施形態によると、抵抗旋回機構は、ブレードカートリッジ旋回付勢機構９０（例えば、限定するものではないが、付勢ピン９２）及び／又はブレードカートリッジ回転リミッタ３５（例えば、限定するものではないが、つめ３６及び複数の歯３７））を含み得る。付勢ピン９２は、つめ３６が歯３７ｂの略垂直の部分４１に接するように、ブレードカートリッジ２２を第２の方向（例えば、図示の実施形態では方向Ｒ１に）に付勢し、それにより、ブレードカートリッジ２２の、第２の方向（例えば、Ｒ１）の回転を制限するように構成されてもよい。付勢ピン９２は、本明細書で説明されるとおり、付勢ピン９２がブレードカートリッジ２２から外れるように移動する場合を除いて、ブレードカートリッジ２２が旋回軸ＰＡを中心として所定のポイントを超えて第１の方向（例えば、方向Ｒ２）に回転することも略防ぐ。
【００３５】
[00150]  図５及び図７を参照すると、シェービング力Ｆｓｕはユーザにより第１の方向（例えば、Ｒ２）に加えられてもよく、この力は、ブレードカートリッジ２２（従って旋回ピン／シリンダ３４）を付勢ピン９２のばね力に対して第１の方向（例えば、Ｒ２）に回転させ、つめ３６を歯３７ｂの略垂直の部分４１から離して移動させる。力Ｆｓｕが低下する／除去されると、付勢ピン９２の力（例えば、抵抗力Ｆｒｅｓ）は、旋回ピン／シリンダ３４を初期始動位置に向かって戻すように移動させる（例えば、つめ３６が歯３７ｂの略垂直の部分４１に当接／接触する）。
【００３６】
[00151]  異なる面（例えば、面１４０又は面１５６のいずれか）を選択するためにブレードカートリッジ２２を回転させるため、本明細書で説明されるとおり、ユーザは付勢ピン９２を格納してブレードカートリッジ２２の経路から出すことができ、次いでブレードカートリッジ２２を第１の方向（例えば、方向Ｒ２）に回転させることができ、それにより、つめ３６を歯３７ａから外れるように弾性的に変形させ、かつ旋回ピン３４が引き続き旋回軸ＰＡを中心として第１の方向に回転する（例えば、Ｒ２）ことを可能にする。ユーザが付勢ピン９２を解放すると、付勢ピン９２はブレードカートリッジ２２を第２の方向（例えば、Ｒ１）に、つめ３６が歯３７の略垂直の部分４１に接触するまで付勢する。従って、ブレードカートリッジ２２の、旋回軸ＰＡを中心とする回転は、つめ３６に隣接する２つの歯３７間の領域に略限定される。
【００３７】
[00152]  ここでも同様に、当然のことながら、旋回ピン３４及びレセプタクル３２に対するつめ３６及び歯３７の配置構成は切り替えることができ、結果として、歯３７の配置構成（すなわち、第１及び第２の部分３９、４１の向き）並びにつめ３６の傾斜は切り替えられ得る。追加的に、歯３７の配置構成（すなわち、第１及び第２の部分３９、４１の向き）並びにつめ３６の傾斜は、いずれの方向（例えば、Ｒ１又はＲ２）に付勢ピン９２がブレードカートリッジ２２を付勢するように構成されているかに依存して切り替えられ得る。例えば、図５及び図７に示された実施形態では、付勢ピン９２は、ブレードカートリッジ２２を第２の方向（例えば、方向Ｒ１）に付勢するように構成されている。しかし、本明細書で説明された他の実施形態では（例えば、図３及び図８を参照されたい）、付勢ピン９２は、ブレードカートリッジ２２を第１の方向（例えば、方向Ｒ２）に付勢するように構成されており、歯３７の第１及び第２の部分３９、４１の向き並びにつめ３６の傾斜は、図５及び図７に示されたものから切り替えられ得る。
【００３８】
[00153]  例えば、図８を参照すると、旋回ピン３４の、旋回軸ＰＡを中心として第１の方向への（例えば、図示の実施形態では方向Ｒ２への）回転は、つめ３６を第１の歯３７ａの急な傾斜の、直立した、及び／又は略垂直の部分（例えば、第２の部分）４１に接触させることができ、それによりつめ３６を第１の歯３７ａの第２の部分４１に係合させ、かつ旋回ピン３４が旋回軸ＰＡを中心として第１の方向（例えば、Ｒ２）に、第１の歯３７ａにより規定された所定のポイントを超えてさらに回転することを略防ぐ。反対に、旋回ピン３４の、旋回軸ＰＡを中心とした第２の方向の（例えば、図示の実施形態では方向Ｒ１の）回転は、つめ３６を第２の歯３７ｂ（例えば、隣接する歯）の穏やかに傾斜した先細、曲線、凸状、凹状、及び／又は弓形の部分（例えば、第１の部分）３９に接触させることができ、それによりつめ３６を第２の歯３７ｂから外れるように弾性的に変形させ（例えば、図示の実施形態では略半径方向内向きに変形させ）、旋回ピン３４が旋回軸ＰＡを中心として第２の方向に引き続き回転することを可能にする。一実施形態によると、旋回ピン３４は、旋回軸ＰＡを中心として、２つの隣接する歯（例えば、歯３７ａ、３７ｂ）により規定された領域４３内で略自由に回転し得る。
【００３９】
[00154]  付勢ピン９２は、つめ３６が歯３７ａの略垂直の部分４１に接触し、それによりブレードカートリッジ２２の第１の方向（例えば、Ｒ２）の回転を制限するように、ブレードカートリッジ２２を第１の方向に（例えば、図示の実施形態では方向Ｒ２に）付勢するように構成され得る。本明細書で説明されるとおり、付勢ピン９２がブレードカートリッジ２２から外れるように移動する場合を除いて、付勢ピン９２は、ブレードカートリッジ２２が旋回軸ＰＡを中心として所定のポイントを超えて第２の方向（例えば、方向Ｒ１）に回転することも略防ぐことができる。
【００４０】
[00155]  剃刀１０の使用中、シェービング力Ｆｓｕがユーザにより第２の方向（例えば、Ｒ１）にかけられることができ、これはブレードカートリッジ２２（従って旋回ピン／シリンダ３４）を付勢ピン９２のばね力に抗して第２の方向（例えば、Ｒ１）に回転させ、つめ３６を歯３７ａの略垂直の部分４１から離して移動させる。力Ｆｓｕが低下する／除去されると、付勢ピン９２の力（例えば、付勢ピン９２の抵抗力Ｆｒｅｓ）は、旋回ピン／シリンダ３４を初期始動位置に向かって戻すように移動させる（例えば、つめ３６が歯３７ａの略垂直の部分４１に当接／接触している）。
【００４１】
[00156]  異なる面（例えば、面１４０又は面１５６のいずれか）を選択するためにブレードカートリッジ２２を回転させるため、本明細書で説明されるとおり、ユーザは付勢ピン９２を格納してブレードカートリッジ２２の経路から出すことができ（例えば、図４を参照されたい）、次いでブレードカートリッジ２２を第２の方向（例えば、方向Ｒ１）に回転させることができ（図８）、それによりつめ３６を歯３７ｂから外れるように弾性的に変形させ、旋回ピン３４が引き続き旋回軸ＰＡを中心として第２の方向（例えば、Ｒ１）に回転することを可能にする。ユーザが付勢ピン９２を解放すると、付勢ピン９２はブレードカートリッジ２２を、つめ３６が歯３７の略垂直の部分４１に接触するまで第１の方向（例えば、Ｒ２）に付勢する。従って、ブレードカートリッジ２２の、旋回軸ＰＡを中心とする回転は、つめ３６に隣接する２つの歯３７間の領域に略限定される。
【００４２】
[00157]  ここで図９及び図１０を参照すると、抵抗旋回機構の別の実施形態が概略的に示されている。抵抗旋回機構は、ブレードカートリッジ旋回付勢機構９０（例えば、限定するものではないが、付勢ピン９２）及び／又はブレードカートリッジ回転リミッタ３５（例えば、限定するものではないが、つめ／コイル状つめ３６及び複数の歯３７）を含み得る。図示の実施形態では、弾性的に変形可能なコイル状つめ３６が旋回ピン３４から略半径方向外向きに延在し、レセプタクル３２は旋回ピン３４に向かって略半径方向内向きに延在する複数の歯３７を含む。しかし、当然のことながら、旋回ピン３４及びレセプタクル３２に対するコイル状つめ３６及び歯３７の配置構成は切り替えられ得、及びコイル状つめ３６はレセプタクル３２から略半径方向内向きに延在することができ、歯３７は旋回ピン３４から略半径方向外向きに延在し得る。
【００４３】
[00158]  つめ３６の末端部が歯３７ａの略垂直の部分４１に接触し（図１０）、それによりブレードカートリッジ２２の第２の方向（例えば、Ｒ１）への回転を制限するように、付勢ピン９２はブレードカートリッジ２２を第２の方向（例えば、図示の実施形態では方向Ｒ１に）に付勢するように構成され得る。付勢ピン９２は、本明細書で説明されるとおり付勢ピン９２がブレードカートリッジ２２から外れるように移動する場合を除いて、ブレードカートリッジ２２が旋回軸ＰＡを中心として所定のポイントを超えて第１の方向（例えば、方向Ｒ２）に回転することも略防ぎ得る。
【００４４】
[00159]  剃刀１０の使用中、シェービング力Ｆｓｕがユーザにより第２の方向（例えば、Ｒ１）にかけられてもよく、これは、ブレードカートリッジ２２（従って旋回ピン／シリンダ３４）をコイル状つめ３６のばね力に抗して第２の方向（例えば、Ｒ１）に回転させる。力Ｆｓｕが低下する／除去されると、コイル状つめ３６の力（例えば、コイル抵抗力Ｆｒｅｓ）は、旋回ピン／シリンダ３４を初期始動位置に向かって戻すように移動させる（例えば、付勢ピン９２及びコイルつめ３６の力が実質的に等しい）。
【００４５】
[00160]  ユーザは、シェービング力Ｆｓｕを第１の方向（例えば、Ｒ２）にかけることもでき、ブレードカートリッジ２２（従って旋回ピン／シリンダ３４）を付勢ピン９２のばね力に対して第１の方向（例えば、Ｒ２）に回転させ、つめ３６を歯３７ａの略垂直の部分４１から離して任意選択的に移動させることができる。力Ｆｓｕが低下する／除去されると、付勢ピン９２の力（例えば、抵抗力Ｆｒｅｓ）は、旋回ピン／シリンダ３４を初期始動位置に向かって戻すように移動させる（例えば、付勢ピン９２の力及びコイルつめ３６が実質的に等しい）。
【００４６】
[00161]  異なる面（例えば、面１４０又は面１５６のいずれか）を選択するためにブレードカートリッジ２２を回転させるため、本明細書で説明されるとおり、ユーザは付勢ピン９２を格納してブレードカートリッジ２２の経路から出すことができ（例えば、図４を参照されたい）、次いでブレードカートリッジ２２を第２の方向（例えば、方向Ｒ１）に回転させることができ、それによりコイル状つめ３６を歯３７ａから外れるように弾性的に変形させ、旋回ピン３４旋回軸ＰＡを中心として第２の方向（例えば、Ｒ１）に引き続き回転することを可能にする。ユーザが付勢ピン９２を解放すると、コイル状つめ３６の末端部が歯３７の略垂直の部分４１に接触するまで、付勢ピン９２はブレードカートリッジ２２を第２の方向（例えば、Ｒ１）に付勢する。従って、ブレードカートリッジ２２の、旋回軸ＰＡを中心とする回転は、つめ３６に隣接する２つの歯３７間の領域に略限定される（すなわち位置により制御される）。
【００４７】
[00162]  付勢ピン９２及びコイルつめ３６は、図９及び図１０では、ブレードカートリッジ２２をそれぞれ方向Ｒ１及びＲ２に付勢するものとして示されるが、当然のことながら、付勢ピンはブレードカートリッジ２２を方向Ｒ２に付勢するように構成されてもよく、コイルつめ３６は、ブレードカートリッジ２２を方向Ｒ１に付勢するように構成されてもよく）、歯３７の向きも切り替えられてよい。当業者であれば、本開示に照らしてそのような修正形態を理解する。
【００４８】
[00163]  ここで図１１及び図１２を参照すると、抵抗旋回機構のなお別の実施形態が概略的に示されている。抵抗旋回機構は、ブレードカートリッジ旋回付勢機構９０とブレードカートリッジ回転リミッタ３５とを含み得る。本明細書で述べられるとおり、複数の側／面の１つを選択するために、かつブレードカートリッジ２２が、ユーザの皮膚輪郭に従うために、剃刀の正常な使用中に選択されたブレード／面位置にあると同時に所定の回転範囲内で回転することを可能にするために、抵抗旋回機構は、ユーザがブレードカートリッジ２２（明確にするために旋回ピン／シリンダ３４のみが示されている）を、旋回軸ＰＡを中心として回転させることを可能にするように構成される。
【００４９】
[00164]  図示の実施形態では、ブレードカートリッジ旋回付勢機構９０及びブレードカートリッジ回転リミッタ３５は、アーム３０に結合された第１の端と、付勢された旋回シリンダ２０２を、旋回軸ＰＡを中心として第１の方向（例えば、回転方向Ｒ２）に付勢するように構成された第２の端と、を有する付勢デバイス２００（例えば、限定するものではないが、ねじりばねなど）を含み得る。付勢された旋回シリンダ２０２はつめ２０４を含む。つめ又は弾性つめ２０４は、付勢された旋回シリンダ２０２から略半径方向外向きに延在し得る。付勢された旋回シリンダ２０２のつめ２０４が（旋回ピン／シリンダ３４から略半径方向内向きに延在するように構成され得る）第１の歯２０６Ａに係合するように、付勢デバイス２００は、付勢された旋回シリンダ２０２を第１の方向（例えば、Ｒ２）に付勢することができ、それにより旋回ピン／シリンダ３４を第１の方向（例えば、Ｒ２）に付勢し、（旋回ピン／シリンダ３４から略半径方向外向きに延在するように構成され得る）１つ又は複数の旋回シリンダ止め部材２０７、２０９をアーム３０のそれぞれ１つ又は複数のアーム止め部材２０８、２１０に係合させる。アーム止め部材２０８、２１０との旋回シリンダ止め部材２０７、２０９の係合は、旋回ピン／シリンダ３４（従ってブレードカートリッジ２２）の第１の方向（例えば、Ｒ２）への回転を略制限する一方、ブレードカートリッジ２２は第１のブレード面位置（例えば、剃刀１０のユーザにより使用されるように作動可能である、ブレードカートリッジ２２の第１の面に対応する、ハンドル６０に対するブレードカートリッジ２２の位置）で設定される。例えば、アーム止め部材２０８、２１０との旋回シリンダ止め部材２０７、２０９の係合は、第１のブレード位置で設定する一方、ブレードカートリッジ２２の初期始動位置を略設定する。
【００５０】
[00165]  剃刀１０の使用中、シェービング力Ｆｓｕがユーザにより第２の方向（例えば、Ｒ１）にかけられ、これはブレードカートリッジ２２（従って旋回ピン／シリンダ３４）を付勢デバイス２００のばね力に抗して第２の方向（例えば、Ｒ１）に回転させ、旋回シリンダ止め部材２０７、２０９をそれぞれアーム止め部材２０８、２１０から離して移動させる。力Ｆｓｕが低下する／除去されると、付勢デバイス２００の力（例えば、抵抗力Ｆｒｅｓ）は、旋回ピン／シリンダ３４を初期始動位置に向かって戻すように移動させる（図１１に示されるとおり）。
【００５１】
[00166]  ブレードカートリッジ２２を別のブレード面位置（例えば、ブレードカートリッジ２２の他の面の１つに対応する第２又は第３のブレード面位置）に回転させるため、ユーザは回転力Ｆｒをブレードカートリッジ２２に第１の方向（例えば、Ｒ２）にかけ、それにより旋回シリンダ止め部材２０７、２０９を、旋回シリンダ止め部材２０７、２０９がこの場合もそれぞれアーム止め部材２０８、２１０と接触するまで、それぞれアーム止め部材２０８、２１０上で変形させる。追加的に、回転力Ｆｒは、つめ２０４が歯２０６Ｂ上で変形し、つめ２０４が歯２０６Ｂの略垂直／直線の部分と接触するまで、付勢された旋回シリンダ２０２を、旋回軸ＰＡを中心としてわずかに回転させる。従って、ブレードカートリッジ２２は、ブレードカートリッジ２２の反対側の面がユーザにより用いられ得るようにおよそ１８０度回転され得る。
【００５２】
[00167]  当然のことながら、図１１〜図１２は、ユーザがブレードカートリッジ２２の２つの面の間から選択することを可能にするように構成された抵抗旋回機構を示す一方、抵抗旋回機構は、ユーザがブレードカートリッジ２２の３つ以上の面の間から選択することを可能にするように構成されてもよい。特に、支持アーム３０は、旋回シリンダ止め部材２０７、２０９がアーム止め部材２０８、２１０の１つ又は複数と、第１、第２、及び少なくとも第３の初期始動位置に対応する位置で接触し得るように離間された止め部材２０８、２１０を含み得る。第１、第２、及び少なくとも第３の初期始動位置は、ブレードカートリッジ２２の第１、第２、及び少なくとも第３の面にそれぞれ対応する。追加的に（又は代替的に）、当然のことながら、回転力Ｆｒは、旋回シリンダ止め部材２０７、２０９がこの場合もそれぞれアーム止め部材２０８、２１０と接触するまで、アーム止め部材２０８、２１０をそれぞれ旋回シリンダ止め部材２０７、２０９上で変形させ得る。従って、アーム止め部材２０８、２１０及び／又は旋回シリンダ止め部材２０７、２０９のいずれかは、弾性的に変形可能であり得る。さらに、当然のことながら、旋回ピン／シリンダ３４及び／又は付勢された旋回シリンダ２０２は、旋回ピン／シリンダ３４及び／又は付勢された旋回シリンダ２０２を互いに及び／又は支持アーム３０におけるレセプタクルに対して整列させるように構成された軸受表面（明確にするために図示されない）を含み得る。
【００５３】
[00168]  図１３及び図１４を参照すると、抵抗旋回機構のさらなる実施形態が概略的に示されている。抵抗旋回機構は、ユーザが、複数の側／面の１つを選択するためにブレードカートリッジ２２（明確にするために旋回ピン／シリンダ３４のみが示されている）を、旋回軸ＰＡを中心として回転させることを可能にし、かつブレードカートリッジ２２が、ユーザの皮膚輪郭に従うために、剃刀の正常な使用中に選択されたブレード／面位置にあると同時に所定の回転範囲内で回転することを可能にする。
【００５４】
[00169]  抵抗旋回機構は、アーム３０のレセプタクル３２から略半径方向内向きに延在するように構成された少なくとも１つのつめ又は弾性つめ２２０を含み得る。旋回ピン／シリンダ３４は、つめ２２０の末端部２２４を受けるように構成された複数の凹部２２２を含み得る。一実施形態によると、つめ２２０の末端部２２４は、凹部２２２Ａに対してつめ２２０を保持することに役立つように、凹部２２２Ａの一部に略対応する形状を有し得る。例えば、凹部２２２Ａが末端部２２４におよそ等しい直径を有する略半球状の形状を有する部分２２６を含み得る一方、末端部２２４は略球状の形状を有してもよい。凹部２２２の場所は、それぞれブレードカートリッジ２２の複数の面の１つに対応し得る。従って、２つのみの凹部２２２Ａ、２２２Ｂが示されているが、旋回ピン／シリンダ３４は、ブレードカートリッジ２０の３つ以上の面に対応する３つ以上の凹部２２２を含み得ることが認められ得る。
【００５５】
[00170]  当然のことながら、本明細書で説明された任意の実施形態では、つめの長さ及び／又は凹部の深さ及び／又は幅は、図に示されたものより大きくてもよく及び／又はより小さくてもよく、これは、カートリッジヘッドにとっての所定の回転範囲内でのより大きい回転度及び／又はより小さい回転度を可能にする。
【００５６】
[00171]  認められ得るとおり、凹部の設計との組合せにおけるつめの長さ及び可撓性／剛性は、選択された面に対応する初期始動位置に対するブレードカートリッジの回転度（例えば、所定の回転範囲）を決定し得る。
【００５７】
[00172]  図１５を参照すると、図１３及び図１４の抵抗旋回機構の変形形態が概略的に示されている。図１５の抵抗旋回機構は、図１３及び図１４のものと同様であるが、つめ２２０は、旋回ピン／シリンダ３４から略半径方向外向きに延在するように構成され、アーム３０に形成された複数の凹部２２２の選択された１つと係合するように構成されている。
【００５８】
[00173]  実際には（図１３〜図１５）、ユーザは、ブレードカートリッジ２２の望ましい面がハンドル６０に対して適切な位置にあるようにブレードカートリッジ２２（従って旋回ピン／シリンダ３４）を回転させることができる。この方向付けられた位置にあると、つめ２２０の末端部２２４は凹部２２２Ａ（例えば、限定するものではないが、保持部分２２６）に受けられ得る。この配置構成は初期始動位置として規定され得る。シェービング力Ｆｓｕがブレードカートリッジ２０（従って旋回ピン／シリンダ３４）に加えられると、つめ２２０が、ブレードカートリッジ２２をシェービング力Ｆｓｕの反対方向に、略初期始動位置に向かって付勢するブレードカートリッジ２２に抗する抵抗力Ｆｒｅｓを加える。従って、ブレードカートリッジ２２は、初期始動位置に対してある範囲内で旋回軸ＰＡを中心として回転することができる。
【００５９】
[00174]  ブレードカートリッジ２２が初期始動位置に対して旋回軸ＰＡを中心として回転し得る度合いは、意図された使用に依存し得る。例えば、ブレードカートリッジ２２は、初期始動位置に対して旋回軸ＰＡを中心としておよそ５度〜およそ９０度の範囲及びその中の任意の範囲内で回転し得る。別の実施形態によると、ブレードカートリッジ２２は、初期始動位置に対して旋回軸ＰＡを中心としておよそ５度〜６０度の範囲内及びその中の任意の範囲で回転し得る。なお別の実施形態によると、ブレードカートリッジ２２は、初期始動位置に対して旋回軸ＰＡを中心としておよそ５度〜およそ２５度の範囲及びその中の任意の範囲内で回転し得る。なおさらなる実施形態によると、ブレードカートリッジ２２は、初期始動位置に対して旋回軸ＰＡを中心としておよそ５度〜およそ１５度の範囲及びその中の任意の範囲内で回転し得る。
【００６０】
[00175]  ブレードカートリッジ２２を別のブレード面位置（例えば、ブレードカートリッジ２２の他の面の１つに対応する第２又は第３のブレード面位置）に回転させるため、ユーザは回転力Ｆｒをブレードカートリッジ２２に第１の方向（例えば、Ｒ１又はＲ２）にかけ、それにより、旋回ピン／シリンダ３４（図１３〜図１５）を、つめ２２０が初期凹部２２２Ａから出るように弾性的に変形するまで第１の方向（例えば、Ｒ１又はＲ２）に回転させる。旋回ピン／シリンダ３４及び／又はアーム３０は、旋回ピン／シリンダ３４が旋回軸ＰＡを中心として回転するとつめ２２０が入り得る１つ又は複数の溝、スロット、空洞など２２８（図１４及び図１５）を任意選択的に含み得る。ユーザは、ブレードカートリッジ２２の面がハンドル６０に対して望ましい場所になるまでブレードカートリッジ２２を引き続き回転させる。望ましい場所になると、つめ２２０（例えば、つめ２２０の末端部２２４）は対応する凹部２２２Ｂに受けられる。
【００６１】
[00176]  認められ得るとおり、凹部２２２（図１３〜図１５）の１つ又は複数は略凹状構成を有し得る。より具体的には、凹部２２２の側部２３０Ａ、２３０Ｂは、略下方に及び／又は旋回軸ＰＡに向かって内向きへ傾斜するか先細であってもよく、それによりつめ２２０が凹部２２２に入る際により滑らかな移行を提供する。代替的に、図示されないが、凹部２２２（図１３〜図１５）の１つ又は複数は、略垂直の、直立した、及び／又は凸状の構成を有してもよく、それにより、つめ２２０を凹部２２２から出すように変形するために必要な力の量を増加させる。この構成は、つめ２２０が凹部２２２内に位置したままとなることを確保しつつ、つめ２２０の剛性をより低くすることを可能にし得る。
【００６２】
[00177]  ここで図１６Ａを参照すると、抵抗旋回機構の別の実施形態が概略的に示されている。抵抗旋回機構は図１３及び図１４のものと同様であってもよいが、（旋回ピン／シリンダ３４に形成された）凹部２２２の１つ又は複数は、１つ又は複数の弾性的に変形可能なフラップ２５０を含むことができ、弾性つめ２２０はばね２５４を任意選択的に含むことができる。図１６Ｂは図１６Ａと同様であるが、つめ２２０は、アーム３０のレセプタクル３２から延在し、かつ末端部２２４で終端するばね２５４を含む。つめ２２０の末端部２２４は、凹部２２２Ａに対してつめ２２０を保持することに役立つように凹部２２２Ａの一部に略対応する形状を有し得る。例えば、末端部２２４は、略球状及び／又は楕円の形状を有し得るが、凹部２２２Ａは、末端部２２４におよそ等しい直径を有する略半球状及び／又は楕円の形状を有する部分２２６を含み得る。図１７Ａ及び図１７Ｂは、それぞれ図１６Ａ及び図１６Ｂと同様であるが、凹部２２２が支持アーム３０に形成され、弾性つめ２２０が旋回ピン／シリンダ３４から延在する図１５の抵抗旋回機構に基づく。
【００６３】
[00178]  図１６Ａ〜図１７Ｂを参照すると、弾性的に変形可能なフラップ２５０は、凹部２２２の開口の少なくとも一部にわたって延在する。例えば、弾性的に変形可能なフラップ２５０は、凹部２２２の一部及び／又は凹部２２２を囲む領域の一部から延在し得る。第１及び第２の弾性的に変形可能なフラップ２５０ａ、２５０ｂは、凹部２２２の開口にわたって部分的に延在し得、かつ変形可能な開口２５２を規定し得る。弾性的に変形可能なフラップ２５０ａ、２５０ｂは、つめ２２０の末端部２２４が変形可能な開口２５２を通過し得、かつ凹部２２２に少なくとも部分的に受けられるように弾性的に変形するように構成され得る。弾性的に変形可能なフラップ２５０は、つめ２２０の末端部２２４を凹部２２２において保持することに役立ち得る。
【００６４】
[00179]  一実施形態によると、弾性つめ２２０のシャフトの少なくとも一部は、ねじりばね、例えば、限定するものではないが、コイルばねなどのばね２５４を任意選択的に含み得る。ばね２５４は、凹部２２２及び／又は弾性的に変形可能なフラップ２５０に係合するように構成されてもよく、回転力をかけると、その中でブレードカートリッジ２２が回転する所定の回転範囲が増加することを可能にし得る。
【００６５】
[00180]  例えば、弾性的に変形可能なフラップ２５０は、弾性つめ２２０の末端部２２４を保持することに役立ち得、これは同様にばね２５４に係合し得る。ユーザが十分な回転力Ｆｒをブレードカートリッジ２２にかけると、ばね２５４は、「最大限に達する」ことができ、弾性的に変形可能なフラップ２５０を通じて弾性つめ２２０を引き、本明細書で説明されるとおりブレードカートリッジ２２は新たな面を選択するために回転され得る。
【００６６】
[00181]  ここで図１８〜図２０を参照すると、抵抗旋回機構のなおさらなる実施形態が概略的に示されている。特に、図１８は、本開示の少なくとも１つの実施形態と合致する使い捨てヘッド組立体２０の一実施形態を概略的に示し、図１９は図１８の線１９−１９に沿った断面であり、図２０は図１９の線２０−２０に沿った断面である。当然のことながら、図１８に示された使い捨てヘッド組立体２０は例示目的でのみ提供され、本明細書で説明された任意の剃刀１０及び／又は使い捨てヘッド組立体２０とともに抵抗旋回機構が使用され得る。
【００６７】
[00182]  図１９及び図２０を参照すると、抵抗旋回機構は図１３〜図１７Ｂと同様であり得るが、１つ又は複数の凹部３２２がブレードカートリッジ２２に形成され、１つ又は複数の弾性的に変形可能なつめ３２０が、ブレードカートリッジ２２の一部（例えば、空洞又は凹部）３１０内に凹んでいる（例えば、皿穴が設けられている）アーム３０の一部に形成される。本明細書で説明されるとおり、つめ３２０は、本明細書で説明された任意のつめ構成を含み得る。（空洞３１０内に形成され得る）凹部３２２は、本明細書で説明された任意の凹部構成を含み得、かつブレードカートリッジ２２の面（例えば、１４０、１５６など）の１つ又は複数に略対応するように配置され得る。つめ３２０は、ブレードカートリッジ２２が所定の回転範囲内で移動することを可能にするために凹部３２２内に係合され得る。例えば、つめ３２０は、凹部３２２内で屈曲し得る。代替的に（又は加えて）、つめ３２０は凹部３２２内で移動することができ、凹部３２２のサイズは所定の回転範囲を（少なくとも部分的に）規定し得る。図２１及び図２２は図１９及び図２０と同様であるが、つめ３２０はブレードカートリッジ２２の一部（例えば、空洞又は凹部）３１０から延在し、凹部３２２はブレードカートリッジ２２の空洞３１０の一部に形成される。
【００６８】
[00183]  ここで図２３及び図２４を参照すると、抵抗旋回機構のなおさらなる実施形態が概略的に示されている。抵抗旋回機構は、本明細書で概して説明されたとおり、１つ又は複数のつめ４２０と凹部４２２とを含み得る。例えば、図２３に概略的に示されたとおり、１つ又は複数のつめ４２０はアーム３０から延在することができ、１つ又は複数の凹部４２２は、ブレードカートリッジ２２の空洞４１０の一部に形成され得る。代替的に（又は加えて）、図２４に概して示されたとおり、１つ又は複数のつめ４２０はブレードカートリッジ２２の空洞４１０の一部から延在することができ、１つ又は複数の凹部４２２は、アーム３０の一部に形成され得る。しかし、つめ４２０及び／又は凹部４２２の１つ又は複数は、本明細書で説明されるとおり、ブレードカートリッジ２２及び／又は旋回アーム３４上のいずれの箇所にも位置し得ることが認められ得る。
【００６９】
[00184]  抵抗旋回機構は、ブレードカートリッジ２２の少なくとも一部内を移動するように構成された１つ又は複数のバラストデバイス４５０も含み得る。例えば、バラストデバイス４５０は、ブレードカートリッジ２２内に規定された１つ又は複数の通路４５２内を摺動するように構成され得る。通路４５２は、旋回アーム３４に略垂直に延在し得る。バラストデバイス４５０は、概略的に示されるとおり、ブレードカートリッジ２２を略初期始動位置に向かって付勢するように構成され得る。ブレードカートリッジ２２の作用面（すなわち、例えば剃るためにユーザにより使用されている面）は、ハンドル６０の長手方向軸Ｌに対して一般におよそ１０〜３０度の角度Ｉである初期始動位置に配置され得る。
【００７０】
[00185]  例えば、バラストデバイス４５０の重量は、図２３及び図２４に概略的に示されたとおり、つめ４２０が凹部４２２の一部に係合するまでブレードカートリッジ２２を略矢印Ｋの方向に付勢し得る。ブレードカートリッジ２２は、凹部４２２内を矢印Ｋの略反対方向に移動することができ、バラストデバイス４５０はブレードカートリッジ２２を略初期始動位置に向かって付勢する。
【００７１】
[00186]  ブレードカートリッジ２２を別の面へ回転させるため、ユーザはブレードカートリッジ２２を、本明細書で概して説明されたとおり、つめ４２０が別の凹部４２２に係合するまでハンドル６０に対して回転させる。ブレードカートリッジ２２の角度Ｉがハンドル６０に対して９０度を超えると、バラストデバイス４５０はブレードカートリッジ２２の他の側へ摺動し得る。従って、バラストデバイス４５０は、ブレードカートリッジ２２を概ね新たな初期始動位置に向かっていつでも付勢することができる。
【００７２】
[00187]  当然のことながら、１つのバラストデバイス４５０が示されているが、抵抗旋回機構は複数のバラストデバイス４５０を含み得る。追加的に、単一のバラストデバイス４５０が通路４５２に示されているが、当然のことながら、複数のバラストデバイス４５０が１つ又は複数の通路４５２内に配置されてもよい。さらに、抵抗旋回機構はつめと凹部とともに概略的に示されているが、当然のことながら、凹部は１つ又は複数の歯又は１つ又は複数の弾性的に変形可能なつめにより規定され得る。
【００７３】
[00188]  ここで図２５〜図２７を参照すると、ヒンジ７４を有する剃刀１０の別の実施形態が概略的に示されている。図２５〜図２７の剃刀１０は当業者に既知の任意のブレードカートリッジと使用されてもよいが、図２５〜図２７の剃刀１０は、第１のシェービング方向Ｄ１に切断するように整列された少なくとも１つの剃刀１４２と、第２のシェービング方向Ｄ２に切断するように整列された少なくとも１つの剃刀１４２と、を備えた少なくとも１つの面１４０を有するブレードカートリッジ２２（例えば、限定するものではないが、図３７に概略的に示されたブレードカートリッジ２２）に特に有用であり得る。
【００７４】
[00189]  図２５を参照すると、剃刀１０の側面図が示されている。ハンドル６０は、１つ又は複数のヒンジ７４により第２の（末端）シャフト部分７７に結合された第１の（基端）シャフト部分７５を含む。ヒンジ７４は、当業者に既知の任意のヒンジ機構を含み得、かつユーザが第２のシャフト部分７７に対する第１のシャフト部分７５（例えば、ハンドル６０に対するヘッド組立体２０）の相対的位置を略係止しかつ／又は固着させることを可能にするように構成された係止機構など（例えば、限定するものではないが、係止つめ、ラチェット機構など）を含み得る。
【００７５】
[00190]  例えば、ヒンジ７４は、第１のシャフト部分７５が、図２５に示された位置から図２６に示された位置へ、略アークＳの方向に沿っておよそ９０度揺動することを可能にするように構成され得る。ヒンジ７４は、第１のシャフト部分７５が、ヘッド組立体２０の剃刀ブレード１４２の１つ又は複数の切れ刃１５１の切れ刃軸ＣＥに略垂直な方向（例えば、平面又は軸）に揺動することを可能にすることが認められ得る。
【００７６】
[00191]  ハンドル６０（例えば、第１のシャフト部分７５）及び／又は支持ハブ５０は、スイベル又はピボット１７７であって、ユーザがブレードカートリッジ２２を、ヘッド組立体２０の剃刀ブレード１４２の１つ又は複数の切れ刃１５１の切れ刃軸ＣＥが図２７に概略的に示されたとおりハンドル６０の長手方向軸Ｌに略平行に整列されるように、第１のシャフト部分７５及び／又は支持ハブ５０の長手方向軸Ｌｈに略平行な軸においておよそ９０度手動で旋回又は回転させることを可能にするように構成されたスイベル又はピボット１７７を任意選択的に含み得る。スイベル１７７は、当業者に既知の任意のスイベル又は旋回機構を含み得、かつ例えば、ユーザが第１のシャフト部分７５及び／又は支持ハブ５０に対するブレードカートリッジ２２の相対的位置を略係止しかつ／又は固着させることを可能にするように構成された係止機構（例えば、限定するものではないが、係止つめ、ラチェット機構など）を含み得る。
【００７７】
[00192]  上述のとおりのヒンジ７４とスイベル１７７とを有する（及び限定するものではないが、本明細書で図３７に概して図示及び説明されたとおりのブレードカートリッジを任意選択的に含む）剃刀１０は、ユーザの頭及び／又は身体を剃るのに特に有用であり得る。特に、ヘッド組立体２０の剃刀ブレード１４２の１つ又は複数の切れ刃１５１の切れ刃軸ＣＥを図２７に概略的に示されたとおりハンドル６０の長手方向軸Ｌに略平行に整列させることは、剃刀ブレード１４２の切れ刃１５１の切れ刃軸ＣＥを図２５に概略的に示されたとおりハンドル６０の長手方向軸Ｌに略垂直に整列させるのと比べて、ユーザの頭及び／又は身体を剃ることを円滑にし得る。
【００７８】
[00193]  図２５〜図２７のブレードカートリッジ２２は、本明細書で説明された任意の抵抗旋回機構を任意選択的に含み得る。そのように具体的に主張されない限り本開示の限界ではないが、ブレードカートリッジ２２は、抵抗旋回機構の任意のもの及び／又は本明細書で説明された抵抗旋回機構の任意の組合せを含み得る。付勢ピン９２を含まない本明細書で説明された抵抗旋回機構は、ヒンジ７４及びスイベル１７７との使用に特に適していることがある。従って、ブレードカートリッジ２２は、図２７に示された位置に配置されると、第２のシャフト部分７７のより近くに位置することができる。
【００７９】
[00194]  ここで図２８及び図２９を参照すると、シェービング剃刀１０は、ブレードカートリッジ中心位置合わせ機構１００を任意選択的に含み得る。ブレードカートリッジ中心位置合わせ機構１００は、支持アーム３０に対してブレードカートリッジ２２を略整列させるように構成され得る。例えば、ブレードカートリッジ中心位置合わせ機構１００は、旋回ピン３４がレセプタクル３２内で回転するときに、旋回ピン３４をレセプタクル３２内で略整列させるように構成され得る。一実施形態によると、旋回ピン３４は、レセプタクル３２の軸受面１０４と略係合するように構成された少なくとも１つの軸受面１０２を含み得る。軸受表面１０２、１０４は旋回ピン３４の回転がレセプタクル３２の中心と略同軸になるような外径及び内径を有し得る。追加的に（又は代替的に）、旋回ピン３４は、ブレードカートリッジ２２を旋回軸ＰＡに沿って（例えば、概略的に示されるとおり左／右に）略整列させるためにレセプタクル３２の肩部領域１０８と略係合するように構成された少なくとも１つの肩部領域１０６を含み得る。
【００８０】
[00195]  ここで図３０Ａを参照すると、少なくとも第１のシェービング側１４０を有するブレードカートリッジ２２の一実施形態が概略的に示されている。第１のシェービング側１４０は少なくとも１つの剃刀ブレード１４２を含む。図示のとおり、第１のシェービング側１４０は複数の剃刀ブレード１４２を含み得る。より詳細には、第１のシェービング側１４０は、１つ又は複数の剃刀ブレード１４２の第１のセット１４４と１つ又は複数の剃刀ブレード１４２の第２のセット１４６とを含み得る。図示の実施形態では、各セット１４４、１４６は３つの剃刀ブレード１４２を有する状態で示されているが、これは具体的にそのように主張されない限り本開示の限界ではなく、各セット１４４、１４６は独立して１つ又は複数のブレードを有し得ることが認められる。本発明の実施形態では、各セット１４４、１４６の全ての剃刀ブレード１４２は第１のシェービングストローク方向Ｄ１に沿って毛を切断するように配置され、セット１４４、１４６は中間皮膚潤滑ストリップ１７６により分離され得る。本明細書で説明されるとおり、セット１４４、１４６における剃刀ブレード１４２は、異なる方向に毛を切断するように任意選択的に配置され得る（例えば、一方のセット１４６が第１のシェービングストローク方向Ｄ１に沿って毛を切断するように構成され得、他方のセット１４４は第２のシェービングストローク方向Ｄ２に毛を切断するように構成され得る）。
【００８１】
[00196]  ブレードカートリッジ２２は、第１のシェービング側剃刀ブレード１４２の周辺部の周りに連続的な外側ハウジング（フレーム）１８８を含んでもよく、これはプラスチック又は金属、例えばステンレス鋼で形成され得る。ブレードカートリッジ２２（例えば、フレーム／ハウジング１８８）は、前エッジ領域１５７、後／後部エッジ領域１５９、第１の側方エッジ領域１６１、及び第２の側方エッジ領域１６３を含み得る。本明細書で使用する際、「前方」及び「後部」という用語は、２つ以上の物体間の相対的位置を定める。剃刀ブレード１４２の「前方」のシェービング補助具は、例えば、シェービングデバイス１０／ブレードカートリッジ２２がその意図された切断方向、ここでは方向Ｄ１に撫でられている限り、剃られることになる皮膚及び／又は毛の表面が、剃刀ブレード１４２に遭遇する前にシェービング補助具に遭遇するように位置付けられる。剃刀ブレード１４２の「後部」のシェービング特徴部は、シェービングデバイス１０／ブレードカートリッジ２２がその意図された切断方向、ここでは方向Ｄ１に撫でられている限り、剃られることになる皮膚及び／又は毛の表面が、剃刀ブレード１４２に遭遇した後でシェービング補助具後部に遭遇するように位置付けられる。追加的に、「側方」という用語は、前及び後部に対して使用される。
【００８２】
[00197]  ブレードカートリッジ２２は、前エッジ領域１５７の少なくとも一部に位置する１つもしくは複数の前方シェービング補助具１６０、及び／又は後／後部エッジ領域１５９の少なくとも一部に位置する１つもしくは複数の後部シェービング補助具１６２を任意選択的に含み得る。例えば、前方シェービング補助具１６０は、方向Ｄ１におけるシェービングストローク中に剃刀ブレード１４２の前（例えば、第１のセット１４４及び／又は第２のセット１４６の前）に位置することができ、一方で、後部シェービング補助具１６２は、方向Ｄ１におけるシェービングストローク中に剃刀ブレード１４２の後ろ（例えば、第２のセット１４６及び／又は第１のセット１４４の後ろ）に位置することができる。
【００８３】
[00198]  ブレードカートリッジ２２は、同様に（又は代替的に）、方向Ｄ１の髭剃りのストローク中、第１のシェービング側剃刀ブレード１４２のそれぞれ第１の（例えば、左）長手方向端部１５０及び対向する第２の（例えば、右）長手方向端部１５２に実質的に隣接して位置する第１の側方（例えば、左）シェービング補助具１６４と第２の側（例えば、右）シェービング補助具１６６とを含み得る。
【００８４】
[00199]  図示のとおり、前方シェービング補助具１６０は、特に第１のシェービング側剃刀ブレード１４２により剃られる皮膚との摩擦係合を提供するために少なくとも１つの皮膚係合ストリップ１７０を含み得る。皮膚係合ストリップ１７０は、複数の可撓性隆起突起部、特にポリマー組成物で形成された、特にエラストマーで形成された可撓性長尺状フィンを含み得る。代替的に又は前述のものに加えて、前方シェービング補助具１６０は、特に第１のシェービング側剃刀ブレード１４２により剃られる皮膚を滑らかにするために少なくとも１つの皮膚潤滑ストリップ１７２を含み得る。
【００８５】
[00200]  代替的に又は前述のものに加えて、後部シェービング補助具１６２は、特に第１のシェービング側剃刀ブレード１４２により剃られた後に皮膚を滑らかにするために少なくとも１つの皮膚潤滑及び／又は保湿ストリップ１７４も含み得る。潤滑及び／又は保湿ストリップ１７４並びに潤滑及び／又は保湿ストリップ１７２及び１７６は、潤滑油、コンディショナ、保湿剤、石鹸、及びジェルの少なくとも１つを含み得る。本明細書で述べられるとおり、潤滑ストリップ１７６は、剃刀ブレード１４２の１４４、１４６の第１及び第２のセット間に配置され得る。潤滑ストリップ１７６は、従って、剃刀ブレード１４２の第２のセット１４４がユーザの皮膚の一部に接触する前に、ユーザの皮膚の、剃刀ブレード１４２の第１のセット１４６により剃られた部分をさらに滑らかにする。
【００８６】
[00201]  代替的に又は前述のものに加えて、前方シェービング補助具１６０、後部シェービング補助具１６２、第１の側方シェービング補助具１６４、及び／又は第２の側方シェービング補助具１６６の１つ又は複数は、それぞれ少なくとも１つのローラーストリップ、１８２、１８４、１８６も含み得る。ローラーストリップ１８０、１８２、１８４、１８６は、皮膚をマッサージし／揉み、かつシェービングの方向に関わらず剃刀ブレードの動きのより速く、より滑らかな移動で剃り易い感じにすることを促進するために複数の玉軸受１９０（例えば、ステンレス鋼）を含み得る。一実施形態によると、ローラーストリップ１８０、１８２、１８４、１８６は、それぞれ前エッジ領域１５７、後／後部エッジ領域１５９、第１の側方エッジ領域１６１、及び第２の側方エッジ領域１６３の少なくとも一部に沿って配置され得る。図示の実施形態では、玉軸受１９０は、フレーム１８８の周辺部の周り全体に位置しかつ互いに極めて近接しているが、当然のことながら、これは具体的にそのように主張されない限り本開示の限界ではなく、玉軸受１９０はフレーム１８８の周辺部の一部のみに沿って（例えば、前エッジ領域１５７、後／後部エッジ領域１５９、第１の側方エッジ領域１６１、及び／又は第２の側方エッジ領域１６３の一部のみの周りに）位置してもよい。
【００８７】
[00202]  ここで図３０Ｂを参照すると、少なくとも第１のシェービング側１４０を有するブレードカートリッジ２２の別の実施形態が概略的に示されている。ブレードカートリッジ２２は、図３０Ａに図示及び説明されたブレードカートリッジ２２と同様であり得るが、前エッジ領域１５７及び／又は後／後部エッジ領域１５９の１つ又は複数は、少なくとも１つの長尺状玉軸受／ローラーピン１９０も含み得る。長尺状玉軸受／ローラーピン１９０は、前及び／又は後／後部エッジ領域１５７、１５９のかなりの部分に沿って（例えば、ブレードカートリッジ２２の実質的に幅全体に沿って）延在し得る。
【００８８】
[00203]  ここで図３１を参照すると、本開示と合致する玉軸受１９０を有するブレードカートリッジ２２の一実施形態の断面図が概略的に示されている。玉軸受１９０は、ブレードカートリッジ２２のフレーム１８８に形成されたレセプタクル（穴）１９２に位置し得る。玉軸受１９０は、レセプタクル１９２に、フレーム１８８の裏側（例えば、ユーザの皮膚に接する、ブレードカートリッジ２２の露出した表面１９３の略反対側の表面）から挿入され得、かつ軸受開口１９４を通って露出され、かつ／もしくは軸受開口１９４を越えて延在する露出部分１９１、及び／又はフレーム１８８の第１のシェービング側１４０の露出表面１９３を含み得る。（当然のことながら、本明細書で説明された玉軸受１９０は第２のシェービング側１５６に配置されてもよい。）レセプタクル１９２は、このとき、レセプタクル１９２内にプレス嵌めされ得る閉鎖具１９６により入口で閉鎖され得る。
【００８９】
[00204]  露出部分１９１は、露出部分１９１がユーザの皮膚に接触し得るように、フレーム１８８の露出表面１９３を越えて延在するように構成され得る。玉軸受１９０の１つ又は複数は、フレーム１８８の軸受開口１９４及び／又は露出表面１９３を通って延在する玉軸受１９０の露出部分１９１の量が変化し得るように、フレーム１８８に対して線Ｂに略沿って（例えば、フレーム１８８の露出表面１９３に略垂直に）可動又は格納可能であり得る。
【００９０】
[00205]  例えば、玉軸受１９０の１つ又は複数は、付勢デバイス１９８（例えば、圧縮、ねじり、又はコイルばね）に据えられ得る。付勢デバイス１９８は、玉軸受１９０を、フレーム１８８の露出表面１９３を越えて略外向きに付勢するように構成され得る。付勢デバイス１９８の反対方向に力が加えられると、玉軸受１９０の露出部分１９１はフレーム１８８の露出表面１９３に対して（例えば、穴１９２内に）格納されてもよく、玉軸受１９０は、線Ｂに略沿って移動してもよい。このような方法において、付勢デバイス１９８は、ユーザの皮膚上での玉軸受１９０の転動を和らげ得る。
【００９１】
[00206]  ここで図３２を参照すると、本開示と合致する玉軸受１９０を有するブレードカートリッジ２２の別の実施形態の断面図が概略的に示されている。図３２に示されるとおり、玉軸受１９０は、図３１に概略的に示されたとおりフレーム１８８の裏側ではなく、ユーザの皮膚に接するブレードカートリッジ２２の露出した表面１９３（例えば、第１のシェービング側１４０）からブレードカートリッジ２２のフレーム１８８に設置され得る。付勢デバイス１９８（例えば、圧縮、ねじり、又はコイルばね）が、第１にフレーム１８８に形成された凹部２００に配置されてもよく、玉軸受１９０が次いでベージングデバイス１９８に据えられてもよい。その後、ハウジング／カバー２０２がプレス嵌めで凹部２００に設置されてもよく（ハウジングユニットを形成する）、ハウジング／カバー２０２は、玉軸受１９０のためのレセプタクル２０４を含み、かつ軸受開口１９４を提供する。
【００９２】
[00207]  ここで図３３を参照すると、本開示と合致する玉軸受１９０を有するブレードカートリッジ２２のなお別の実施形態の断面図が概略的に示されている。玉軸受１９０は、ハウジング／カバー２０２であって、フレーム１８８に形成された凹部２００に摺動するように挿入され、かつフレーム１８８の露出表面１９３の反対側に形成された閉鎖具１９６で固定されたハウジング／カバー２０２に設置されてもよい。フレーム１８８の一部２０１は、フレーム１８８の露出表面１９３がカバー２０２の少なくとも一部にわたって延在するように、略円周方向に周りに延在し得、かつ軸受開口１９４を規定し得る。玉軸受１９０のみを格納することを可能にするのではなく、付勢デバイス１９８及びハウジング／カバー２０２は、玉軸受１９０及びハウジング／カバー２０２の両方が凹部２００内に格納されるように配置され得る。フレーム１８８の部分２０１は、玉軸受１９０及びハウジング／カバー２０２が凹部２００内に格納されるようにカバー２０２にわたって延在し、開口１９４は、フレーム１８８の部分２０１により規定される。
【００９３】
[00208]  図３４〜図３５Ｂを参照すると、それぞれ本開示と合致する玉軸受１９０及び長尺状玉軸受／ローラーピン１９０を有するブレードカートリッジ２２のさらなる実施形態が概略的に示されている。皮膚が第１に剃刀ブレードと接触すると、皮膚は締まりかつ張る。シェービング体験の一部として、ユーザは、ブレードを皮膚に係合させる前に剃られることになる領域を温かい洗面タオル又は温水で洗うことを選択することができる。これは役立つが、温水は常に利用可能でない場合もある。
【００９４】
[00209]  図３４〜図３５Ｂに概略的に示された玉軸受１９０及び長尺状玉軸受／ローラーピン１９０は、より滑らかな、より速い、より効率的なシェービングストロークを円滑にすると同時に「皮膚マッサージ器」及び皮膚潤滑油アプリケータとして機能し得る自己潤滑性玉軸受及び／又は長尺状玉軸受／ローラーピンを特徴とし得る。玉軸受は、任意の方向に自由に回転するように構成される。これはシェービングストローク中の「引っ張り」をなくし、これは剃刀の「グライドストリップ」と一般に関連する。玉軸受１９０及び／又は長尺状玉軸受／ローラーピン１９０の曲線接触面は、それ自体、シェービングストローク中に皮膚上を転動しかつ皮膚を揉む。これは、シェービングに備えて皮膚を本質的にマッサージし、緩める。玉軸受１９０及び長尺状玉軸受／ローラーピン１９０のいずれも、回転時に潤滑油をピックアップするか又は掴むことに役立つように凹凸の付いた表面を任意選択的に含み得る。
【００９５】
[00210]  自己潤滑性玉軸受１９０及び／又は長尺状玉軸受／ローラーピン１９０は、玉軸受１９０及び／又は長尺状玉軸受／ローラーピン１９０と接触する（例えば、限定するものではないが、直接接触する）ように構成された潤滑油１９７を含み得る。潤滑油１９７は、半固体又は固体の潤滑油を含んでもよく、また、香料入り及び／又は香料なしの保湿剤、剥離剤などを含んでもよい。シェービングストローク中、剃刀は皮膚の上を引かれ、玉軸受１９０及び／又は長尺状玉軸受／ローラーピン１９０は回転する。玉軸受１９０及び／又は長尺状玉軸受／ローラーピン１９０が回転すると、それらは、皮膚潤滑油１９７でコーティングされる。潤滑油１９７は、次いで各シェービングストロークの前、間、及び後に皮膚に連続的に塗布される。
【００９６】
[00211]  玉軸受１９０及び／又は長尺状玉軸受／ローラーピン１９０は、本明細書で説明されるとおり付勢され得る。例えば、付勢デバイス（例えば、ばねなど）１９８が、図３４に概略的に示されたとおり潤滑油の下に配置され得る。付勢デバイス１９８は、潤滑油１９７を玉軸受１９０に略抗するように付勢することができ、それにより、潤滑油１９７が同様に玉軸受１９０を開口１９４に向かって付勢するようにさせる。付勢デバイス１９８は、潤滑油１９７にかけられる力を和らげ及び／又はそぐことができ、シェービングストローク中に下向きの力がかけられる一方、玉軸受１９０及び／又は長尺状玉軸受／ローラーピン１９０のより滑らかで流体的な回転を促進する。潤滑油１９７が減少すると、付勢デバイス１９８は引き続き上向きの力をかけ続け、最後に潤滑油１９７が使い切られるまで、潤滑油１９７と玉軸受１９０及び／又は長尺状玉軸受／ローラーピン１９０との間の確動的接触を常に提供する。
【００９７】
[00212]  代替的に（又は加えて）、付勢デバイス１９８（例えば、限定するものではないがばね）は、例えば図３５Ａ及び図３５Ｂに概略的に示されたとおり、玉軸受１９０及び／又は長尺状玉軸受／ローラーピン１９０に結合され得る。例えば、玉軸受１９０及び／又は長尺状玉軸受／ローラーピン１９０は、玉軸受１９０及び／又は長尺状玉軸受／ローラーピン１９０の対向する部分から外向きに延在するピン１９９を（例えば、対向する端部に）含み得る。付勢デバイス１９８は、ピン１９９、従って玉軸受１９０及び／又は長尺状玉軸受／ローラーピン１９０を開口１９４に向かって付勢することができる。玉軸受１９０及び／又は長尺状玉軸受／ローラーピン１９０が、付勢デバイス１９８の反対方向に（例えば、開口１９４から離れて）押されると、玉軸受１９０及び／又は長尺状玉軸受／ローラーピン１９０は、潤滑油１９７の一部に接触し得る。任意選択的に、潤滑油１９７は、１つ又は複数の付勢デバイス１９８により略玉軸受１９０に向かって付勢され得るベース１９５に配置され得る。
【００９８】
[00213]  ここで図３５Ｃ〜図３５Ｅの両方を参照すると、本明細書で説明された玉軸受１９０の任意のものを取付け、固定、及び／又は他に結合するための保持クリップ３５０２の一実施形態が概略的に示されている。特に、図３５Ｃは、潤滑油１９７に加えて保持クリップ３５０２の一実施形態を概略的に示し、図３５Ｄは、保持クリップ３５０２のみの一実施形態及び玉軸受１９０の一実施形態を概略的に示し、図３５Ｅは、保持クリップ３５０２のみの一実施形態を概略的に示す（しかし、当然のことながら、これらの図は例示目的のためのみに提供されている）。保持クリップ３５０２は、ブレード組立体２２に形成された空洞３５０４内に少なくとも部分的に受けられるように構成され得る。保持クリップ３５０２（図３５Ｄ及び図３５Ｅ）は、（開口１９１を形成し得る）ベース領域３５０８から外向き（例えば、下向き）に延在する１つ又は複数の脚部又は延在部３５０６を含み得る。脚部３５０６の一部（例えば、末端領域）は、１つ又は複数のかかりなど３５１０を含み得る。かかり３５１０は、保持クリップ３５０２を空洞３５０４／ブレード組立体２２に略保持、固定、取付け、及び／又は結合し、従って玉軸受１９０（及び任意選択的に任意の潤滑油１９１など）を空洞３５０４／ブレード組立体２２に略保持、固定、取付け、及び／又は結合するため、空洞３５０４の表面３５１２（図３５Ｃ）サイドウォールの一部に係合するように構成される。空洞３５０４の表面３５１２（図３５Ｃ）サイドウォールは、かかり３５１０に係合し、かつ空洞３５０４内で保持クリップ３５０２をさらに円滑に保持するために機械的接続をもたらすように構成された肩部、凹部、及び／又は溝３５１４を任意選択的に含み得る。保持クリップ３５０２は、例えばブレードカートリッジ２２の組立中、玉軸受１９０がブレードカートリッジ２２の外側／外部（前及び／又は後）から搭載／挿入されることを可能にし得る。
【００９９】
[00214]  図３５Ｆ〜図３５Ｈを参照すると、剃刀ブレード１４０の１つ以上（例えば、複数）を取付け、固定、及び／又は他に結合するためのブレード保持クリップ３５２０を含むブレードカートリッジ２２の一実施形態が概略的に示されている。本明細書で説明されたブレード保持クリップ３５２０は、当業者に既知の任意の剃刀ブレードを取付け、固定、及び／又は他に結合するために使用されてもよく、具体的にそのように主張されない限り、本明細書で説明された実施形態のいずれにも限定されるものではない。追加的に（又は代替的に）、ブレード保持クリップ３５２０は、シェービング補助具１６０、皮膚係合ストリップ１７０、皮膚潤滑ストリップ１７２、１７６、皮膚潤滑及び／又は保湿ストリップ１７４などを取付け、固定、及び／又は他に結合するために使用されてもよい。従って、ブレード保持クリップ３５２０は、１つ又は複数の剃刀ブレード及び／又はシェービング補助具１６０、皮膚係合ストリップ１７０、皮膚潤滑ストリップ１７２、１７６、皮膚潤滑及び／又は保湿ストリップ１７４などの任意の組合せを取付け、固定、及び／又は他に結合するために使用されてもよい。
【０１００】
[00215]  図３５Ｆを参照すると、ブレードカートリッジ２２は、プラスチック又は金属、例えばステンレス鋼で形成され得るハウジング及び／又はフレーム１８８を含み得る。ブレードカートリッジ２２（例えば、フレーム／ハウジング１８８）は、前エッジ領域１５７、後／後部エッジ領域１５９、第１の側方エッジ領域１６１、及び第２の側方エッジ領域１６３を含み得る。図示の実施形態では、ブレード保持クリップ３５２０は、剃刀ブレード１４０の各長手方向端部１５０、１５２で使用されているが、これは例示目的であり、剃刀ブレード１４０の１つのみの側方端部１５０、１５２がブレード保持クリップ３５２０で固定されてもよい。
【０１０１】
[00216]  ここで図３５Ｇを参照すると、ブレード保持クリップ３５２０は、ブレード組立体２２（例えば、フレーム１８８）に形成された保持空洞３５２２内に少なくとも部分的に受けられるように構成され得る。ブレード保持クリップ３５２０（図３５Ｈ）は、ベース領域３５２８（これはブレード保持クリップ３５２０により保持されている剃刀ブレード１４０、シェービング補助具１６０、皮膚係合ストリップ１７０、皮膚潤滑ストリップ１７２、１７６、皮膚潤滑及び／又は保湿ストリップ１７４などの１つ又は複数の取付け幅Ｗｍにわたって延在してもよい）から外向き（例えば、下向きに）延在する１つ又は複数の脚部又は延在部３５２６を含み得る。脚部３５２６の一部（例えば、末端領域）は１つ又は複数のかかりなど３５３０を含み得る。かかり３５３０は、ブレード保持クリップ３５２０をブレード空洞３５２２／ブレード組立体２２に略保持、固定、取付け、及び／又は結合するため、従って剃刀１４０をブレード空洞３５２２／ブレード組立体２２に略保持、固定、取付け、及び／又は結合するため、ブレード空洞３５２２の表面３５３２（図３５Ｇ）サイドウォールの一部に係合するように構成される。ブレード空洞３５２２の表面３５３２（図３５Ｇ）サイドウォールは、任意選択的に、ブレード保持クリップ３５２０をブレード空洞３５２２内に保持することをさらに円滑にするために、かかり３５３０と係合し機械的接続をもたらすように構成された肩部、凹部、及び／又は溝３５３４を含み得る。ブレード保持クリップ３５２０は、例えばブレードカートリッジ２２の組立中、ブレード１４０がブレードカートリッジ２２の外側／外部（前及び／又は後）から搭載／挿入されることを可能にし得る。
【０１０２】
[00217]  本明細書で説明されるとおり、本明細書で説明された少なくとも１つの実施形態と合致するブレードカートリッジ２２は、それぞれ１つ又は複数の剃刀ブレード１４２を含む第１及び少なくとも第２のシェービング側１４０、１５６を含み得る（例えば、図５及び図９を参照されたい）。一実施形態では、ユーザが一方の面又は側を他方のものから識別することを可能にするため、面又は側１４０、１５６は識別印を含み得る。例えば、皮膚係合ストリップ（ＳＥＳ）及び／又は潤滑ストリップは、各々、それぞれの面又は側１４０、１５６が異なる色であってもよい。代替的に（又は加えて）、剃刀ブレード１４２の１つ又は複数は、ユーザが一方の面又は側面を他方のものから識別することを可能にする印を含み得る。例えば、剃刀ブレード１４２の１つ又は複数は、各々、それぞれの面又は側１４０、１５６が異なる色であってもよい。
【０１０３】
[00218]  第２のシェービング側１５６は、第１のシェービング側１４０と、本明細書で説明された全ての点で同じであってもよいが、ブレードカートリッジ２２が１８０度回転されたときに適切な方向付けを円滑にするために第１のシェービング側１４０に対して逆さにされる。図３６を参照すると、前及び／又は後側１４０、１５６は、１つ又は複数の剃刀ブレード１４２の１つのみのセットを含み得る。代替的に、前及び／又は後側１４０、１５６は、図３７に概略的に示されたとおり、反対のシェービング方向Ｄ１及びＤ２に剃るために配置された少なくとも１つの剃刀ブレード１４２の第１及び第２のセット１４４、１４６を含み得る。第１のシェービングストローク方向Ｄ１に沿って毛を切断するための少なくとも１つの剃刀と第２のシェービングストローク方向Ｄ２に毛を切断するための少なくとも１つの剃刀とを同じ面１４０、１５６に有するブレードカートリッジ２２は、自らの頭を剃りたいと考えるユーザにとって特に有用であり得るが、なぜなら、ユーザが、新たなストロークを始めるために剃刀を剃られている領域から持ち上げる必要なしに、剃刀１０を「往復する」動きで動かすことができるためである。
【０１０４】
[00219]  例えば、「身体」ブレード両面カートリッジ組合せ構成は、１つ又は複数のブレード１４２の２つのセット１４４、１４６（例えば、図３７）（例えば、限定するものではないが、各セットに３つのブレード）を有する１つ又は複数のカートリッジ側／面を特徴としてもよく、第１及び第２のセット１４４、１４６は反対の切断方向Ｄ１、Ｄ２に配置される。ブレード１４２の第１及び第２のセット１４４、１４６は潤滑ストリップ１７６により分離され得る。自らの頭又は他の任意の身体の慎重に処理しなければならない領域を剃る消費者にとって、これは、新たなストロークを始めるために剃られている領域から剃刀を持ち上げる必要なしに、「往復する」シェービングストロークの動きを使用できるため、特に有用なブレード配置構成である。任意選択的に、カートリッジの第２の側／面は、従来のシェービング（例えば、図３６）のために全て同じ切断方向に配置された１つ又は複数のブレード１４２を含み得る。ユーザの生体構造の任意の部分を剃るために１つのみのデバイスが求められるとき、このカートリッジ構成はユーザに大きいフレキシビリティを与える。面又は側１４０、１５６の１つ又は複数はカートリッジ２２の下及び上部分にＳＥＳを有してもよい。この配置構成は本明細書で説明されるとおり身体ブレード両面組合せに特に有用であり得、反対の切断方向のブレードを有する側面は２つのＳＥＳの配置を有する面又は側１４０、１５６である。
【０１０５】
[00220]  ここで図３８〜図４５を参照すると、本開示と合致するブレードカートリッジ２２のさらなる実施形態が概略的に示されている。本明細書で検討されるとおり、ブレードカートリッジ２２は３つ以上の面を含み得る。図示の実施形態では、ブレードカートリッジ２２は、旋回軸ＰＡを中心として回転するように構成された３つの面、すなわち、それぞれ第１の面１４０、第２の面１５６、及び第３の面２４０を有する略三角形の断面を有する状態で示されている。面１４０、１５６、２４０のいずれも、本明細書で説明されるとおり、剃刀ブレード、鏡、玉軸受などの任意の配置構成を含み得る。面１４０、１５６、２４０は実質的に同じ寸法を有する状態で示されているが、当然のことながら、面１４０、１５６、２４０の１つ又は複数は、他の面１４０、１５６、２４０の１つ又は複数より小さくても大きくてもよい。追加的に、認められ得るとおり、本明細書で説明された抵抗旋回機構の任意のもの又は任意の組合せは、ブレードカートリッジ２２がブレードカートリッジ２２の面１４０、１５６、２４０の任意の１つに対応する初期始動位置の任意の１つへ（例えば、図４１〜図４５で矢印Ｈにより概略的に示されたとおり）回転され得るように修正され得る。例えば、図４０は、３つの面１４０、１５６、２４０に対応する３つの凹部２２２Ａ、２２２Ｂ、及び２２２Ｃを有する、図１４と合致する旋回ピン／シリンダ３４の一実施形態を概略的に示す。しかし、これは１つのみの実施形態であること、及び本明細書で説明された任意の抵抗旋回機構が、図３８〜図４５に示されるとおり、ブレードカートリッジ２２とともに使用されてもよいことを理解されたい。
【０１０６】
[00221]  ここで図４６を参照すると、本開示と合致する剃刀１０の別の図が概略的に示されている。剃刀１０は、ブレードカートリッジ２２とブレードカートリッジ支持部材２４とを含む使い捨てヘッド組立体２０を含む。図示のとおり、ブレードカートリッジ支持部材２４は略Ｕ字型のカートリッジ支持フレーム２６を含む。Ｕ字型のカートリッジ支持フレーム２６は２つの略曲線の支持アーム３０を含む。例えば、支持アーム３０は略Ｃ字型又はＬ字型を有し得る。
【０１０７】
[00222]  ブレードカートリッジ支持部材２４へのブレードカートリッジ２２の旋回可能な取付け及び後続のその使用を円滑にするため、ブレードカートリッジ２２及びブレードカートリッジ支持部材２４は、ブレードカートリッジ２２が旋回軸ＰＡを中心として回転することを可能にする（例えば、ハンドル６０の長手方向軸Ｌに略垂直な方向に）１つ又は複数のヒンジ又は旋回組立体３を含んでもよい。本明細書で説明され、図４７〜図４９に概略的に示されるとおり、ヒンジ又は旋回組立体３は、ブレードカートリッジ２２の前側１４０及び後側１５６が使用され得るように、ブレードカートリッジ２２が旋回軸ＰＡを中心としておよそ１８０度回転することを可能にする（例えば、矢印Ｗの方向に）ように構成され得る。一実施形態によると、ヒンジ又は旋回組立体３は、ブレードカートリッジ２２が旋回軸ＰＡを中心としておよそ３６０度回転することを可能にするように構成され得る。
【０１０８】
[00223]  再び図４６を参照すると、ヒンジ又は旋回組立体３は、ブレードカートリッジ支持部材２４の各支持アーム３０（例えば、限定するものではないが、支持アーム３０の末端セクション４０）に配置された旋回軸レセプタクル３２を含んでもよく、その各々はブレードカートリッジ２２の対向する側面に位置する旋回ピン／シリンダを受ける。旋回ピン／シリンダはブレードカートリッジ２２の側面から略外向きに延在してもよい。前述の配置構成では、ブレードカートリッジ２２は支持アーム３０間に配置され、かつ旋回接続部（組立体）で各支持アーム３０により支持され、ブレードカートリッジ２２は旋回軸ＰＡを中心として最大で３６０°度を含む任意の角度で回転可能である。当然のことながら、旋回軸レセプタクル３２及び旋回ピンの１つ又は複数の場所は切り替えられ得る（例えば、旋回軸レセプタクル３２の１つ又は複数はブレードカートリッジ２２に位置してもよく、旋回ピンの１つ又は複数はブレードカートリッジ支持部材２４の支持アーム３０から外向きに延在してもよい）。追加的に、支持アーム３０の１つ又は複数の一部（例えば、限定するものではないが、末端セクション４０）は、概略的に示されるとおり、ブレードカートリッジ２２の側面に配置された１つ又は複数のハブ凹部又は旋回軸レセプタクル３２に少なくとも部分的に受けられ得る。代替的に、当然のことながら、旋回ピン／シリンダの１つ又は複数の一部は、支持アーム３０（例えば、限定するものではないが、支持アーム３０の末端セクション４０）に配置された１つ又は複数の凹部／ハブに少なくとも部分的に受けられてもよい。
【０１０９】
[00224]  シェービングの間、ブレードカートリッジ２２の使用の衝撃を和らげるため、支持アーム３０の１つ又は複数は緩衝機構３８を含み得る。図示のとおり、各支持アーム３０の第２の（末端）セクション４０は、各支持アーム３０の第１の（基端）セクション４４のレセプタクル（例えば、溝付き凹部）内を摺動するように構成される。各レセプタクル内には、圧縮（例えば、コイル）ばね又は付勢デバイスが配置され得る。代替的に（又は加えて）、第１のセクション４４は緩衝機構３８を含み得る。特に、緩衝機構３８’（例えば、図５０を参照されたい）は、第１のセクション４４（例えば、アームフィンなど８７）が（例えば、略矢印Ｑの方向に）摺動できるようにするように構成される。各レセプタクルは、その中に配置された圧縮（例えば、コイル）ばね又は付勢デバイス４６を含み得る。
【０１１０】
[00225]  前述の方法において、緩衝機構３８の付勢デバイスはブレードカートリッジ２２にかけられた下向きの力に応じて圧縮されてもよく、そのような圧縮は下向きの力に抗して付勢する。その際、そのような圧縮は、ブレードカートリッジ２２の使用の衝撃を和らげるために下向きの力を吸収する／そぐことができる。さらに、各支持アーム３０の緩衝機構３８は互いに無関係であるため、緩衝機構３８は、ブレードカートリッジ２２の各側方端部が独立して移動しかつ／又は緩衝を和らげることを可能にし得る。シェービングデバイス１０の他の実施形態では、ブレードカートリッジ支持部材２４は緩衝機構３８を含まなくてもよいことが理解されるべきである。
【０１１１】
[00226]  ここで図４７〜図５０を参照すると、ヘッド組立体２０は、ユーザによりハンドル６０に選択的に取り外し可能に接続可能であり得る。認められ得るとおり、ブレードカートリッジ支持部材２４をハンドル６０に選択的に結合するための任意の機構が使用され得る。ブレードカートリッジ支持部材２４は、２つの支持アーム３０間に中央に配置され得る支持ハブ５０（例えば、図５０に示されるとおり）を含んでもよい。支持ハブ５０は、ブレードカートリッジ支持部材２４をハンドル６０の長尺状シャフト６２の機械的接続要素６４に機械的に接続する機械的接続要素５２を含む（例えば、図１Ａに概略的に示されたとおり）。
【０１１２】
[00227]  例えば、図５０に示されるとおり、ブレードカートリッジ支持部材２４の接続要素５２の一実施形態は、ハンドル６０の接続要素６４の対応する凹部６６（例えば、長方形及び／又は四角形凹部）内に適合するように構成された長方形（例えば、四角形）シャンク５４を含む。確動的機械的接続を提供するため、長方形シャンク５４は、係合開口６８内に係合し、かつハンドル６０に対するヘッド組立体２０の位置を固定（例えば、係止）する複数の変形可能な（片持）及び／又はばね仕掛けの係合タブ５６を含む。変形可能な（片持及び／又はばね仕掛けの）係合タブ５６は、一実施形態では、作動ボタン１００が押されると（例えば、図４７〜図４９に示されるとおり）係合開口６８との係合から出るように構成され得る。代替的に、係合タブ５６は、ユーザにより、例えば各手のそれぞれユーザの親指及び／又は指を使用して手動で内向きへ押され得る。
【０１１３】
[00228]  係合タブ５６が係合開口６８内で係合されると、ヘッド組立体２０及びハンドル６０は一般に互いから分離することを妨げられる。その後（例えば、ブレードカートリッジ２２の有用寿命後）、ヘッド組立体２０及びハンドル６０は、係合タブ５６を（例えば、ユーザの指を使用して手動で、かつ／又はハンドル６０及び／もしくは使い捨てヘッド組立体２０に配置されたボタンなどを押すことにより）内向きへ、係合穴６８との係合から外すように押し、ブレードカートリッジ支持部材２４のシャンク５４をハンドル６０の凹部６６から引き出すことにより互いから分離され得る。使用済みヘッド組立体２０／ブレードカートリッジ２２は、このとき、新たなヘッド組立体２０／ブレードカートリッジ２２と置き換えられ得る。従って、理解され得るとおり、ヘッド組立体２０は、ユーザによりハンドル６０に選択的に取り外し可能に接続可能である。
【０１１４】
[00229]  シャンク５４及び凹部６６は、それぞれブレードカートリッジ支持部材２４及びハンドル６０の一部として示されているが、当然のことながら、シャンク５４及び凹部６６の配置構成は切り替えられ得る（例えば、シャンク５４及び凹部６６は、それぞれハンドル６０及びブレードカートリッジ支持部材２４の一部であってもよく、例えば図５を参照されたい）。追加的に（又は代替的に）、変形可能な（片持又はばね仕掛けの）係合タブ５６及び係合開口６８は、それぞれシャンク５４及び凹部６６の一部として示されているが、当然のことながら、変形可能な（片持又はばね仕掛けの）係合タブ５６及び係合開口６８の配置構成は切り替えられ得る（例えば、変形可能な（片持又はばね仕掛けの）係合タブ５６及び係合開口６８は、それぞれ凹部６６及びシャンク５４の一部であってもよい）。ここでも同様に、当然のことながら、接続要素５２は、そうであると具体的に述べられない限り、図示された及び／又は本明細書で説明された配置構成に限定されず、ユーザがヘッド組立体２０をハンドル６０に選択的に取り外し可能に結合することを可能にする任意の接続要素５２が使用され得る。
【０１１５】
[00230]  ここで図４６、図５１及び図５２を参照すると、ヒンジ７４を有する剃刀１０の別の実施形態が概略的に示されている。図２５〜図２７の剃刀１０は当業者に既知の任意のブレードカートリッジと使用されてもよいが、図２５〜図２７の剃刀１０は、第１のシェービング方向Ｄ１に切断するように整列された少なくとも１つの剃刀１４２と、第２のシェービング方向Ｄ２に切断するように整列された少なくとも１つの剃刀１４２とを備えた少なくとも１つの面１４０を有するブレードカートリッジ２２に特に有用であり得る（例えば、限定するものではないが、図３７に概略的に示されたとおりブレードカートリッジ２２）。
【０１１６】
[00231]  ヒンジ７４は、ヘッド組立体２０が、図４６に概略的に示された位置から、図５１及び図５２に概略的に示された位置まで回転することを可能にするように構成され得る。ハンドル６０は、１つ又は複数のヒンジ７４により第２の（末端）シャフト部分７７に結合された第１の（基端）シャフト部分７５（図５１〜図５２）を含み得る。ヒンジ７４は、当業者に既知の任意のヒンジ機構を含んでもよく、例えば、ユーザが第２のシャフト部分７７に対する第１のシャフト部分７５（例えば、ハンドル６０に対するヘッド組立体２０）の相対的位置に略係止するか又は固着させることを可能にするように構成された係止機構（例えば、限定するものではないが、係止つめ、ラチェット機構など）を含んでもよい。
【０１１７】
[00232]  例えば、ヒンジ７４は、第１のシャフト部分７５が、図４６に示された位置から図５１及び図５２に示された位置へ略アークＳの方向に沿っておよそ９０度揺動することを可能にするように構成され得る。ヒンジ７４は、剃刀１０が図４７に示された位置にあるとき、第１のシャフト部分７５がヘッド組立体２０の剃刀ブレード１４２の１つ又は複数の切れ刃の切れ刃軸ＣＥ（明確にするために図示せず）に略垂直な方向（例えば、平面又は軸）に揺動することを可能にすることが認められ得る。
【０１１８】
[00233]  ハンドル６０（例えば、第１のシャフト部分７５）及び／又は支持ハブ５０は、スイベル又はピボット１７７であって、ユーザが、図５１及び図５２に概略的に示されたとおり、ヘッド組立体２０の剃刀ブレード１４２の１つ又は複数の切れ刃の切れ刃軸ＣＥがハンドル６０の長手方向軸に略平行に整列されるように、ブレードカートリッジ２２を、第１のシャフト部分７５及び／又は支持ハブ５０の長手方向軸に略平行な軸において、（例えば、図５１及び図５２の矢印Ｅにより示されたとおり）およそ９０度旋回又は回転させることを可能にするように構成されたスイベル又はピボット１７７を任意選択的に含み得る。スイベル１７７は、当業者に既知の任意のスイベル又は旋回機構を含むことができ、例えば、第１のシャフト部分７５及び／又は支持ハブ５０に対するブレードカートリッジ２２の相対的位置を略係止するか又は固着させることを可能にするように構成された係止機構（例えば、限定するものではないが、係止つめ、ラチェット機構など）を含み得る。
【０１１９】
[00234]  代替的に、ユーザは、ヘッド組立体２０をハンドル６０から手動で取り外し、図示のとおり、ヘッド組立体２０を望ましい位置へ回転させることができる。例えば、ヘッド組立体２０とハンドル６０との間の接続は、ヘッド組立体２０がハンドル６０に対して２つ以上の異なる向きに整列されることを可能にするように構成され得る。非限定的な例として、ヘッド組立体２０とハンドル６０との間の接続は、略対称的、例えば略円形及び／又は四角形であり得る。
【０１２０】
[00235]  上述のとおりのヒンジ７４とスイベル１７７とを有する剃刀１０は、ユーザの頭及び／又は身体を剃るのに特に有用であり得る。特に、ヘッド組立体２０の剃刀ブレード１４２の１つ又は複数の切れ刃１５１の切れ刃軸ＣＥが、図５１及び図５２に概略的に示されたとおりハンドル６０の長手方向軸Ｌに略平行に整列されていることは、図４６に概略的に示されたとおり、剃刀ブレード１４２の切れ刃の切れ刃軸ＣＥがハンドル６０の長手方向軸Ｌに略垂直に整列されていることと比べて、ユーザの頭及び／又は身体を剃ることを円滑にし得る。
【０１２１】
[00236]  図４６、図５１及び図５２におけるレードカートリッジ２２は、ブレードカートリッジ２２が旋回軸ＰＡを中心として回転する（例えば、矢印Ｔにより概略的に示された）ことを可能にするように、本明細書で説明された任意のヒンジ及び／又は抵抗旋回機構を任意選択的に含み得る。そのように具体的に主張されない限り本開示の限界ではないが、ブレードカートリッジ２２は図１１〜図１７に表された抵抗旋回機構の任意のものを含み得る。図１１〜図１７に示された抵抗旋回機構は、それらが付勢ピン９２を含まないため、ヒンジ７４及びスイベル１７７との使用に特に適していることがある。従って、ブレードカートリッジ２２は、図５１及び図５２に示された位置に配置されると、第２のシャフト部分７７のより近くに位置し得る。
【０１２２】
[00237]  本明細書で検討されるとおり、ヒンジ７４とスイベル１７７とを有する剃刀１０は、本明細書で説明された任意のブレードカートリッジ２２とともに使用され得る。非限定的な例として、３つの面（すなわち、第１の面１４０、第２の面１５６、及び第３の面２４０）を有するブレードカートリッジを備えたヒンジ７４とスイベル１７７とを有する剃刀１０が図５３に概略的に示されている。
【０１２３】
[00238]  図５１〜図５３を参照すると、剃刀１０（特にブレードカートリッジ２２）は、流出開口１０２の１つ以上（例えば、複数）を任意選択的に含み得る。流出開口１０２は、ブレードカートリッジ２２のエッジ面１０４の１つ又は複数に沿って配置され得、かつブレードカートリッジ２２がシェービングプロセス中に毛及び／又はシェービングクリームで目詰まりをすることを略防ぐように構成され得る。特に、流出開口１０２は、毛及び／又はシェービングクリームが、水でブレードカートリッジ２２をすすぐことにより流出開口１０２を「洗浄」することを可能にし得る。
【０１２４】
[00239]  ここで図５４を参照すると、抵抗揺動機構５４０を含むヘッド組立体２０の一実施形態が概略的に示されている。ヘッド組立体２０は、支持ハブ５０に回転可能に結合された１つ又は複数のアーム３０を含む。抵抗揺動機構５４０は、アーム３０の１つ又は複数を矢印Ｗの略反対の方向に付勢するように構成された１つ又は複数の付勢デバイス（例えば、限定するものではないが、ばねなど）を含み得る。使用時、シェービング中にユーザは略矢印Ｗの方向に力をかけることができ、抵抗揺動機構５４０は、ブレードカートリッジ２２が矢印Ｗの方向に揺動することを可能にし得る。当然のことながら、アーム３０は支持ハブ５０に対して移動／揺動すると示されているが、アーム３０の第１のセクション４４は、支持ハブ５０に対して静止していてもよく、アーム３０の第２のセクション４０は、ブレードカートリッジ２２が矢印Ｗの方向に揺動することを可能にするように、本明細書で説明されるとおり付勢されてもよい。代替的に（又は加えて）、例えば図４７〜図４９に概略的に示されたとおり、抵抗揺動機構５４０は、ヒンジピン７６に組み込まれてもよい。従って、ヘッド組立体２０は、ハンドル６０に対して矢印Ｗの略反対方向に付勢されてもよく、ヘッド組立体２０は、シェービング中にユーザが力を加えると、ハンドル６０に対して略矢印Ｗの方向に移動してもよい。
【０１２５】
[00240]  図５５〜図５７を見ると、抵抗旋回機構の別の実施形態が概略的に示されている。抵抗旋回機構は、ブレードカートリッジ旋回付勢機構９０及び／又はブレードカートリッジ回転リミッタ３５を含み得る。本明細書で説明されるとおり、ブレードカートリッジ旋回付勢機構９０は、ブレードカートリッジ２２が初期始動位置に対して旋回軸ＰＡを中心として時計回り及び反時計回りの両方に回転することを可能にし得る。期始動位置は、外力がブレードカートリッジ２２にかけられていないときの、ブレードカートリッジ支持部材２４及び／又はハンドル６０に対するブレードカートリッジ２２の場所／向き／位置に対応し得る。各面（例えば、面１４０、１５６）は、対応する初期始動位置を有してもよい。
【０１２６】
[00241]  抵抗旋回機構は、ブレードカートリッジ２２を初期始動位置に向かって付勢する付勢力をもたらしてもよい。例えば、ブレードカートリッジ旋回付勢機構９０によりもたらされた付勢力は、ばね力及び／又は磁力を含み得る。磁力は、吸引磁力（例えば、ブレードカートリッジ２２がブレードカートリッジ支持部材２４又はハンドル６０に向かって付勢される／引かれるようにする磁力）及び／又は反発磁力（例えば、ブレードカートリッジ２２がブレードカートリッジ支持部材２４又はハンドル６０）から離れて付勢されるようにする磁力）であり得る。磁力（吸引及び／又は反発）は、２つ以上の磁石であって、それらの極が吸引力又は反発力のいずれかをもたらすように整列された２つ以上の磁石間にあり得る（例えば、それらにより生じ得る）。例えば、１つ又は複数の磁石は、ブレードカートリッジ２２に結合／固定されてもよく、１つ又は複数の磁石はブレードカートリッジ支持部材２４に結合／固定され得る。
【０１２７】
[00242]  磁力は、ブレードカートリッジ２２に結合／固定された１つ又は複数の磁石とブレードカートリッジ支持部材２４に結合／固定された強磁性材料との間に生じ得る（当然のことながら、ブレードカートリッジ２２及びブレードカートリッジ支持部材２４に対する磁石及び強磁性材料の配置構成は逆にされてもよい）。
【０１２８】
[00243]  磁石の１つ又は複数は、永久磁石及び／又は電磁石のいずれかであり得る。電磁石が使用されるとき、電流は結果としての磁場の向きを選択的に変化させるように調整され得ることも認められ得る。
【０１２９】
[00244]  図５５を参照すると、ブレードカートリッジ２２を初期始動位置に向かって付勢するために磁気付勢力をもたらすブレードカートリッジ旋回付勢機構９０の一実施形態が概略的に示されている。図示の実施形態では、ブレードカートリッジ旋回付勢機構９０は、ブレードカートリッジ２２に位置する少なくとも１つの磁石９９ａ（ブレードカートリッジ磁石９９ａと呼ばれ得る）と、ブレードカートリッジ支持部材２４に位置する少なくとも１つの磁石９９ｂ（ブレードカートリッジ支持部材磁石９９ｂと呼ばれ得る）とを含む。ブレードカートリッジ磁石９９ａ及び／又はブレードカートリッジ支持部材磁石９９ｂの１つ又は複数は、永久磁石及び／又は電磁石であり得る。電磁石のための電源（例えば、１つ又は複数のバッテリなど）は明確にするために図示されない。
【０１３０】
[00245]  図示のとおり、１つ又は複数のブレードカートリッジ磁石９９ａは、ブレードカートリッジフレーム１８８内に位置してもよい。例えば、１つ又は複数のブレードカートリッジ磁石９９ａは、ブレードカートリッジフレーム１８８の旋回軸ＰＡに略平行の軸に沿って長手方向に延在し得る。特に、１つ又は複数のブレードカートリッジ磁石９９ａは、ブレードカートリッジフレーム１８８の外側長手方向領域１５７、１５９（例えば、ブレード１４２に隣接して）に沿って配置されてもよく、これは、本明細書で説明されるとおり、切断方向に対して前エッジ領域１５７及び後／後部エッジ領域１５９であるとさらに理解され得る。
【０１３１】
[00246]  ブレードカートリッジフレーム１８８の外側長手方向領域１５７、１５９に位置することに加えて又はそれに対する代替として、１つ又は複数のブレードカートリッジ磁石９９ａは、ブレードカートリッジ２２のブレードカートリッジフレーム１８８の外側側方領域１６１、１６３の一方又は両方に位置し得る。ブレードカートリッジ磁石９９ａはブレードカートリッジフレーム１８８内に完全に封入されてもよく（すなわち見えない）、又はブレードカートリッジフレーム１８８に１つ又は複数の露出表面を有してもよい。
【０１３２】
[00247]  １つ又は複数のブレードカートリッジ磁石９９ａがブレードカートリッジフレーム１８８の外側長手方向領域１５７、１５９に位置すると、１つ又は複数の協働ブレードカートリッジ支持部材磁石９９ｂが、ブレードカートリッジ２２がその使用位置にあるとき、ブレードカートリッジフレーム１８８の外側長手方向領域１５７、１５９の下に、対向するブレードカートリッジ支持部材２４の一部に位置し得る。より詳細には、ブレードカートリッジ支持部材磁石９９ｂは、支持アーム３０の少なくとも１つの基端セクション４４を含み得るブレードカートリッジ支持部材２４のヨーク４７のベース４５に位置し得る。
【０１３３】
[00248]  代替的に又は上記に加えて、１つ又は複数のブレードカートリッジ磁石９９ａがブレードカートリッジフレーム１８８の外側側方領域１６１、１６３に位置する場合、１つ又は複数の協働ブレードカートリッジ支持部材磁石９９ｂは、支持アーム３０の少なくとも１つの対応する末端セクション４０に位置する。
【０１３４】
[00249]  以下でより詳細に説明されるとおり、ブレードカートリッジ磁石９９ａ及びブレードカートリッジ支持部材磁石９９ｂにより生じた磁場は、ブレードカートリッジ２２を初期始動位置に向かって付勢する吸引及び／又は反発付勢力をもたらし得る。図５６に示されるとおり、磁気付勢力は、ブレードカートリッジ２２が所定の旋回角度の範囲θ内にある、より詳細には所定の旋回角度の範囲の中間における中間旋回角度θにある限りブレードカートリッジ２２を初期始動位置に向かって付勢し得る。
【０１３５】
[00250]  作動に関して、図５６に最もよく示されるとおり、協働ブレードカートリッジ磁石９９ａ及びブレードカートリッジ支持部材磁石９９ｂは、それらのそれぞれの磁場の極性が、それらの北極Ｎ及び南極Ｓにより示されるとおり、所定の旋回角度の範囲にわたって互いに吸引し及び／又は反発することのいずれかであり、吸引及び／又は反発磁場の相互作用は、（例えば、略初期始動位置に対応する）所定の旋回角度θの範囲の中間における中間旋回角度θでの最大レベルに向かって増大するように配置される。
【０１３６】
[00251]  図示のとおり、旋回角度θ並びに吸引及び／又は反発磁場の力がその最大のレベルである中間旋回角度θの範囲は、ブレードカートリッジ２２の前面１４０とシェービングデバイス１０のハンドル６０の長手方向軸Ｌの長手方向軸との間に形成された角度により決められてもよい。
【０１３７】
[00252]  従って、協働ブレードカートリッジ磁石９９ａ及びブレードカートリッジ支持部材磁石９９ｂは、協働ブレードカートリッジ磁石９９ａ及びブレードカートリッジ支持部材磁石９９ｂの相互作用する（吸引及び／又は反発する）磁場間の磁気相互作用がブレードカートリッジ２２の回転及びブレードカートリッジ２２の回転位置とともに変化するように配置されることが理解されるべきである。
【０１３８】
[00253]  さらに、協働ブレードカートリッジ磁石９９ａ及びブレードカートリッジ支持部材磁石９９ｂが、協働ブレードカートリッジ磁石９９ａ及びブレードカートリッジ支持部材磁石９９ｂの吸引及び／又は反発磁場間の磁気相互作用があるように配置される場合、相互作用する（吸引及び／又は反発する）磁場の力は、ブレードカートリッジ２２を、所定の旋回角度θの範囲の中間における中間旋回角度θ、すなわちブレードカートリッジ磁石９９ａ及びブレードカートリッジ支持部材磁石９９ｂが互いに整列され（例えば、完全に整列され）、磁場の相互作用がその最大の力（例えば、初期始動位置）であり、主要な付勢力がない位置に向かって回転させることも理解されるべきである。
【０１３９】
[00254]  ここで図５７を参照すると、シェービングデバイス１０はブレードカートリッジ回転リミッタ３５を任意選択的に含み得る。ブレードカートリッジ回転リミッタ３５は、複数の側／面１４０、１５６の１つを選択するためにユーザがブレードカートリッジ２２を、旋回軸ＰＡを中心として回転させることを可能にし、ブレードカートリッジ２２が、ユーザの皮膚輪郭に従うために、剃刀の正常な使用中に選択されたブレード／面位置にあると同時に所定の回転範囲内で回転することを可能にする。
【０１４０】
[00255]  ブレードカートリッジ回転リミッタ３５は、アーム３０から略上向きに延在するように構成された少なくとも１つのつめ２２０を含み得る。ブレードカートリッジ２２の旋回ピン／シリンダ３４は、つめ２２０の末端部２２４を受けるように構成された複数の凹部２２２を含み得る。凹部２２２の場所は、それぞれブレードカートリッジ２２の複数の面１４０、１５６の１つにそれぞれ対応し得る。つめ２２０の末端部２２４が凹部２２２に係合されると、各凹部２２２は、ブレードカートリッジ２２が、１〜９０度の範囲、より詳細には２〜４５度の範囲、さらにはより詳細には５〜３０度の範囲で回転することを可能にし得る。
【０１４１】
[00256]  つめ２２０は、ばね２９により上向き（係合）により付勢された摺動可能親指スイッチリリース２８の端部に位置し得る（図５７）。摺動可能親指スイッチリリース２８は、つめ２２０の末端部２２４を凹部２２２から取り外してブレードカートリッジ２２を凹部２２２の制約及び限界から外れるように回転させるためにばね２９の付勢に抗して下向きに押下され得る。格納された後、摺動可能親指スイッチリリース２８は解放されてもよく、つめ２２０の末端部２２４は、ブレードカートリッジ２２の別の面（例えば、１４０、１５６）に対応する異なる凹部２２２に、ブレードカートリッジ２２のそこへの回転後に入り得る。凹部２２２及びつめ２２０のサイズは、従って、ブレードカートリッジ２２の各面（例えば、１４０、１５６）に対応する回転の範囲を決定する。
【０１４２】
[00257]  前述の実施形態では、つめ２２０、より詳細には末端部２２４は、剛性で非変形可能であり得る。しかし、代替的実施形態では、少なくともつめ２２０の末端部２２４は、弾性的に変形可能であってもよく、摺動可能親指スイッチリリース２８は削除されてもよい。そのような実施形態では、つめ２２０、より詳細には末端部２２４は、ブレードカートリッジ２２にかけられた回転力でのつめ２２０の変形により、凹部２２２から係合解除され得る。
【０１４３】
[00258]  同様に当然のことながら、凹部２２２はブレードカートリッジ２２の一部であるものとして示され、つめ２２０はブレードカートリッジ支持部材２４に結合されているものとして示されているが、これらのコンポーネントの向きは逆にされてもよい。
【０１４４】
[00259]  当然のことながら、図５５〜図５７のブレードカートリッジ旋回付勢機構９０は、本明細書で説明された任意の抵抗旋回機構に組み込まれ得る。例えば、図５５〜図５７のブレードカートリッジ旋回付勢機構９０は、本明細書で説明された任意のブレードカートリッジ回転リミッタ３５内に組み合わされ得る。
【０１４５】
[00260]  ここで図５８〜図６４を参照すると、抵抗旋回機構のなお別の実施形態が概略的に示されている。図５８を参照すると、抵抗旋回機構は、ブレードカートリッジ旋回付勢機構９０であって、ブレードカートリッジ２２が時計回り及び反時計回りに旋回軸ＰＡを中心として回転することを可能にする一方、ブレードカートリッジ２２を初期始動位置に向かって付勢する磁気付勢力を加えるように構成されたブレードカートリッジ旋回付勢機構９０、及び／又はブレードカートリッジ２２が初期始動位置から所定の範囲内で回転することを可能にするためのブレードカートリッジ回転リミッタ３５を含み得る。
【０１４６】
[00261]  ここで図５９Ａ及び図６０を参照すると、ブレードカートリッジ旋回付勢機構９０及びブレードカートリッジ回転リミッタ３５の部分的透視図が概略的に示され、ここで、ブレードカートリッジ支持部材２４は部分的に透明である。図５５〜図５７の実施形態と同様に、図５８〜図６４のブレードカートリッジ旋回付勢機構９０は、磁場がブレードカートリッジ２２を初期始動位置に向かって付勢するように配置される複数の磁石９９ａ、９９ｂを特徴とする。追加的に、図５８〜図６４のブレードカートリッジ回転リミッタ３５は、ブレードカートリッジ２２の回転を初期始動位置に対する回転の所定の範囲内に略限定し、及び／又は、ブレードカートリッジ２２の別の面（例えば、１４０又は１５６）が選択されているという指示をユーザに提供するように構成された、ブレードカートリッジ２２及び／又はブレードカートリッジ支持部材２４上の１つ又は複数の戻り止め、つめ（例えば、弾性的に変形可能なつめ）及び／又は凹部を特徴とする。
【０１４７】
[00262]  図５９〜図６０及び図６１〜図６２を引き続き参照すると、ブレードカートリッジ支持部材２４の一実施形態が概略的に示されている。ブレードカートリッジ支持部材２４は、支持アーム３０の１つ又は複数に結合された１つ又は複数のブレードカートリッジ支持部材磁石９９ｂを含む。ブレードカートリッジ支持部材磁石９９ｂは、ブレードカートリッジ支持部材２４上の任意の場所、例えば、限定するものではないが、旋回軸ＰＡ／旋回軸レセプタクル３２の略下又は上に配置され得る。ブレードカートリッジ支持部材磁石９９ｂは略円筒形状を有する状態で概略的に示されるが、当然のことながら、ブレードカートリッジ支持部材磁石９９ｂは他の形状を有してもよい。例えば、ブレードカートリッジ支持部材磁石９９ｂは、本明細書で説明されるとおり、旋回軸ＰＡからのブレードカートリッジ磁石９９ａの距離（すなわち、半径）に略対応する旋回軸ＰＡからの回転半径に略沿って延在する略弓形の形状を有し得る。追加的に、１つのみのブレードカートリッジ支持部材磁石９９ｂが各アーム３０に結合された状態で示されているが、１つ又は複数のアーム３０は複数のブレードカートリッジ支持部材磁石９９ｂを有しても、ブレードカートリッジ支持部材磁石９９ｂを有しなくてもよい。
【０１４８】
[00263]  ブレードカートリッジ支持部材２４は、ブレードカートリッジ２２の回転を初期始動位置に対する回転の所定の範囲内に略限定するため、及び／又はブレードカートリッジ２２の別の面（例えば、１４０又は１５６）が選択されているという指示をユーザに提供するため、ブレードカートリッジ２２の対応する要素に係合する１つ又は複数の戻り止め、つめ及び／又は凹部６１０２を任意選択的に含んでもよい。図示の実施形態では、ブレードカートリッジ支持部材２４は、各支持アーム３０から略外向きに延在する１つの戻り止め６１０２を有する状態で示されている。戻り止め６１０２は、弾性的に変形可能であっても略剛性であってもよい。各支持アーム３０は１つの戻り止め６１０２を有した状態で示されているが、支持アーム３０の１つ又は複数は、複数の戻り止め６１０２を含んでもよく、又は戻り止め６１０２を含まなくてもよいことが認められ得る。追加的に、当然のことながら、支持アーム３０の１つ又は複数は、ブレードカートリッジ２２上の戻り止め、つめ又は凹部と係合するように構成された１つ又は複数の凹部及び／又はつめを含み得る。
【０１４９】
[00264]  図５９〜図６０及び図６３〜図６４を引き続き参照すると、ブレードカートリッジ２２の一実施形態が概略的に示されている。ブレードカートリッジ２２は、それに結合された１つ又は複数のブレードカートリッジ磁石９９ａを含む。例えば、ブレードカートリッジ２２は、ブレードカートリッジ２２の１つ又は複数の側方端部に結合されたブレードカートリッジ磁石９９ａの１つ以上（例えば、複数）を含み得る。ブレードカートリッジ磁石９９ａは、旋回軸ＰＡを中心として、例えば旋回ピン／シリンダ３４を中心として配置されてもよく、ブレードカートリッジ磁石９９ａ及びブレードカートリッジ支持磁石９９ｂが旋回軸ＰＡから略同じ距離（半径）で略整列されるように、旋回軸ＰＡからある距離（例えば、半径）に配置されてもよい。磁石９９ａ、９９ｂは、ブレードカートリッジ磁石９９ａとブレードカートリッジ支持磁石９９ｂとの間の分離距離Ｄｓｅｐ（図５９Ａ）が、磁石９９ａ、９９ｂが整列され、かつ互いに略向き合うときに略最小化されるように整列されてもよい。旋回軸ＰＡからの半径が略同じになるように磁石９９ａ、９９ｂを整列させることは、磁石９９ａ、９９ｂの付勢力を高めることができ、それにより、ブレードカートリッジ２２を初期始動位置に向かって付勢する付勢力を増加させる。
【０１５０】
[00265]  図６３及び図６４のブレードカートリッジ２２は、各端部に４つのブレードカートリッジ磁石９９ａを有する状態で示されているが、当然のことながら、これは例示的なものであり、ブレードカートリッジ２２は５つ以上又は３つ以下のブレードカートリッジ磁石９９ａを有してもよい。追加的に、ブレードカートリッジ磁石９９ａの１つ又は複数は、ブレードカートリッジ支持磁石９９ｂの、旋回軸ＰＡからの距離（半径）に略対応する半径を有する略弓形の形状を有してもよい。さらに、図６１及び図６２におけるブレードカートリッジ支持部材２４は、各アーム３０に１つのブレードカートリッジ支持部材磁石９９ｂを有する状態で示されているが、当然のことながら、これは例示的なものであり、ブレードカートリッジ支持部材２４は、各アーム３０に２つ以上又は１つ未満のブレードカートリッジ支持部材磁石９９ｂを有してもよい（例えば、１つのみのアーム３０が１つ又は複数のブレードカートリッジ支持部材磁石９９ｂを含んでもよく、又は両方のアームが少なくとも１つのブレードカートリッジ支持部材磁石９９ｂを含んでもよい）。
【０１５１】
[00266]  本明細書で検討されるとおり、ブレードカートリッジ磁石９９ａ及びブレードカートリッジ支持部材磁石９９ｂは、ブレードカートリッジを初期始動位置に向かって付勢するために配置され得る。ブレードカートリッジ磁石９９ａ及びブレードカートリッジ支持部材磁石９９ｂは、従って、この効果を達成するために任意の態様で配置され得る。例えば、図５９Ｂ、図５９Ｃ、及び図５９Ｄは、ブレードカートリッジ磁石９９ａ及びブレードカートリッジ支持部材磁石９９ｂの様々な極の可能な整列に加えて、ブレードカートリッジ磁石９９ａ及びブレードカートリッジ支持部材磁石９９ｂの可能な配置構成の様々な実施形態を概して示す。当然のことながら、これは例示目的でのみ提供され、本開示は、具体的にそのように主張されない限り、ブレードカートリッジ磁石９９ａ及びブレードカートリッジ支持部材磁石９９ｂの特定の配置構成に限定されない。
【０１５２】
[00267]  ブレードカートリッジ２２は、ブレードカートリッジ２２の回転を初期始動位置に対する回転の所定の範囲内に略限定するため、及び／又はブレードカートリッジ２２の別の面（例えば、１４０又は１５６）が選択されているという指示をユーザに提供するため、ブレードカートリッジ支持部材２４の対応する戻り止め、つめ及び／又は凹部６１０２と係合する１つ又は複数の戻り止め、つめ及び／又は凹部６３０２を任意選択的に含んでもよい。
【０１５３】
[00268]  図示の実施形態では、ブレードカートリッジ２２は、ブレードカートリッジ２２の１つ又は複数の側方端部から略外向きに延在する１つ又は複数の戻り止め６３０２を有する状態で示されている。戻り止め６３０２は、旋回軸ＰＡを中心として、例えば旋回ピン／シリンダ３４を中心として配置され得、かつブレードカートリッジ２２の戻り止め６３０２及びブレードカートリッジ支持部材２４の戻り止め６１０２が旋回軸ＰＡから略同じ距離（半径）で略整列されるように、旋回軸ＰＡからある距離（例えば、半径）に配置され得る。戻り止め６１０２、６３０２は、それぞれブレードカートリッジ支持部材２４及びブレードカートリッジ２２から、ブレードカートリッジ２２が旋回軸ＰＡを中心として回転すると戻り止め６１０２、６３０２が各々と略干渉するように外向きに延在してもよい。例えば、戻り止め６１０２、６３０２は、ブレードカートリッジ２２が旋回軸ＰＡを中心として回転すると互いに略接触し得る。戻り止め６１０２、６３０２の接触は、ブレードカートリッジ２２の時計回り及び／又は反時計回りのさらなる回転を略防ぎ得る。
【０１５４】
[00269]  例えば、２つの戻り止め６３０２ａ、６３０２ｂは、旋回軸ＰＡの略反対側に（例えば、互いに略１８０度離れて）整列され得る。戻り止め６３０２ａ、６３０２ｂを互いに１８０度離して整列させることは、ブレードカートリッジ２２が初期始動位置から各方向に（例えば、時計回り及び反時計回りに）およそ９０度回転することを略可能にする。当然のことながら、戻り止め６３０２の数及び整列は、ブレードカートリッジ２２が任意の所定の範囲内で回転することを可能にするように選択され得る。一例として、追加的な戻り止め６３０２は、ブレードカートリッジ２２が初期始動位置から９０度未満回転することを可能にするように、各々から１８０度未満（例えば、初期始動位置から９０度未満）に配置され得る。
【０１５５】
[00270]  一実施形態によると、戻り止め６１０２、６３０２は、略剛性であってもよい。従って、戻り止め６１０２、６３０２間の接触は、面選択力をかけることなく、ブレードカートリッジ２２のさらなる回転を略防ぐ。本明細書で使用する際、面選択力は、通常のシェービング中にブレードカートリッジ２２にかけられる通常の力を超えた力の量として定義される。異なる面（例えば、１４０又は１５６）を選択するためにブレードカートリッジ２２を所定の回転範囲を超えて回転させるため、ユーザは、面選択力であって、ブレードカートリッジ支持部材２４の支持アーム３０の１つ又は複数を外向きに偏向させ得、かつブレードカートリッジ２２とブレードカートリッジ支持部材２４との間の分離距離Ｄｓｅｐを増加させ得、それにより、ブレードカートリッジ２２の戻り止め６３０２がブレードカートリッジ支持部材２４の戻り止め６１０２を越えて回転することを可能にする面選択力をブレードカートリッジ２２に加えることができる。ブレードカートリッジ２２の戻り止め６３０２がブレードカートリッジ支持部材２４の戻り止めを越えると、ブレードカートリッジ支持部材２４によりブレードカートリッジ２２に抗してかけられた抵抗力は、著しく減少し、それによりユーザに別の面（例えば、１４０、１５６）が選択されたことを指示する。面選択力は、選択された通常のシェービング使用中に別の面が偶然に選択され得ないように、ユーザが面を選択するために必要な力を意図的に加えなければならないように選択され得る。
【０１５６】
[00271]  当然のことながら、ブレードカートリッジ２２及びブレードカートリッジ支持部材２４は、各端部にそれぞれ２つの戻り止め６３０２と１つの戻り止め６１０２とを有する状態で示されているが、戻り止め６３０２、６１０２の数及び配置構成は、意図された用途に依存して切り替え及び／又は変更され得る。
【０１５７】
[00272]  追加的に、当然のことながら、戻り止め６３０２、６１０２は剛性であるものとして説明されたが、戻り止め６３０２、６１０２の１つ又は複数は弾性的に変形可能であってもよい。このような配置構成では、支持アーム３０は略剛性であり得る（すなわち、別の面を選択するために支持アーム３０は偏向する必要はない）。
【０１５８】
[00273]  さらに、当然のことながら、戻り止め６３０２、６１０２の１つ又は複数は、凹部及び／又はつめと置き換えられ得る。非限定的な例として、ブレードカートリッジ２２上の戻り止め６３０２は凹部と置き換えられてもよく、ブレードカートリッジ支持部材２４上の戻り止め６１０２は凹部内に受けられてもよい。凹部の長さは、旋回軸ＰＡを中心とする回転の望ましい所定の範囲に略対応し得る。別の面を選択するため、ユーザは、戻り止め６１０２を変形させかつ／又は支持アーム３０を偏向させることのいずれかの面選択力を加える。当然のことながら、ブレードカートリッジ支持部材２４上の戻り止め６１０２は、凹部と置き換えられてもよく、ブレードカートリッジ２２上の戻り止め６３０２は、部内に受けられてもよい。代替的に、場合により、戻り止め６３０２、６１０２の１つ又は複数は、ブレードカートリッジ２２及び／又はブレードカートリッジ支持部材２４上の対応する凹部と係合するつめ（例えば、弾性的に変形可能なつめ）と置き換えられ得る。さらに、戻り止め６３０２、６１０２の１つ又は複数は、ブレードカートリッジ２２及び／又はブレードカートリッジ支持部材２４上の対応するつめ（例えば、弾性的に変形可能なつめ）と係合し得る。
【０１５９】
[00274]  さらに当然のことながら、図５８〜図６４のブレードカートリッジ旋回付勢機構９０は、本明細書で説明された任意の抵抗旋回機構に組み込まれ得る。例えば、図５８〜図６４のブレードカートリッジ旋回付勢機構９０は、本明細書で説明された任意のブレードカートリッジ回転リミッタ３５内に組み合わされ得る。さらに、図５８〜図６４のブレードカートリッジ回転リミッタ３５は、本明細書で説明された任意のブレードカートリッジ旋回付勢機構９０とともに使用され得る。磁石９９ａ、９９ｂはブレードカートリッジ２２及びブレードカートリッジ支持部材２４の支持アーム３０の側方端部に示されているが、当然のことながら、磁石９９ａ、９９ｂは、前エッジ領域１５７及び後／後部エッジ領域１５９にかつヨーク領域４７に配置され得る（例えば、図５５〜図５７に概略的に示されたとおり）。
【０１６０】
[00275]  同様にさらに当然のことながら、カートリッジ旋回付勢機構９０は両方のブレードカートリッジ磁石９９ａ及びブレードカートリッジ支持部材磁石９９ｂを有する状態で示されているが、これらの磁石９９ａ、９９ｂのいずれかは削除されてもよく、残りの磁石９９ａ又は９９ｂがブレードカートリッジ２２を初期始動位置に向かって付勢する吸引磁気付勢力を生じさせるように強磁性要素と置き換えられてもよい。
【０１６１】
[00276]  ここで図６５〜図６９を参照すると、抵抗旋回機構のさらなる実施形態が概略的に示されている。抵抗旋回機構は、ブレードカートリッジ旋回付勢機構９０及び／又はブレードカートリッジ回転リミッタ３５を含み得る。本明細書で説明されるとおり、ブレードカートリッジ旋回付勢機構９０は、ブレードカートリッジ２２が初期始動位置に対して旋回軸ＰＡを中心として時計回り及び反時計回りの両方に回転することを可能にし得る。初期始動位置は、ブレードカートリッジ２２に外力が加えられない場合のブレードカートリッジ支持部材２４及び／又はハンドル６０に対するブレードカートリッジ２２の場所／向き／位置に対応し得る。各面（例えば、面１４０、１５６）は、対応する初期始動位置を有し得る。
【０１６２】
[00277]  カートリッジ旋回付勢機構９０は、本明細書で説明された任意のカートリッジ旋回付勢機構９０を含み得る。図６５〜図６９に示された実施形態では、カートリッジ旋回付勢機構９０は、本明細書で説明されるとおり磁気付勢力をもたらすように構成された１つ又は複数の磁石９９ａ及び／又は９９ｂを含む。従って、簡潔さのためにカートリッジ旋回付勢機構９０の詳細はさらに詳細には説明されない。
【０１６３】
[00278]  図６５及び図６６〜図６７をさらに参照すると、ブレードカートリッジ支持部材２４の一実施形態が概略的に示されている。ブレードカートリッジ支持部材２４は、１つ又は複数の付勢されたつめ又はピン６６０２を含み得る。付勢されたつめ又はピン６６０２は、シリンダ６６０４と、例えばばね、空気圧などで付勢されたピン６６０６を含み得る。シリンダ６６０４は、ブレードカートリッジ支持部材２４と分離していても一体的（例えば、シリンダ６６０４が支持アーム３０により形成され得る）であってもよい。ピン又はつめ６６０６は、シリンダ６６０４から外向きに延在するように付勢され得る。各支持アーム３０は、付勢されたつめ／ピン６６０２とともに示されているが、各支持アーム３０は２つ以上の付勢されたつめ／ピン６６０２を有してもよく、又は付勢されたつめ／ピン６６０２を有しなくてもよいことが認められ得る。
【０１６４】
[00279]  図６５及び図６７〜図６９を引き続き参照すると、ブレードカートリッジ２２の一実施形態が概略的に示されている。ブレードカートリッジ２２は、ブレードカートリッジ２２の各面（例えば、１４０、１５６）に対応する１つ又は複数のカム又は凹部６８０２を含み得る。カム又は凹部６８０２は、旋回ピン／シリンダ３４の１つ又は複数に結合され得る。カム又は凹部６８０２は、付勢されたつめ／ピン６６０２のピン又はつめ６６０６を受けかつ／又は係合するように構成され得る。カム又は凹部６８０２及びピン／つめ６６０６の外形及び／又は長さは、ブレードカートリッジ２２のための所定の回転範囲を決定し得る。例えば、ピン／つめ６６０６は、ブレードカートリッジ２２が通常のシェービング使用中に所定の回転範囲内で相対的に容易に回転し得るように、外形付き表面（例えば、カム表面）に受けられてもよく、外形付き表面（例えば、カム表面）と係合してもよい。別の面（例えば、１４０、１５６）を選択するためにブレードカートリッジ２２を回転させるため、ユーザは、面選択力をブレードカートリッジ２２に加えてもよい。ピン／つめ６６０６がカム又は凹部６８０２を係合解除し得るように、面選択力は、ピン／つめ６６０６がシリンダ６６０４内の付勢機構（例えば、ばねなど）に抗して格納されるようにするのに十分であり得る。ユーザが引き続きブレードカートリッジ２２を回転させるため、ピン／つめ６６０６は、選択された面（例えば、１４０、１５６）に対応する別のカム／凹部６８０２と係合する。当然のことながら、付勢されたつめ／ピン６６０２及びカム６８０２の配置構成は切り替えられ得る。
【０１６５】
[00280]  ここで図７０〜図７６を参照すると、抵抗旋回機構のさらなる実施形態が概略的に示されている。抵抗旋回機構は、ブレードカートリッジ旋回付勢機構９０及び／又はブレードカートリッジ回転リミッタ３５を含み得る。本明細書で説明されるとおり、ブレードカートリッジ旋回付勢機構９０は、ブレードカートリッジ２２が初期始動位置に対して旋回軸ＰＡを中心として時計回り及び反時計回りの両方に回転することを可能にし得る。初期始動位置は、ブレードカートリッジ２２に外力が加えられていない場合のブレードカートリッジ支持部材２４及び／又はハンドル６０に対するブレードカートリッジ２２の場所／向き／位置に対応し得る。各面（例えば、面１４０、１５６）は対応する初期始動位置を有する。
【０１６６】
[00281]  図７０を参照すると、ヘッド組立体２０の一実施形態が概略的に示されており、ここで、ブレードカートリッジ２２は部品が除去された状態で断面において示されている。ブレードカートリッジ２２は、アクスル７００２の１つ又は複数のカム７００６と係合する戻り止めプレート７００４によりアクスル７００２に結合される。アクスル７００２は、１つ又は複数の付勢デバイス（例えば、限定するものではないが、図７１〜図７３に概略的に示されたとおり、ブレードカートリッジ支持部材２４の１つ又は複数の支持アーム３０に結合された１つ又は複数のねじりばね７００８を含む１つ又は複数のばね）により旋回軸ＰＡを中心として時計回りに及び／又は反時計回りに付勢される。例えば、支持アーム３０の１つ又は複数は、１つ又は複数のばね７００８の少なくとも一部を受けるために空洞、溝などを含み得る。特に、少なくとも２つのばね７００８は、アクスル７００２の一部の周りに少なくとも部分的に巻かれてもよく、アーム／耳状部及びカム７００６を、旋回軸ＰＡを中心としてそれぞれ時計回り又は反時計回りに付勢するため、カム７００６の１つ又は複数から外向きに延在する１つ又は複数のアーム／耳状部７０１０（例えば、図７１）に抗して係合し得る。カム７００６はアクスル７００２に結合されるため、アクスル７００２は戻り止めプレート７００４を通じてブレードカートリッジ２２に結合され、ばね７００８は、それにより、ブレードカートリッジ２２を初期始動位置に対して旋回軸ＰＡを中心として時計回り又は反時計回りのいずれかに付勢する。
【０１６７】
[00282]  戻り止めプレート７００４は、ブレードカートリッジ２２のフレームに結合／固定される。上述のとおり、戻り止めプレート７００４はブレードカートリッジ２２をアクスル７００２に結合する。特に、戻り止めプレート７００４（図７４〜図７６）は、戻り止めプレート７００４（従ってブレードカートリッジ２２のフレーム）をカム７００６に取り外し可能に結合する、従ってブレードカートリッジ２２のフレームをアクスル７００２に取り外し可能に結合するように、カム７００６のカム表面７１０２（図７１で最もよく見える）に抗して係合する１つ又は複数の弾性的に変形可能な戻り止め７４０２を含む。
【０１６８】
[00283]  別の面を選択するため、ユーザは、ブレードカートリッジ２２を時計回り又は反時計回りのいずれかに付勢するために面選択力をブレードカートリッジ２２に加えてもよい。ブレードカートリッジ２２が回転すると、ばね７００８は抵抗力を加える。ばねの抵抗力が弾性的に変形可能な戻り止め７４０２の締付力を超えると、弾性的に変形可能な戻り止め７４０２は、カム表面７１０２から係合解除し、それにより、戻り止めプレート７００４（従ってブレードカートリッジ２２のフレーム）がカム７００６及びアクスル７００２に対して回転できるようにする。ユーザが、ブレードカートリッジ２２をカム７００６及びアクスル７００２の周りで引き続き回転させると、弾性的に変形可能な戻り止め７４０２は、選択された面（例えば、１４０、１５６）に対応して整列したカム表面に抗して係合する。例えば、ユーザは、弾性的に変形可能な戻り止め７４０２がカム７００６から係合解除すると、ブレードカートリッジ２２をおよそ１８０度回転させてもよい。ブレードカートリッジ２２の望ましい面が選択されると、ユーザはブレードカートリッジ２２を解放し、ばね７００８は、ブレードカートリッジ２２を所定の回転範囲内の新たな初期始動位置で整列させる（例えば、中心に置かれるようにする）。
【０１６９】
[00284]  本開示の別の特徴部によると、ヘッド組立体２０は、１つ又は複数の磁石を使用してハンドル６０に結合されてもよい。例えば、１つ又は複数の磁石はヘッド組立体２０の一部に結合／固定されてもよく、１つ又は複数の磁石がハンドル６０の一部（例えば、カラー）に結合／固定され得る。ヘッド組立体２０及びハンドル６０における磁石は、通常のシェービング使用中にヘッド組立体２０をハンドル６０に接合するのに十分な吸引磁力を生じさせるように構成され得る。追加的に、１つ又は複数の機械的締結具（例えば、クリップ、スナップ、スレッド、ポスト、凹部など）が使用されてもよい。例えば、ヘッド組立体２０は、ハンドル６０から延在するポスト／突出部を受けるように構成された凹部／空洞を含み得る。ヘッド組立体２０及びハンドル６０は、それぞれ磁石を含んでもよいが、当然のことながら、ヘッド組立体２０又はハンドル６０のみが１つ又は複数の磁石を含んでもよく、他方のコンポーネントは、磁石の磁場により吸引される強磁性材料を含み得る。磁石の１つ又は複数は、電磁石及び／又は永久磁石を含み得る。同様に当然のことながら、ヘッド組立体２０及びハンドル６０の磁気結合は、本明細書で説明された任意のヘッド組立体２０及びハンドル６０とともに使用されてもよい。
【０１７０】
[00285]  ここで図７７〜図７８を参照すると、本開示と合致する１つ又は複数の磁石を使用して一緒に結合されるように構成されたヘッド組立体２０及びハンドル６０の一実施形態が概略的に示されている。特に、図７７は、分解状態にあるヘッド組立体２０及びハンドル６０を概略的に示し、図７８は、組み立てられた状態にあるヘッド組立体２０及びハンドル６０を概略的に示す。当然のことながら、本明細書で説明された磁気接続部は、限定するものではないが、本明細書で説明された任意のヘッド組立体を含む、当業者に既知の任意のヘッド組立体とともに使用されてもよい。
【０１７１】
[00286]  分かり得るとおり、１つ又は複数の磁石７７０２がヘッド組立体２０の一部に結合／固定されてもよく、１つ又は複数の磁石７７０４がハンドル６０の一部（例えば、カラー７７１４）に結合／固定されてもよい。ヘッド組立体２０及びハンドル６０における磁石７７０２、７７０４は、通常のシェービング使用中にヘッド組立体２０をハンドル６０に接合するのに十分な吸引磁力を生じさせるように構成されてもよい。追加的に、１つ又は複数の機械的締結具（例えば、クリップ、スナップ、スレッド、ポスト、凹部など）が使用されてもよい。例えば、ヘッド組立体２０は、ハンドル６０から延在するポスト／突出部７７０８を受けるように構成された凹部／空洞７７０６を含み得る（しかし、当然のことながら、凹部／空洞７７０６及びポスト／突出部７７０８の配置構成は切り替えられ得る）。
【０１７２】
[00287]  ヘッド組立体２０及びハンドル６０がそれぞれ磁石７７０２、７７０４を含み得る一方、任意選択的にヘッド組立体２０又はハンドル６０は１つ又は複数の磁石を含んでもよく、他方のコンポーネントは、磁石の磁場により吸引される強磁性材料を含み得る。磁石７７０２、７７０４の１つ又は複数は、電磁石及び／又は永久磁石を含み得る。同様に当然のことながら、ヘッド組立体２０及びハンドル６０の磁気結合は、本明細書で説明された任意のヘッド組立体２０及びハンドル６０とともに使用され得る。
【０１７３】
[00288]  １つ又は複数の磁石７７０２、７７０４は、ヘッド組立体２０及び／又はハンドル６０の外面７７１０、７７１２に露出され得る。このような実施形態では、１つ又は複数の磁石７７０２、７７０４は、組み立てられた状態にあるときに互いに接触し得る。
【０１７４】
[00289]  代替的に（又は加えて）、１つ又は複数の磁石７７０２、７７０４は、ヘッド組立体２０及び／又はハンドル６０の外面７７１０、７７１２により覆われ得る。このような実施形態では、１つ又は複数の磁石７７０２、７７０４は、互いに接触してもよく、代わりに、組み立てられた状態にあるとき、磁気空間又は間隙が磁石７７０２、７７０４間に存在してもよい。組み立てられた状態にあるときに磁石７７０２、７７０４間に磁気空間又は間隙を提供することは、ヘッド組立体２０がハンドル６０に対して長手方向に（例えば、図７８における矢印７８０２に略沿って）動くことを可能にし得る。ハンドル６０に対するヘッド組立体２０のこの移動は、シェービング中に衝撃吸収効果を提供することができ、かつ／又はシェービング中にユーザが過剰な圧力を加えていることをユーザに知らせることに役立つ。一実施形態によると、ポスト／突出部７７０８は、最初に組み立てられたときにポスト／突出部７７０８が凹部／空洞７７０６のベースに接触するように前方に付勢され得る。使用中、ヘッド組立体２０及び／又はハンドル６０のいずれかに加えられた力は、ヘッド組立体２０に、ポスト／突出部７７０８の付勢力に抗して力をかけさせることができ、それにより付勢力に抗してポスト／突出部７７０８を移動させ、ヘッド組立体２０がハンドル６０に対して移動することを可能にする。
【０１７５】
[00290]  本明細書で検討されるとおり、ハンドル６０は、ハンドル６０の本体部分７７１６に取り付けられ、固定され、かつ／もしくは他に結合された、又はハンドルの一部として成形されたカラー７７１４を含み得る。任意選択的に、カラー７７１４は、単一ユニットとして本体部分７７１６の一部として組み込まれ得る。一実施形態によると、ポスト／突出部７７０８は本体部分７７１６から略外向きに延在することができ、カラー７７１４におけるポスト空洞７７１８内に少なくとも部分的に受けられてもよい。この配置構成の１つの利点は、磁石７７０４はカラー７７１４内に固定（例えば、限定するものではないが、オーバーモールド）されてもよく、カラー７７１４は本体部分７７１６に固定されてもよいことである。これは、磁石７７０４の数、サイズ、形状、及び／又は配置構成が、本体部分７７１６の製造（例えば、限定するものではないが、成形）を変える必要なく、様々な設計のために容易に変更されることを可能にし得る。これは、複数の異なる本体部分７７１６に単一のカラー７７１４が使用されることも可能にし得る。
【０１７６】
[00291]  ここで図７９〜図８０を参照すると、本開示と合致する１つ又は複数の磁石を使用して一緒に結合されるように構成されたヘッド組立体２０及びハンドル６０の別の態様が概略的に示されている。特に、図７９は、分解状態にあるヘッド組立体２０及びハンドル６０を概略的に示し、一方で、図８０は、組み立てられた状態にあるヘッド組立体２０及びハンドル６０を概略的に示す。当然のことながら、限定するものではないが、本明細書で説明された任意のヘッド組立体を含む当業者に既知の任意のヘッド組立体を備えた、本明細書で説明された磁気接続部が使用されてもよい。
【０１７７】
[00292]  図７７〜図７８で説明された実施形態が磁気吸引力をヘッド組立体２０及びハンドル６０を一緒に結合するために用い得る（例えば、磁場が、ヘッド組立体２０及びハンドル６０を互いに向かって付勢する吸引力をもたらすように、磁石７７０２、７７０４の１つ又は複数の極が整列される）一方、図７９〜図８０のヘッド組立体２０及びハンドル６０は、少なくとも２つの磁石（例えば、中央磁石７９０２及び環状磁石７９０４）であって、それらの磁場が、本明細書で説明されるとおりヘッド組立体２０及びハンドル６０を一緒に結合する磁気反発力をもたらすように、それらの極が整列された少なくとも２つの磁石を含む。
【０１７８】
[00293]  例えば、ヘッド組立体２０は、１つ又は複数の中央磁石７９０２であって、１つ又は複数の環状磁石７９０４を含む空洞（例えば、ハンドル空洞）７９０８に少なくとも部分的に受けられるように構成され、かつまた環状磁石７９０４の中央領域に少なくとも部分的に受けられるように同様に構成された１つ又は複数の中央磁石７９０２を含む突出部（例えば、ヘッド突出部）７９０６を含み得る。環状磁石７９０４は、１つ又は複数の環状、環帯状、及び／又はトロイド状（例えば、円形、リング状、円盤状など）形状の磁石（例えば、永久磁石及び／又は電磁石のいずれか）を含み得る。代替的に（又は加えて）、環状磁石７９０４は、略環状、環帯状、及び／又はトロイド状磁場（例えば、略環状、環帯状、及び／又はトロイド状パターンを形成する磁力線を有する磁場）を生じさせるために略環状、環帯状、及び／又はトロイド状（例えば、円形、リング状、円盤状、ドーナツ状など）構成におよそ配置された複数の（例えば、配列）磁石を含み得る。中央磁石７９０２は任意の磁石（例えば、永久磁石及び／又は電磁石）、例えば、限定するものではないが、ディスク磁石などを含み得る。
【０１７９】
[00294]  上で言及したとおり、ヘッド組立体２０及びハンドル６０は、ヘッド組立体磁石７９０２とハンドル磁石７９０４との間の反発磁力を使用して一緒に結合され得る。特に、本発明者らは、中央磁石７９０２及び環状磁石７９０４（中央磁石７９０２の外寸ＯＤ７９１２以上の内寸ＩＤ７９１０を有する）が、中央磁石７９０２が環状磁石７９０４の中央領域７９２０を通過し得るように、略軸方向に軸７９１４に沿って互いに対して（例えば、空洞７９０８のＩＤ７９１８に対する突出部７９０６のＯＤ７９１６のために）移動するように制約され、かつ磁極が軸７９１４に沿って同じ方向を向くようにさらに配向される場合、結果としての力対変位曲線（例えば、図８１Ａ〜図８１Ｂを参照されたい）が従来の機械戻り止めのものと極めて類似することを発見した。
【０１８０】
[00295]  特に、図８１Ａ及び図８１Ｂを参照すると、環状磁石７９０４に対する中央磁石７９０２の変位（例えば、移動）を、結果としての磁力（例えば、空洞７９０８に入るか又は空洞７９０８から離れる）に加えて示す図が概略的に示される。図８１Ａを参照すると、磁石７９０２、７９０４が互いに方向８１００に軸７９１４に沿って近づく（例えば、ヘッド組立体２０がハンドル６０に向かって進められる）と、それらの間の磁場８１０２、８１０４によりもたらされた反発力Ｆは、最初にヘッド組立体２０の、空洞７９０８に向かう移動に抵抗する力（例えば、領域８１０６）をもたらし、中央磁石７９０２が環状磁石７９０４に近づくと増大（例えば、増加）し、次いで磁石７９０２、７９０４が位置Ｃで整列されると減少し始める（例えば、実質的にゼロまで）（例えば、磁石７９０２、７９０４の磁場８１０２、８１０４が互いに釣り合いを取り、ヘッド組立体２０及びブレード６０を軸７９１４に沿って付勢する力は実質的にもたらされない）。中央磁石７９０２及び環状磁石７９０４が位置Ｃで整列されると、不安定な均衡が達成されることが認められ得る。中央磁石７９０２及び環状磁石７９０４をこの位置にとどめることは難しい場合がある。この不安定な均衡は戻り止め感をもたらすものである。
【０１８１】
[00296]  図８１Ｂを参照すると、磁石７９０２が、方向８１００において軸７９１４に沿って位置Ｃを越えて移動し続ける（例えば、それらが環状磁石７９０４の中央領域７９２０を通過し始める）と、それらの間の磁場８１０２、８１０４によりもたらされた反発力Ｆは、領域８１０６に対して切り替わり、ヘッド組立体２０をハンドル６０に向かって付勢する力（例えば、領域８１０８）をもたらす。力のこの領域８１０８は、最初、磁場が散逸し始めるまで増大し続ける。領域８１０８では、力は、中央磁石７９０２を環状磁石７９０４から離して押し始め、それにより、ヘッド組立体２０をハンドル６０に向かって付勢する。ヘッド組立体２０をハンドル６０に向かって押しているユーザの視点から、知覚は、ピーク力まで増加する初期の抵抗、その後の、中央磁石７９０２が環状磁石７９０４の中央領域７９２０を通過するときの「支援」であり、反対方向反発力が引き継ぐ。ハードストップが適切に配置されると（例えば、空洞７９０８のベースに接触している突出部７９０６の末端部、空洞７９０８への開口を囲む基端表面に接触している突出部７９０６のベース領域、及び／又は互いに接触している突出部７９０６及び空洞７９０８の先細表面のいずれかのために、突出部７９０６が空洞７９０８に対して「最も低い位置にある」）、領域８１０８における反発力は、ヘッド組立体２０をハンドル６０に抗して保持し、結果としてヘッド組立体２０とハンドル６０との間の確実な保持がもたらされる。
【０１８２】
[00297]  反発磁気接続は、環状磁石７９０４の中央領域７９２０を通過する中央磁石７９０２の磁力線間の相互作用の特徴の結果である（例えば、ＩＤとＯＤとの間の面（例えば、平面）から出る力線と方向が反対である力線が、環状磁石７９０４の中央領域７９２０にあること。結果として、中央磁石７９０２が環状磁石７９０４のＩＤに近づくと（図８１Ａ）、中央磁石７９０２及び環状磁石７９０４の極が互いに向かって反対の極で配向されるとしても（これは、環状磁石７９０４に穴も中央領域７９２０もない場合、吸引磁力を生じさせ得る）、ＩＤ内の環状磁石の磁場８１０４は、中央磁石７９０２の磁場８１０２に対向し、反発磁力を引き起こす。ここでも同様に、当然のことながら、環状磁石７９０４が略円形の配列に配置された複数の分離した磁石に取って代わられると同じ効果がもたらされ得る。
【０１８３】
[00298]  図７９及び図８０に戻ると、任意選択的なヘルパー磁石７９２２が空洞７９０８のベースに近接して設けられてもよい。ヘルパー磁石７９２２は、中央磁石７９０２に対して整列した極を、それらの間に吸引磁力をもたらすために有してもよい。中央磁石７９０２とヘルパー磁石７９２２との間の吸引磁力は、ヘッド組立体２０とハンドル６０との間の保持力をさらに増加させることができ、一方でユーザがハンドル６０へのヘッド組立体２０の挿入中に経験し得る固有の「戻り止め」特徴部を依然として保持する。
【０１８４】
[00299]  図示の実施形態では、環状磁石７９０４及び空洞７９０８は、カラー７７１４の一部であるが、当然のことながら、これは具体的にそのように主張されない限り本開示の限界ではない。追加的に、当然のことながら、ヘッド組立体２０及びハンドル６０は、ハンドル空洞７９０８内に受けられたヘッド突出部７９０６を有する状態で示されているが、この配置構成は逆にされてもよく（例えば、ヘッド組立体２０は、環状磁石７９０４を有するヘッド組立体空洞を含んでもよく、ハンドル６０は、中央磁石７９０２を有するハンドル突出部を含んでもよい）、当業者であれば、本開示に基づいて必要な任意の追加的な修正形態を理解するであろう。
【０１８５】
[00300]  ここで図８２を参照すると、ヘッド組立体２０とハンドル６０との間の磁気接続部の別の実施形態が概略的に示されている。磁気接続部は、任意選択的なヘルパー磁石７９２２が浮揚性／反発磁石８２０２と置き換えられ得ることを除き、図７９〜図８０に示された配置構成と同様であり得る。特に、浮揚性／反発磁石８２０２は、中央磁石７９０２を吸引するのではなくそれに反発するように、ヘルパー磁石７９２２と比べてその極が反対にされていてもよい。それにより浮揚性／反発磁石８２０２は、中央磁石（従ってヘッド組立体２０）に、環状磁石７９０４と浮揚性／反発磁石８２０２との間のポイントで釣り合いを取らせる（又は空中静止又は浮揚させる）。好適な間隙又は空間８４０４がヘッド組立体２０及びハンドル６０の嵌合表面間に残る場合、ヘッド組立体２０は、偏向後に釣り合いポイントに常に戻る一方、軸７９１４に沿って軸方向に浮揚するように見え、それにより剃刀システム１０に小さい衝撃吸収効果を与える。ヘッド組立体２０は、従って、空間８４０４内を軸７９１４に沿って軸方向に移動し得る。中央磁石７９０２が浮揚性／反発磁石８２０２に向かって付勢されると、それらの間の反発力は中央磁石７９０２及び浮揚性／反発磁石８２０２が近づくにつれ、それらが接触するまで増加し、そのポイントでハードストップが知覚される。これは、変位に伴い、抵抗力が最終的に密着長さを得るまで増加する圧縮ばねの挙動に極めて類似していることが認められ得る。
【０１８６】
[00301]  図７９〜図８０と同様に、当然のことながら、ヘッド組立体２０及びハンドル６０は、ハンドル空洞７９０８に受けられたヘッド突出部７９０６を有する状態で示されているが、この配置構成は逆にされてもよく（例えば、ヘッド組立体２０は、環状磁石７９０４と浮揚性／反発磁石８２０２とを有するヘッド組立体空洞を含んでもよく、ハンドル６０は、中央磁石７９０２を有するハンドル突出部を含んでもよい）、当業者であれば、本開示に基づいて必要な任意の追加的な修正形態を理解するであろう。空間８４０４は、弾性的に変形可能なソックス、ゲートルなどで任意選択的に覆われてもよい。追加的に、当然のことながら、本明細書で説明された磁気接続部は、限定するものではないが、本明細書で説明された任意のヘッド組立体を含む、当業者に既知の任意のヘッド組立体とともに使用されてもよい。
【０１８７】
[00302]  ここで図８３を参照すると、ヘッド組立体２０とハンドル６０との間の磁気接続部の別の実施形態が概略的に示されている。図８２と同様に、磁気接続部は、浮揚性特徴部を含み得るが、図８２の浮揚性／反発磁石８２０２は省略されてもよく、代わりに、釣合いは、環状磁石７９０４に対する中央磁石７９０２の極の関係により（すなわち、中央磁石７９０２の極が環状磁石７９０４の反対の極であるように）達成されてもよい。挿入中にヘッド組立体２０がハンドル６０に近づくにつれ、抵抗は、図７９〜図８０に示された配置構成と比べて減少し得るが、戻り止めの効果は手動で依然として達成され得る。中央磁石７９０２と環状磁石７９０４との間の釣合いポイントは、２つの磁石７９０２、７９０４が同一平面上又は実質的に同一平面上にある場合に生じ、軸７９１４に沿ったいずれかの方向の小さい偏向後に釣り合いポイントへ戻る。短い偏向について、挙動は、図８２に示された配置構成のものと極めて同様であるが、図８３の復帰力は、より大きい偏向では（図８２の配置構成におけるとおり増加するのではなく）減少し、なぜなら、浮揚性／反発磁石８２０２がないと、復帰力のみが中央磁石７９０２と環状磁石７９０４との間の吸引力により生成され、この吸引力は偏向が増加するに伴いさらに増大するからである。当然のことながら、本明細書で説明された磁気接続部は、限定するものではないが、細書で説明された任意のヘッド組立体を含む、当業者に既知の任意のヘッド組立体とともに使用されてもよい。
【０１８８】
[00303]  ここで図８４〜図８５を参照すると、ブレードカートリッジ２２をブレードカートリッジ支持部材２４に固定するためのブレードカートリッジ接続機構である。特に、図８４及び図８５は、それぞれ組み立てられていない状態及び組み立てられた状態のブレードカートリッジ２２及びブレードカートリッジ支持部材２４の斜視図を概略的に示すが、図８６及び図８７は、それぞれ組み立てられていない状態及び組み立てられた状態のブレードカートリッジ２２及びブレードカートリッジ支持部材２４の断面側面図を概略的に示す。
【０１８９】
[00304]  ブレードカートリッジ２２は、限定するものではないが、本明細書で説明された任意のブレードカートリッジ２２を含む、任意の当業者に既知のブレードカートリッジを含み得る。ヘッド組立体２０は、本明細書で説明された任意の抵抗旋回機構、例えば、限定するものではないが、磁気抵抗旋回機構を任意選択的に含み得る。図示のとおり、ブレードカートリッジ支持部材２４は、２つの略曲線の支持アーム３０（略Ｃ字型又はＬ字型）を有する略Ｕ字型のカートリッジ支持フレーム２６を含むが、当然のことながら、これは具体的にそのように主張されない限り本開示の限界ではない。
【０１９０】
[00305]  ブレードカートリッジ２２は、フレーム１８８の側方エッジから外向きに延在する１つ又は複数の旋回ピン／シリンダ３４を有するフレーム１８８（一部片又は限定するものではないが、貝殻意匠など、複数部片のいずれかであり得る）を含み得る（例えば、それぞれフレーム１８８全体にわたって延在する単一の旋回ピン／シリンダ３４、又はフレーム１８８の第１及び第２の側方エッジから外向きに延在する第１及び第２の旋回ピン／シリンダ３４）。旋回ピン／シリンダ３４の１つ又は複数の部分（例えば、末端部領域）は、１つ又は複数の磁石及び／又は鉄材料を含み得る。
【０１９１】
[00306]  ブレードカートリッジ支持部材２４は、１つ又は複数の旋回軸レセプタクル３２を含む。例えば、各支持アーム３０は、旋回軸レセプタクル３２を含み得る。旋回軸レセプタクル３２の少なくとも１つは、ブレードカートリッジ２２の対向する側面の一方に位置する旋回ピン／シリンダ３４の少なくとも一部を受けるように構成された（例えば、図８５及び図８７に概略的に示されるとおり）受け入れポケット又は空洞８６０２（図８６で最もよく見える）を含み得る。
【０１９２】
[00307]  再び図８６を参照すると、ポケット又は空洞８６０２は、開いた端部８６０４であって、それを通って旋回ピン／シリンダ３４がポケット又は空洞８６０２内へ受けられ得る開いた端部８６０４を含み得る。ポケット又は空洞８６０２は、旋回ピン／シリンダ３４がポケット又は空洞８６０２へ入ることを円滑にするために先細エントリ及び／又は先細側壁も含み得る。一実施形態によると、旋回軸レセプタクル３２は、１つ又は複数のブレードカートリッジ旋回軸と、保持磁石８６０６（例えば、１つ又は複数の永久磁石及び／又は電磁石）であって、その中に受けられた旋回ピン／シリンダ３４と吸引磁力をもたらすように構成された保持磁石８６０６とを含む。例えば、旋回ピン／シリンダ３４は、ブレードカートリッジ旋回及び保持磁石８６０６に磁気的に吸引され、それによりブレードカートリッジ２２をブレードカートリッジ支持部材２４に取付け、固定、及び／又は他に結合する鉄材料を含み得る。代替的に（又は加えて）、旋回ピン／シリンダ３４は、磁石であって、その極がブレードカートリッジ旋回及び保持磁石８６０６に磁気的に吸引され、それによりブレードカートリッジ２２をブレードカートリッジ支持部材２４に取付け、固定、及び／又は他に結合するように整列する磁石を含み得る。いずれの場合にも、ブレードカートリッジ２２は、ブレードカートリッジ支持部材２４に対して最大で３６０°度を含む任意の角度で旋回軸ＰＡを中心として回転し得る。
【０１９３】
[00308]  実際には、ユーザは、旋回ピン／シリンダ３４とポケット又は空洞８６０２との間に（１つ又は複数のブレードカートリッジ旋回及び保持磁石８６０６により）生じた磁気引力が、旋回ピン／シリンダ３４（従ってブレードカートリッジ２２）が旋回軸レセプタクル３２のポケット又は空洞８６０２に取り付けられるまで、組み立てられていないブレードカートリッジ２２をポケット又は空洞８６０２の開口８６０４に近接して位置し得る。同様に、ユーザは、旋回ピン／シリンダ３４（従ってブレードカートリッジ２２）を旋回軸レセプタクル３２のポケット又は空洞８６０２から手動で（又は工具を使用して）引き離す又は取り除くことにより、ブレードカートリッジ２２を旋回軸レセプタクル３２から除き得る（例えば、取り外し得る）。
【０１９４】
[00309]  当然のことながら、旋回軸レセプタクル３２は１つ又は複数のブレードカートリッジ旋回及び保持磁石８６０６を有する状態で示されているが、ブレードカートリッジ旋回及び保持磁石８６０６は、旋回ピン／シリンダ３４の１つ又は複数にのみ任意選択的に配置されてもよい。このような配置構成では、旋回軸レセプタクル３２は、旋回ピン／シリンダ３４のブレードカートリッジ旋回及び保持磁石８６０６に磁気的に吸引される鉄材料を含み得る。
【０１９５】
[00310]  同様に当然のことながら、ブレードカートリッジ支持部材２４の各アーム３０は、１つ又は複数のブレードカートリッジ旋回及び保持磁石８６０６を含む旋回軸レセプタクル３２を有する状態で示されているが、１つのみのアーム３０が、１つ又は複数のブレードカートリッジ旋回及び保持磁石８６０６を有する旋回軸レセプタクル３２を含んでもよい。
【０１９６】
[00311]  さらに、旋回軸レセプタクル３２及び旋回ピン３４の１つ又は複数の場所は切り替えられ得る（例えば、旋回軸レセプタクル３２の１つ又は複数はブレードカートリッジ２２に位置してもよく、旋回ピン／シリンダ３４の１つ又は複数はブレードカートリッジ支持部材２４の支持アーム３０から外向きに延在してもよい）。
【０１９７】
[00312]  追加的に、ブレードカートリッジ２２はハンドル６０に取り外し可能に結合されている状態で示されているが、ブレードカートリッジ支持部材２４及びハンドル６０は、任意選択的に、一体的な、単一の、又は一部片構造であってもよい。
【０１９８】
[00313]  ここで図８８〜図９２を参照すると、図８４〜図８７に関して本明細書で説明された実施形態の任意の１つは、１つ又は複数のブレードカートリッジ保持器８８０２を任意選択的に含み得る。ブレードカートリッジ保持器８８０２は、ブレードカートリッジ支持部材２４からのブレードカートリッジ２２の偶発的除去／解放を減らしかつ／又は防ぐように構成され得る。一実施形態によると、（図８８〜図８９に示されるとおり）、ブレードカートリッジ保持器８８０２は、１つ又は複数の付勢デバイス、例えば、限定するものではないが、ばねクリップ及び／又は弾性的に変形可能な突出部８８０４を含み得る。ブレードカートリッジ保持器８８０２は、空洞８６０２の一部から外向きに、例えばその開口に近接して延在し得る。実際、ユーザは、旋回ピン／シリンダ３４を空洞８６０２に挿入してもよい。旋回ピン／シリンダ３４が空洞８６０２に挿入されると、ブレードカートリッジ保持器８８０２は、旋回ピン／シリンダ３４がブレードカートリッジ保持器８８０２の傍を通り、旋回ピン／シリンダ３４が空洞８６０２内に据えられるまで、わきへ避けるように弾性的に変形、偏向、及び／又は移動され得る。空洞８６０２内に据えられる／受けられると（図８９に概略的に示されたとおり）、ブレードカートリッジ保持器８８０２は、ブレードカートリッジ保持器８８０２を外れるように変形、偏向、及び／又は移動させるのに十分に大きい力がかけられない限り、旋回ピン／シリンダ３４が空洞８６０２との係合から出るように動くことを概して防ぎ得る。
【０１９９】
[00314]  代替的に（又は加えて）、ブレードカートリッジ保持器８８０２は、図９０〜図９２に概略的に示されたとおり１つ又は複数の付勢デバイス、例えば、限定するものではないが、戻り止め、弾性的に変形可能なつめ、レバーなど９００２を含み得る。例えば、レバー９００２は、ばね付勢されていてもよく（ばねは見えない）、保持位置（図９０〜図９２に概略的に示されたとおり）にあるときに空洞８６０２の開口にわたって少なくとも部分的に延在するように、かつレバー９００２がわきへ避けるように回転することができ、旋回ピン／シリンダ３４が空洞８６０２に入る及び／又はそれから出ることができるように、旋回ポイント９００６を中心として旋回するように構成された係合部分（例えば、係合ランプ）９００４を含み得る。レバー９００２は、ユーザがレバー９００２を、旋回軸９００６を中心として回転させることを可能にする作動領域９００８（例えば、限定するものではないが、隆起した部分）も含み得る。従って、認められ得るとおり、レバー９００２は係合位置へ付勢され得る。
【０２００】
[00315]  ここでも同様に、当然のことながら、ブレードカートリッジ２２及びブレードカートリッジ支持部材２４に対する空洞８６０２及び旋回ピン／シリンダ３４の配置構成は逆にされてもよく、従ってブレードカートリッジ保持器８８０２は逆にされ得る。同様に当然のことながら、カートリッジ旋回及び保持磁石８６０６は削除されてもよい。
【０２０１】
[00316]  本明細書で説明された磁石のいずれも、永久磁石及び／又は電磁石のいずれかであり得る。電磁石が使用されるとき、結果としての磁場の向きを選択的に変化させるように電流が調整され得ることも認められ得る。磁石は、任意のタイプの磁石、例えば、限定するものではないが、（限定するものではないが、ネオジム磁石及びサマリウム−コバルト磁石を含む）レアアース（ランタニド）磁石、単分子磁石、単鎖磁石、ナノ構造磁石、アルニコ磁石などを含み得る。磁石は、磁気被膜及び／又は層を含み得る。例えば、磁石は、磁気ドープ材料、例えば、限定するものではないが、磁気顔料、磁気ポリマー、磁気セラミックス、磁気複合材料、及び／又は同様のものを含み得る。
【０２０２】
[00317]  ヘッド組立体２０の剃刀ブレード１４２は、ヘッド組立体２０の組立中に前及び／又は後に搭載され得る。
【０２０３】
[00318]  本明細書における先行する実施形態は、軸方向磁化ディスクが軸方向磁化リングを通過し、２つの磁石の極が同じ方向を向いている、軸方向磁化ディスクを説明する。例えば（及び非限定的に）、図７９〜図８２に示されるいくつかの実施形態は、剃刀のハンドル６０へ取り付けられたリング又は環状磁石７９０４と、ヘッド組立体２０へ取り付けられたディスク又は中央磁石７９０２とを概して含み、カートリッジが剃刀ハンドルに設置されていたので従来の機械戻り止めと同様の効果を生じさせる。本開示に基づいて認められ得るとおり、いずれの要素（ハンドル６０又はヘッド組立体２０）がリング又は環状磁石７７０４を含むかどうか、及びいずれの要素がディスク又は中央磁石７９０２を含むかどうかに関わらず、磁気戻り止め又はスナップ効果は同じままであり、さらに、この効果は、任意の好適な形状又は向き（例えば、ハンドル６０から延在する突出部７９０６及びヘッド組立体２０に形成された空洞７９０８）の嵌合特徴部（例えば、突出部７９０６及び／又は空洞７９０８）で得られ得る。
【０２０４】
[00319]  さらに、予め本明細書で説明されたとおり、同様の極が互いの方を向く２つの磁石は、カートリッジヘッドを、それがシェービングストローク中に偏向された後、その初期始動位置（ＩＳＰ）に従来的に戻す機構に取って代わるために使用され得る。
【０２０５】
[00320]  ここで図９３〜図９６を参照すると、抵抗旋回機構及び／又はブレードカートリッジをハンドルへ結合するための接続機構の別の実施形態が概略的に示されている。図示の実施形態では、ハンドル６０は、ブレードカートリッジ支持部材２４における支持部材空洞９３０４形状、例えばハンドル６０に対して使い捨てヘッド組立体２０（例えば、ブレードカートリッジ支持部材２４）の位置を略位置付けるヨーク又はヨーク領域４７の一部内に少なくとも部分的に受けられるようなサイズ及び形状にされたハンドル突出部、突起部又はポスト９３０２を含む（例えば、概して左右の動きを防ぐ）。図示の実施形態では、ハンドルポスト９３０２は略円筒形状を有し、支持部材空洞９３０４は、ハンドル６０とブレードカートリッジ支持部材２４との間の相対的移動を略防ぐため、ハンドルポスト９３０２の外径に略対応する内径を有する略環状の形状を有する。任意選択的に、ハンドルポスト９３０２は、１つ又は複数の係止特徴部９３０６であって、ブレードカートリッジ支持部材２４の、矢印９３１０により概略的に示された方向の回転を略制限しかつ／又は防ぐため、支持部材空洞９３０４の１つ又は複数の対応する係止特徴部９３０８に係合する１つ又は複数の係止特徴部９３０６を含み得る。例えば、係止特徴部９３０６、９３０８は、回転を略防ぐ錠鍵タイプの配置構成で互いに係合し得る。一実施形態では、係止特徴部９３０６は、突出部を含んでもよく、係止特徴部９３０８は、突出部のサイズ及び形状に略対応するサイズ及び形状を有する空洞を含み得る（しかし、当然のことながら、突出部及び空洞の配置構成は切り替えられ得る）。代替的に（又は加えて）、ハンドルポスト９３０２及び支持部材空洞９３０４は、ブレードカートリッジ空洞９３０４の内面がハンドルポスト９３０２の外面にそれらの間の回転を防ぐために係合するように、非円形の断面を有してもよい。
【０２０６】
[00321]  ハンドルポスト９３０２は、１つ又は複数のディスク又は中央磁石９３１２であって、図９３、図９４及び図９５に概略的に示されたとおり、ブレードカートリッジ支持部材２４（例えば、支持部材空洞９３０４及び／又はヨーク領域４７の中央部分）に結合された１つ又は複数のリング又は環状磁石９３１６の中央領域９３１４を少なくとも部分的に通過する１つ又は複数のディスク又は中央磁石９３１２を含み得る。分かり得るとおり、環状磁石９３１６の支持部材空洞９３０４及び中央領域９３１４は実質的に同軸であってもよい。一実施形態によると、ブレードカートリッジ支持部材２４は、ブレードカートリッジ２２に略向かって外向きに延在するタレット９３２０を任意選択的に含み得る。中央磁石９３１２の末端部分は、タレット９３２０の開口又は内部面と実質的に同一平面上にあってもよく、又は開口を通って延在してもよい。
【０２０７】
[00322]  本明細書で説明されるとおり（例えば、図７９〜図８２及び対応する説明を参照されたい）、中央磁石９３１２及び環状磁石９３１６の極は、反発磁力が磁石９３１２、９３１６間に生成され、それにより、ブレードカートリッジ支持部材２４及びハンドル６０を一緒に付勢するように整列される。支持部材空洞９３０４（及び任意選択的に係止特徴部９３０６、９３０８及び／又は非円形の断面）とのハンドルポスト９３０２の反発磁力及び相互作用の組合せは、ブレードカートリッジ支持部材２４及びハンドル６０を互いに対して略固定しかつ／又は固着させて、それらの間に接続部を形成し得る。
【０２０８】
[00323]  ブレードカートリッジ２２は、ブレードカートリッジ支持部材２４の１つ又は複数のアーム３０に旋回可能に結合されてもよく、１つ又は複数の面９３２４に配置された１つ又は複数の剃刀ブレード９３２２を含み得る。図示の実施形態では、ブレードカートリッジ２２は、第１の面９３２４に複数の剃刀ブレード９３２２を含む。反対側の面９３２６は、１つ又は複数のカートリッジ磁石９３１８を含み得る。カートリッジ磁石９３１８は反対側の面９３２６の中間に示されているが、当然のことながら、１つ又は複数のカートリッジ磁石９３１８は面９３２６上のいずれの場所に配置されてもよい。
【０２０９】
[00324]  カートリッジ磁石９３１８は、その極が、ブレードカートリッジ支持部材２４がハンドル６０に結合されると反発磁力を生じさせるように中央磁石９３１２と整列されている（例えば、図９４及び図９５に概略的に示されているとおり）。反発磁力は、ブレードカートリッジ２２をヨーク４７及び／又はハンドル６０から離れるように、例えば矢印９４０２に概略的に示されたとおり概して付勢し得る。ブレードカートリッジ支持部材２４及び／又はブレードカートリッジ２２は、ブレードカートリッジ支持部材２４及びハンドル６０に対してブレードカートリッジ２２の初期始動位置（ＩＳＰ）を設定する１つ又は複数のＩＳＰ（初期始動位置）突出部、肩、隆起部、及び／又は延在部９３２８を含み得る。認められ得るとおり、ＩＳＰは、ブレードカートリッジ支持部材２４及びハンドル６０に対するブレードカートリッジ２２の、力が加えられないときの位置及び外力が除去された後にブレードカートリッジ２２が戻る位置である。換言すると、シェービング中に外力がブレードカートリッジ２２に加えられると、外力は、ブレードカートリッジ２２が矢印９４０２の略反対方向に移動するように、カートリッジ磁石９３１８と中央磁石９３１２との間の反発磁力を克服し得る。外力が除去されかつ／又は減少すると、カートリッジ磁石９３１８と中央磁石９３１２との間の反発磁力は、ブレードカートリッジ２２をＩＳＰに向かって戻すように付勢する。従って、ＩＳＰ突出部９３２８は、ブレードカートリッジ支持部材２４に対するブレードカートリッジ２２の初期始動位置を設定し、かつブレードカートリッジ２２の、矢印９４０２の方向の回転を制限し、及び／又はシェービングストローク中のブレードカートリッジ２２の回転し過ぎを制限する／防ぐことができる。
【０２１０】
[00325]  図示の実施形態では、ＩＳＰ突出部９３２８は、ブレードカートリッジ２２に係合し（例えば、直接接触し）、かつブレードカートリッジ２２が旋回軸ＰＡを中心としてさらに回転することを防ぐためにブレードカートリッジ支持部材２４のいずれかから十分な距離だけ外側に延在し得る。例えば、ＩＳＰ突出部９３２８は、旋回軸ＰＡの下に（例えば、ヨーク４７に近接して）ヨークアーム３０の１つ又は複数の内部に位置し得るが、述べたとおり、これは具体的にそのように主張されない限り本開示の限界ではない。代替的に（又は加えて）、ＩＳＰ突出部９３２８は、ブレードカートリッジ支持部材２４に係合し（例えば、直接接触し）、かつブレードカートリッジ２２が旋回軸ＰＡを中心としてさらに回転することを防ぐためにブレードカートリッジ２２のいずれかから十分な距離だけ外向きに延在し得る。従って、ＩＳＰ突出部９３２８は、ブレードカートリッジ２２の０位置を設定又は定義する。ブレードカートリッジ２２は、旋回軸ＰＡを中心として所定の回転範囲内で回転し得る。例えば、所定の回転範囲は、最大で１１０度、例えば９０度未満又は４５度未満であり得る。ブレードカートリッジ２２の、矢印９４０２の反対方向（例えば、偏向方向）への回転は、ブレードカートリッジ２２及び／又はブレードカートリッジ支持部材２４のいずれかから延在するＩＳＰ突出部９３２８及び／又は別の突出部、肩部、隆起部、及び／又は延在部（例えば、最大偏向ポイント（ＭＤＰ）突起部）によっても制限され得る。偏向方向の回転限界は最大偏向ポイント（ＭＤＰ）と呼ばれる。従って、ＩＳＰ突出部９３２８は、ＩＳＰ突出部及びＭＤＰ突出部の両方として機能し得る。この実施形態は、周囲の幾何学的制約に対する適切な調整を条件として、ばねと比べて角度の付いた変位のより大きい  −  ９０度を超える  −  範囲にわたって復帰力を生じさせるという利点がある。組立体における磁石の数を最小化するため、環状磁石９３１６はブレードカートリッジ支持部材２４に取り付けられ、中央磁石９３１２はハンドル６０に取り付けられる。環状磁石９３１６は、同様に、このとき、ブレードカートリッジ２２の裏側９３２６に配置された１つ又は複数のカートリッジ磁石９３１８に反発するように使用され、従って２つの機能を同時に実施する（例えば、ハンドル６０へのヘッド組立体２０の接続及びブレードカートリッジ２２の付勢。
【０２１１】
[00326]  中央磁石９３１２及び環状磁石９３１６は、それらの極が同じ方向を向くように方向付けられているため（図９５における組み立てられたユニットの断面を参照されたい）、使い捨てヘッド組立体２０がハンドル６０に結合されていない場合にも、環状磁石９３１６がブレードカートリッジ２２の裏面９３２６のカートリッジ磁石９３１８に反発する（例えば、ブレードカートリッジ２２を矢印９４０２の方向に付勢する）とき、小さい復帰力が存在する。しかし、設置時、中央磁石９３１２及び／又は環状磁石９３１６の組合せにより生じる力は、はるかにより大きく、圧縮ばねの力を緊密に模倣し、ブレードカートリッジ２２をそのＩＳＰに戻す機能を果たす。
【０２１２】
[00327]  ブレードカートリッジ支持部材２４、従ってブレードカートリッジ２２がハンドル６０を引く又は払いのけることをより困難にすることに役立ち得る、（中央磁石９３１２と環状磁石９３１６との間の磁気戻り止め／結合効果によりもたらされたものの補足で）追加的な保持力がいくつかの方法でもたらされ得る。保持力を増加させる１つの可能な方法は、ハンドル６０内部にヘルパーリング磁石を追加することを含む。ヘルパー磁石は、軸方向に磁化され得、かつ中央磁石９３１２を含むハンドルポスト９３０２のベースに配置された、ブレードカートリッジ支持部材２４における環状磁石９３１６と同じ方向に方向付けられ得る。従って、ブレードカートリッジ支持部材２４がハンドル６０上に設置されると、ヘルパー磁石は、ブレードカートリッジ支持部材２４における近づきつつある環状磁石９３１６の最も近い面に対して反対の極を呈し、ブレードカートリッジ支持部材２４に引く力を生じさせ、取付け（設置中）及び保持（設置後）の力を増加させることに役立つ。保持力を増加させるための別の可能な構成は、支持部材空洞９３０４に、内径がハンドルポスト９３０２の外径よりわずかに小さい柔軟なリング９３３０であって、柔軟なリング９３３０が支持部材空洞９３０４に完全に挿入されると、ハンドルポスト９３０２の一部（例えば、限定するものではないが、末端先端部）を把持するように位置付けられた柔軟なリング９３３０を含む。追加的に（又は代替的に）、係止特徴部９３０６、９３０８の１つ又は複数は、反対側コンポーネントの対応する係止特徴部に係合する柔軟な受け入れレセプタクル（例えば、限定するものではないが、ハンドル６０に位置する対向する係止特徴部９３０６により係合されるヨーク４７上の柔軟な受け入れレセプタクル９３０８）を含み得る。ハンドルポスト９３０２上の突出部９３０６は、保持力を増加させるために柔軟なレセプタクル９３０８の側部に係合し得る。これは、突出部上又はレセプタクル内のいずれかに位置付けられたエラストマーの柔軟なリング（など）で達成され得る。これらの構成は取付け力を増加させることはできないが、ポスト先端部又はヨークレセプタクルとの干渉による柔軟な材料の偏向を通じて生じた摩擦は、ブレードカートリッジ支持部材２４が設置後にハンドル６０から偶然に除去されることに対する追加的な障害として機能し得る。
【０２１３】
[00328]  磁気戻り止め／結合システムの使用は、ブレードカートリッジ２２をそのＩＳＰへ復帰させる構成を戻り止め生成磁石の使用に限定するものではない。限定するものではないが、機械的手段、例えば弾性的に変形可能なつめ（ＲＤＰ）又は他の磁気構成、例えば、限定するものではないが、図９６に示された磁気構成を含む、本明細書で説明された実施形態の任意の１つが使用されてもよい。例えば、１つ又は複数のアーム磁石９６０２は、アーム３０の１つ又は複数（例えば、互いに面する対）へ取り付けられてもよく、ブレードカートリッジ２２は、１つ又は複数のブレードカートリッジ磁石９６０４であって、それらの軸がブレードカートリッジ２２の回転の旋回軸ＰＡに平行である１つ又は複数のブレードカートリッジ磁石９６０４を含み得る。アーム磁石９６０２はブレードカートリッジ２２における中央／中間ブレードカートリッジ磁石９６０４へ吸引され得、それはそれらの反対の極が互いに面するように方向付けられているためである。一実施形態によると、ブレードカートリッジ２２における隣接するブレードカートリッジ磁石９６０４ｂ、９６０４ｃは、中間ブレードカートリッジ磁石９６０４ａの１つ又は複数の側に同様の極がアーム磁石９６０２の方を向いた状態で配置され得る。従って、ブレードカートリッジ２２は、アーム磁石９６０２と同軸の中心／中間ブレードカートリッジ磁石９６０４ａで静止する傾向があり、これがＩＳＰを決定する。ブレードカートリッジ２２が旋回軸ＰＡの周りで変位される（例えば、回転される）場合、抵抗トルクが、中心／中間ブレードカートリッジ磁石９６０４ａへの吸引力と外側ブレードカートリッジ磁石９６０４ｂ、９６０４ｃによる反発との組合せにより経験され、ブレードカートリッジ２２が解放されると、それはそのＩＳＰに戻る。小さい変位について、この動きは、ばねの変位も模倣する。変位は、図９７に概略的に示されたとおり、ハードストップ／ＩＳＰ突出部９３２８により限定される。ハードストップＩＳＰ突出部９３２８の位置に依存して、外側ブレードカートリッジ磁石９６０４ｂ、９６０４ｃの１つ又は複数は余剰であってもよい（すなわち、外側ブレードカートリッジ磁石９６０４ｂ、９６０４ｃの１つ又は複数の方向における最大回転が極めて小さい場合、その影響は、吸引中心／中間ブレードカートリッジ磁石９６０４ａのものに比べて無視できるほどのものであり、ブレードカートリッジ２２をそのＩＳＰへ戻す必要はない）。当然のことながら、磁石配列配置構成は一方又は両方のアーム３０において使用されてもよい。同様に当然のことながら、ブレードカートリッジ磁石９６０４ａ〜９６０４ｃの配置構成は、本明細書で説明された様々な極を提供するようにプログラムされた複数の領域を有する複数の極及び／又はナノ構造磁石を有する１つ又は複数のプログラム可能な磁石と置き換えられ得る。一実施形態では、環状磁石９３１６は磁石の配列に取って代わられ得る。
【０２１４】
[00329]  ここで図９８〜図１０４を参照すると、２つのコンポーネント（例えば、剃刀ハンドル／カートリッジ及び／又はカートリッジヨーク／カートリッジヘッド）を結合するための２つ以上の直径方向磁化（ＤＭ）リング及び／又はディスク磁石の様々な実施形態が説明され、２つのコンポーネントは、互いに確実に固定される（例えば、分離しない）が、所定の静止位置へ戻る傾向を有する一方、特定の定められた及び限られた方法で互いに対して移動することができ、例えば使用済み剃刀カートリッジを新たなものと交換する間に十分な力が加えられる場合、任意選択的に手動で分離され得る。
【０２１５】
[00330]  図９８〜図１００を参照すると、第１の実施形態が概略的に示されている。例えば、図９８は、組み立てられていない状態のヘッド組立体２０及びハンドル６０を概略的に示し、図９９は、ＩＳＰにある組み立てられた状態のヘッド組立体２０及びハンドル６０を概略的に示し、図１００は、ＩＳＰに対して偏向された位置にあるヘッド組立体２０及びハンドル６０を概略的に示す。
【０２１６】
[00331]  特に、１つ又は複数のハンドルＤＭ磁石９８０２は、ハンドル６０の末端部９８０４に永久に及び固定的に結合され、固定され、かつ／又は他に取り付けられ、１つ又は複数のブレードカートリッジ支持ＤＭ磁石９８０６はブレードカートリッジ支持部材２４の一部（例えば、限定するものではないが、ヨーク４７）へ永久に及び固定的に結合され、固定され、かつ／又は他に取り付けられる。図示の実施形態では、単一のハンドルＤＭ磁石９８０２及び単一のブレードカートリッジ支持ＤＭ磁石９８０６が示されているが、当然のことながら、ハンドル６０及び／又はブレードカートリッジ支持部材２４は、複数のＤＭ磁石９８０２、９８０６を含み得る。ハンドルＤＭ磁石９８０２は又はンドル空洞９８２０内に少なくとも部分的に受けられている状態で示されており、一方で支持ＤＭ磁石９８０６は、ブレードカートリッジ支持部材２４の後嵌合面を越えて部分的に延在している状態で示されているが、当然のことながら、空洞９８２０は、ブレードカートリッジ支持部材２４内に形成されてもよく、配置構成は従って逆でもよい。
【０２１７】
[00332]  追加的に、ハンドルＤＭ磁石９８０２及びブレードカートリッジ支持ＤＭ磁石９８０６は、リング磁石として示されている。リング磁石構成は、ＤＭ磁石９８０２、９８０６がそれらのそれぞれのコンポーネント（例えば、ハンドル６０及びブレードカートリッジ支持部材２４）内で回転することを防ぐことに役立ち得る。例えば、ＤＭリング磁石９８０２、９８０６の中央領域９８０８、９８１０は、ＤＭリング磁石９８０２、９８０６の回転を防ぐためにコンポーネント６０、２４（例えば、ハンドル６０及びブレードカートリッジ支持部材２４）と結合連結及び／又はオーバーモールドされ得る非円形状を有し得る。しかし、当然のことながら、これらのＤＭ磁石９８０２、９８０６の１つ又は複数は中央穴のないＤＭディスク磁石であり得る。ＤＭディスク磁石９８０２、９８０６は、それぞれハンドル６０及びブレードカートリッジ支持部材２４に対する磁石９８０２、９８０６の回転を同様に防ぎ得るＤＭディスク磁石９８０２、９８０６の平面の１つ又は複数から外向きに延在する非円筒形ポスト又はオフセットポストを任意選択的に含み得る。追加的に（又は代替的に）、ＤＭディスク又はリング磁石９８０２、９８０６のいずれかの一部は、それぞれハンドル６０及びブレードカートリッジ支持部材２４に対する磁石９８０２、９８０６の回転を防ぐために非円形であってもよい（例えば、ディスク又はリングは略長楕円形又は楕円の形状を有し得る）。
【０２１８】
[00333]  ハンドル６０は、図９８の斜視図で見ると、上面９８０１と、底面９８０３と、右及び左面９８０５、９８０７と、を有するものとして説明され得る。ハンドルＤＭ磁石９８０２は、第１及び第２の平面９８０９、９８１１と、それらの間に延在する外側円周方向表面９８１３とを有する状態で示され得る。ハンドルＤＭ磁石９８０２は、平面９８０９、９８１１がハンドルの長手方向軸Ｌに略平行にかつ上及び底面９８０１、９８０３に略垂直に、並びに右及び左面９８０５、９８０７に略平行に整列されるようにハンドル６０に固定され得る。
【０２１９】
[00334]  ＤＭ磁石９８０２、９８０６は、ハンドル６０及びブレードカートリッジ支持部材２４が、使い捨てヘッド組立体２０をハンドル６０へ設置するプロセス中に互いに近づけられると、ＤＭ磁石９８０２、９８０６の反対の極が吸引され、かつ取付け手順を完了させるようにハンドル６０／ブレードカートリッジ支持部材２４へ取り付けられる。一実施形態によると、ＤＭ磁石９８０２、９８０６は互いに略接線方向に接触する。ＤＭ磁石９８０２、９８０６は、互いに接して位置付けられると、２つの反対の極が接触する位置を常に探し出す。この位置は所定の静止位置（ＰＲＰ）と呼ばれる。この実施形態では、２つのＤＭ磁石９８０２、９８０６は、所定の静止位置（ＰＲＰ）においてハンドル６０及びブレードカートリッジ支持部材２４が従来の剃刀上でのように整列されるように設置される。
【０２２０】
[00335]  ハンドルＤＭ磁石９８０２に隣接／近接するハンドル６０の末端領域９８０４及びブレードカートリッジ支持ＤＭ磁石９８０６に隣接／近接するブレードカートリッジ支持部材２４の基端領域９８１２は、それぞれハンドルインターフェイス領域９８１４と支持部材インターフェイス領域９８１６とを規定し得る。インターフェイス領域９８１４、９８１６は、ハンドル６０及びブレードカートリッジ支持部材２４の互いに対する限られた回転的長手方向動作を可能にするための形状及び外形を有し得る。ＤＭ磁石９８０２、９８０６は、この動きが生じることを可能にするが、顕著な抵抗をもたらし、ばねの挙動を模倣する。実際、ＤＭ磁石９８０２、９８０６は、それらの挙動が歯車の対の動きと類似している（すなわち各ＤＭ磁石９８０２、９８０６はそれ自体の軸上で回転するのみならず、反対の磁石の軸を中心として「周回する」）ように、それらの間の接触ポイントが極からさらに離れて移動する際、その動き全体にわたって互いに接したままである。このような変位、この場合（例えば、ハンドル６０の長手方向軸Ｌに略平行にかつ上及び底面９８０１、９８０３に略垂直に延在する平面における）には長手方向の動きが図１００に示されている。ハンドル６０に対するブレードカートリッジ支持部材２４のいずれかの方向の回転は、インターフェイス９８１４、９８１６の輪郭により設定及び／又は限定され得る。
【０２２１】
[00336]  ハンドル６０及びブレードカートリッジ支持部材２４が解放されると、ＤＭ磁石９８０２、９８０６は所定の静止位置に互いに対してそれ自体を再配置するように動き、これが今度はブレードカートリッジ２２をハンドル６０に対するその元の整列へ復帰させかつ及び／又は付勢する。この特徴部は、ブレードカートリッジ支持部材２４（例えば、ヨーク４７）及びブレードカートリッジ２２を、指で角度が付いている前方位置に手動で保持することにより、届きにくいシェービング領域のために有用となり得る。角度は、ブレードカートリッジ支持部材２４及びブレードカートリッジ２２に加えられた力に依存して容易に調整され得る。
【０２２２】
[00337]  ここで図１０１〜図１０２を参照すると、ＤＭ磁石を用いる別の実施形態が概略的に示されている。配置構成は図９８〜図１００の実施形態と同様であってもよいが、１つ又は複数の係止１０１０２磁石も含み得る。係止磁石１０１０２は、限定するものではないが、ＤＭリング又は円筒形磁石１０１０２を含み得る。係止磁石１０１０２は、ＤＭハンドル磁石９８０２に対して固定された場所及び向きでハンドル６０に結合され、固定され、又は他に取り付けられ得る。適切に方向付けられると、ブレードカートリッジ支持部材２４／ブレードカートリッジ２２が、図１０２に概略的に示されたとおり、解放されたときに変位された位置に残るように、係止磁石１０１０２及びブレードカートリッジ支持ＤＭ磁石９８０６を互いに極めて接近させるようにするため、ブレードカートリッジ支持部材２４／ブレードカートリッジ２２が十分な角度の付いた変位を受けると、係止磁石１０１０２はブレードカートリッジ支持ＤＭ磁石９８０６を吸引及び保持する効果を有する。ＤＭ磁石９８０２、９８０６が反対の極が互いに隣接するように整列した状態の、図１０１に示された元の所定の静止位置（ＰＲＰ）又はＩＳＰは残るため、結果は、ユーザにより選択可能な２つの可能な位置の存在であり、ここで、ブレードカートリッジ支持部材２４／ブレードカートリッジ２２は、小さい角度の付いた変位に応じるばね様復帰特徴部でその所定の静止位置に静止し得るか（図１０１）、又は変位された位置に静止しかつ適所に確実に保持され得るかのいずれかである（図１０２）。
【０２２３】
[00338]  任意選択的に、係止磁石１０１０２を、それがブレードカートリッジ支持部材２４／ブレードカートリッジ２２を曲げられた／変位された位置に固定するのに使用されていないときにハンドル６０内に格納するために格納機構が提供され得る。格納機構は、ユーザの手における剃刀ハンドル６０の感覚に悪影響を及ぼさずかつ／又はデブリを集めないように、ブレードカートリッジ支持部材２４／ブレードカートリッジ２２がその所定の静止位置にあるときに係止磁石１０１０２が隠されることを可能にする。格納機構は、係止磁石１０１０２を格納するための任意の配置構成、例えば、限定するものではないが、手動レバーを含んでもよく、ユーザは、カートリッジを曲げられた位置へ移動させる前に、又は支持部材２４／ブレードカートリッジ２２がその所定の静止位置／ＩＳＰからその曲げられた／変位された位置へ移動されるのと同時に、係止磁石１０１０２を自動的に位置付ける適切なサイズにされた歯車列で第３の磁石を配置する必要がある。
【０２２４】
[00339]  ブレードカートリッジ２２は単一の側面のみに剃刀を有する状態で示されているが、当然のことながら、ブレードカートリッジ２２は両面であってもよい。
【０２２５】
[00340]  ブレードカートリッジ支持部材２４へのブレードカートリッジ２２の取付け並びにブレードカートリッジ支持部材２４内でのブレードカートリッジ２２の回転の制限及び制御は、限定するものではないが、機械的手段、例えば物理的アクスル特徴部及びＲＤＰ（弾性的に変形可能なつめ）又は磁気配置構成、例えば交互の吸引／反発磁石、多極又はプログラム可能な磁石などを含む、本明細書で説明された任意の数の方法で達成され得る。図示の実施形態では、そのＩＳＰが反発磁石の対により決められた片面ブレードカートリッジ２２であって、一方がブレードカートリッジ２２の後ろに位置し、他方がブレードカートリッジ支持部材２４／ヨーク４７の中心ウェブの主要エッジに位置する片面ブレードカートリッジ２２が示されているが、これは具体的にそのように主張されない限り本開示の限界ではない。
【０２２６】
[00341]  追加的に、ブレードカートリッジＤＭ磁石９８０６は、（例えば、ブレードカートリッジ磁石１１４１０に反発しかつ／又はそれを吸引する）磁力を生じさせるためにも使用され得ることに留意されたい（例えば、図１４５〜図１４７におけるブレードカートリッジ磁石１１４１０を参照されたい）。従って、ＤＭ磁石９８０６は、ブレードカートリッジ支持部材磁石１１４１２に加えて又はそれに代わって磁力を生じさせるように使用されてもよい。
【０２２７】
[00342]  ここで図１０３〜図１０５を参照すると、ＤＭ磁石を用いるさらなる実施形態が概略的に示されている。上述のとおりのハンドルＤＭ磁石９８０２及びブレードカートリッジ支持ＤＭ磁石９８０６を有するのではなく、むしろ、アーム３０の１つ又は複数はアームＤＭ磁石１０３０２を含んでもよく、ブレードカートリッジ２２の側方端部１０３０４の１つ又は複数は、対応するブレードカートリッジＤＭ磁石１０３０６を含み得る。ＤＭ磁石１０３０２、１０３０６の主な役割は、ブレードカートリッジ２２をブレードカートリッジ支持部材２４／アーム３０に取り付けられた状態に保つことと、図１０５に概略的に示されたとおり、それがシェービングストローク中に上向きに偏向することを可能にすることとである。ブレードカートリッジＤＭ磁石１０３０６は露出されてもよく、又はブレードカートリッジ２２の側方端部１０３０４から突出しないようにブレードカートリッジ２２の内部部分に配置されてもよい。ブレードカートリッジ２２のＩＳＰはＤＭ磁石１０３０２、１０３０６の極の場所により確立されてもよく、ＤＭ磁石１０３０２、１０３０６の反対の極が互いに隣接する角度で生じる。ＤＭ磁石１０３０２、１０３０６は、（上述の実施形態においてカートリッジをその所定の静止位置へ復帰させる方法と同様に）角度の付いた偏向を受けたときにカートリッジヘッドをそのＩＳＰに復帰させることにも部分的に役立つが、この機能は、それぞれブレードカートリッジ支持部材２４及びブレードカートリッジ２２における磁石１０３０８、１０３１０の反発する対により実施されてもよい。一実施形態では、ブレードカートリッジ支持部材２４は、ハンドル６０の一部のままであってもよく、ブレードカートリッジ２２のみが除去されてもよい。代替的に、ブレードカートリッジ２２及びブレードカートリッジ支持部材２４は組立体と考えられてもよく、この場合、ブレードカートリッジ支持部材２４は、限定するものではないが、直径方向磁化リングとディスクの対を用いた修正されたツイストロック−放出システムを含む、本明細書で説明された任意の配置構成を使用してハンドル６０に取り外し可能に結合され得る。
【０２２８】
[00343]  ２つ以上のＤＭ磁石（例えば、限定するものではないが、リング及び／又はディスクＤＭ磁石）が、２つのコンポーネントは互いに確実に固定されるが、所定の静止位置へ戻る傾向を有する一方、特定の定められた及び限られた方法で互いに対して移動することができ、例えば使用済み剃刀カートリッジを新たなものと交換する間に十分な力が加えられると手動で分離され得るように、２つのコンポーネント（例えば、限定するものではないが、剃刀ハンドル６０及びブレードカートリッジ２２）間の取付けを達成するために用いられ得る。
【０２２９】
[00344]  図１０６〜図１０８を参照すると、ハンドル６０に対するブレードカートリッジ支持部材２４／ブレードカートリッジ２２の側方移動を可能にする２つ以上のＤＭ磁石の一実施形態が概略的に示されている。特に、１つ又は複数のハンドルＤＭ磁石１０６０２は、ハンドル６０の末端部９８０４に永久に及び固定的に結合され、固定され、かつ／又は他に取り付けられ、１つ又は複数のブレードカートリッジ支持ＤＭ磁石１０６０６は、ブレードカートリッジ支持部材２４の一部（例えば、限定するものではないが、ヨーク４７）へ永久に及び固定的に結合され、固定され、かつ／又は他に取り付けられる。図示の実施形態では、単一のハンドルＤＭ磁石１０６０２及び単一のブレードカートリッジ支持ＤＭ磁石１０６０６が示されているが、当然のことながら、ハンドル６０及び／又はブレードカートリッジ支持部材２４は、複数のＤＭ磁石１０６０２、１０６０６を含み得る。ハンドルＤＭ磁石１０６０２がハンドル６０の末端部９８０４を越えて部分的に延在している状態で示されている一方、ブレードカートリッジ支持ＤＭ磁石１０６０６はまた、ブレードカートリッジ支持部材２４に形成されたブレードカートリッジ支持部材空洞１０６２０内に少なくとも部分的に受けられている状態で示されているが、当然のことながら、空洞１０６２０はハンドル６０内に形成されてもよく、配置構成は従って逆にされてもよい。
【０２３０】
[00345]  追加的に、ハンドルＤＭ磁石１０６０２及び支持ＤＭ磁石１０６０６はリング磁石として示される。リング磁石構成は、ＤＭ磁石１０６０２、１０６０６がそれらのそれぞれのコンポーネント（例えば、ハンドル６０及びブレードカートリッジ支持部材２４）内で回転することを防ぐことに役立ち得る。例えば、ＤＭリング磁石１０６０２、１０６０６の中央領域１０６０８、１０６１０は、ＤＭリング磁石１０６０２、１０６０６の回転を防ぐため、ハンドル６０ブレードカートリッジ支持部材２４に結合及び／又はオーバーモールドされ得る非円形状を有し得る。しかし、当然のことながら、これらのＤＭ磁石１０６０２、１０６０６の１つ又は複数は中央穴のないＤＭディスク磁石であってもよい。ＤＭディスク磁石１０６０２、１０６０６は、同様に回転を防ぎ得るＤＭディスク磁石１０６０２、１０６０６の平面の１つ又は複数から外向きに延在する非円筒形ポスト又はオフセットポストを任意選択的に含み得る。追加的に（又は代替的に）、ＤＭディスク又はリング磁石１０６０２、１０６０６のいずれかの一部は、回転を防ぐために非円形であってもよい（例えば、ディスク又はリングは略長楕円形又は楕円の形状を有し得る）。
【０２３１】
[00346]  ハンドル６０は、図１０６における斜視図で見ると、上面９８０１と、底面９８０３と、右及び左面９８０５、９８０７とを有するものとして説明され得る。ハンドルＤＭ磁石１０６０２は、第１及び第２の平面１０６０９、１０６１１とそれらの間に延在する外側円周方向表面１０６１３とを有するものとして示され得る。ハンドルＤＭ磁石１０６０２は、平面１０６０９、１０６１１がハンドル６０の長手方向軸Ｌに略平行に、右及び左面９８０５、９８０７に略垂直に、かつ上及び底面９８０１、９８０３に略平行に整列されるようにハンドル６０に固定され得る。ハンドル６０に対するブレードカートリッジ支持部材２４／ブレードカートリッジ２２の側方移動は、従って、ハンドル６０の長手方向軸Ｌに略平行に、かつ右及び左面９８０５、９８０７に略垂直に延在する平面における（例えば、左右の）動きに対応する。
【０２３２】
[00347]  ＤＭ磁石１０６０２、１０６０６は、ハンドル６０及びブレードカートリッジ支持部材２４が、使い捨てヘッド組立体２０をハンドル６０へ設置するプロセス中に互いに近づけられると、ＤＭ磁石１０６０２、１０６０６の反対の極が吸引され、かつ取付け手順を完了させるようにハンドル６０／ブレードカートリッジ支持部材２４へ取り付けられる。一実施形態によると、ＤＭ磁石１０６０２、１０６０６は互いに略接線方向に接触する。ＤＭ磁石１０６０２、１０６０６は、互いに接して位置付けられると、２つの反対の極が接触する位置を常に探し出す。この位置は所定の静止位置（ＰＲＰ）と呼ばれる。この実施形態では、２つのＤＭ磁石１０６０２、１０６０６は、所定の静止位置において、ハンドル６０及び支持部材２４が（従来の剃刀上でのように）直線状に整列されるように設置される。
【０２３３】
[00348]  ハンドルＤＭ磁石１０６０２に隣接／近接するハンドル６０の末端領域９８０４及び支持ＤＭ磁石１０６０６に隣接／近接するブレードカートリッジ支持部材２４の基端領域９８１２は、それぞれハンドルインターフェイス領域９８１４及びブレードカートリッジ支持部材インターフェイス領域９８１６を規定し得る。インターフェイス領域９８１４、９８１６は、ハンドル６０及びブレードカートリッジ支持部材２４の互いに対する限られた回転的な側方の動きを可能にするような形状及び外形を有し得る。ＤＭ磁石１０６０２、１０６０６はこの動きが生じることを可能にするが、顕著な抵抗をもたらし、ばねの挙動を模倣する。実際、ＤＭ磁石１０６０２、１０６０６は、それらの挙動が歯車の対の動きと類似している（すなわち各ＤＭ磁石１０６０２、１０６０６はそれ自体の軸上で回転するのみならず、反対の磁石の軸を中心として「周回する」）ように、それらの間の接触ポイントが極からさらに離れて移動する際、その動き全体にわたって互いに接したままである。このような変位、この場合（例えば、ハンドル６０の長手方向軸Ｌに略平行にかつ右及び左面９８０５、９８０７に略垂直に延在する平面の）には側方の動きが図１０８に示されている。ハンドル６０に対するブレードカートリッジ支持部材２４のいずれかの方向の回転は、インターフェイス９８１４、９８１６の輪郭により設定及び／又は限定され得る。
【０２３４】
[00349]  ハンドル６０及びブレードカートリッジ支持部材２４が解放されると、ＤＭ磁石１０６０２、１０６０６は所定の静止位置に互いに対してそれ自体を再配置するように動き、これが今度はヘッド組立体２０、従ってブレードカートリッジ２２をハンドル６０に対するその元の整列に復帰させかつ／又は付勢する。
【０２３５】
[00350]  追加的に、ブレードカートリッジ支持ＤＭ磁石１０６０６は、（例えば、ブレードカートリッジ磁石１１４１０に反発しかつ／又はそれを吸引する）磁力を生じさせるためにも使用され得ることに留意されたい（例えば、図１４７〜図１５０のブレードカートリッジ磁石１１４１０を参照されたい）。従って、ブレードカートリッジ支持ＤＭ磁石１０６０６は、ブレードカートリッジ支持部材磁石１１４１２に加えて又はそれに代わって磁力を生じさせるために使用され得る。
【０２３６】
[00351]  ここで図１０９〜図１１０を参照すると、２つ以上のＤＭ磁石を特徴とする別の実施形態が概略的に示されている。この実施形態は、図１０６〜図１０８について上述の実施形態と同様であるが、ハンドル６０及びブレードカートリッジ支持部材２４のインターフェイス９８１４、９８１６は、側方の動きを可能にするように構成された外形を有するのみならず、ブレードカートリッジ支持部材２４／ブレードカートリッジ２２がハンドル６０に対して長手方向軸Ｌを中心としてハンドル６０に略平行に（例えば、矢印１０９０２により概略的に示された方向に）ねじれることを可能にする。任意選択的に、ねじる動きは、（例えば、ハンドル６０上の）レセプタクルくぼみ／溝１０９０６に係合し、かつ／又はその中に受けられる１つ又は複数の突出ピン１０９０４（例えば、限定するものではないが、ブレードカートリッジ支持部材２４／ヨーク４７から延在するピン）の係合により、設計によって限定され得る。当然のことながら、ピン１０９０４及び溝１０９０６の配置構成は切り替えられ得る。ピン１０９０４及び溝１０９０６は、ハンドル６０に対するブレードカートリッジ支持部材２４／ブレードカートリッジ２２のねじりを３６０°未満、例えば２７０°未満又は１８０°未満に限定するように構成され得る。２つのＤＭ磁石１０６０２、１０６０６がこのようにして操作されるときの挙動は、互いに接線方向接触しているＤＭ磁石１０６０２、１０６０６によりもたらされる。ＤＭ磁石１０６０２、１０６０６が、それらの軸がもはや平行でないように（図１１０に概略的に示されたとおり）互いにねじられると、ＤＭ磁石１０６０２、１０６０６が、軸が平行なときに生じるそれらの間の最大の接触領域を有するように引かれるため、ＤＭ磁石１０６０２、１０６０６は、軸が平行になる位置に戻る傾向がある。
【０２３７】
[00352]  ここで図１１１〜図１１３を参照すると、２つ以上のＤＭ磁石を特徴とする別の実施形態が概略的に示されている。図１１１及び図１１２に最もよく示されているとおり、１つ又は複数のハンドルＤＭ磁石１１１０２は、ハンドル６０の末端部９８０４に永久に及び固定的に結合され、固定され、かつ／又は他に取り付けられ、１つ又は複数のブレードカートリッジ支持ＤＭ磁石１１１０６は、ブレードカートリッジ支持部材２４の一部（例えば、限定するものではないが、ヨーク４７）へ永久に及び固定的に結合され、固定され、かつ／又は他に取り付けられる。ＤＭ磁石１１１０２、１１１０６は、本明細書で説明された任意のサイズ、形状、及び／又は構成を含み得る。
【０２３８】
[00353]  図示の実施形態では、ＤＭ磁石１１１０２、１１１０６は、平面１１１０９（例えば、図１１２を参照されたい）がハンドル６０の長手方向軸Ｌ（例えば、カラーの長手方向軸）に略平行にかつハンドル６０の上及び底面９８０１、９８０３に略平行に整列されるように整列される。ＤＭ磁石１１１０２、１１１０６は同心円状に方向付けられ、それらの極は互いに反対に１８０度にある。これは、反対の極の各対を互いに吸引する力による所定の静止位置である。ＤＭ磁石１１１０２、１１１０６の１つ又は複数は、空洞内に少なくとも部分的に受けられてもよく、ＤＭ磁石１１１０２、１１１０６の１つ又は複数は、ＤＭ磁石１１１０２、１１１０６を同心円状に整列させるため、空洞に少なくとも部分的に受けられ得るようにそのそれぞれのコンポーネントの一部（例えば、ハンドル６０及びブレードカートリッジ支持部材２４）から外向きに部分的に延在してもよい。
【０２３９】
[00354]  ブレードカートリッジ支持部材２４／ブレードカートリッジ２２及びハンドル６０がＤＭ磁石１１１０２、１１１０６の共有軸の周りで互いに対して回転されると、ＤＭ磁石１１１０２、１１１０６の極は、円周方向に互いから離され、ＤＭ磁石１１１０２、１１１０６が２つのコンポーネント（例えば、ハンドル６０及びブレードカートリッジ支持部材２４）を所定の静止位置に復帰させようとする際にトルクが加えられるようになる。例えば、図１１３に示された小さい角度の付いた変位について、ＤＭ磁石１１１０２、１１１０６は、機械的旋回特徴部が任意選択的であるように変位全体にわたって同軸のままである傾向がある。より大きい角度の付いた変位について、この効果は低下し、機械的旋回部が必要とされ得る。このような場合、リングＤＭ磁石１１１０２、１１１０６は（ディスクＤＭ磁石１１１０２、１１１０６とは反対に）この機械的旋回部、すなわち両方の磁石の内径を通って１つのコンポーネントから突出し、アクスルとして機能するピンのための自然な場所という利点を提供する。ハンドル６０及びブレードカートリッジ支持部材２４のための取付け及び取り外し手順は、機械的旋回特徴部が存在したかどうかに依存して様々であり得る。このような特徴部がないと、２つのＤＭ磁石１１１０２、１１１０６は半径方向又は軸方向のいずれかで互いに近づくことができ、最終的に所定の静止位置を自然に採用する。機械的旋回特徴部が存在する場合、２つのＤＭ磁石１１１０２、１１１０６は軸方向の動きを介して互いに取り付けられる必要があり得る。
【０２４０】
[00355]  認められ得るとおり、この実施形態又は他の任意の実施形態で説明されたＤＭ磁石の任意の１つ又は複数は、複数の極セグメントを含む１つ又は複数のプログラム可能な磁石（ＰＭ）に代えられ得る。ＰＭは、１つのみの代わりに複数の安定的均衡の位置を可能にすることができ、これは、ブレードカートリッジ支持部材２４が磁石の共通の軸を中心として回転する際に割出し又は戻り止めの効果をもたらすであろう。ブレードカートリッジ支持部材２４は、このとき、最適なシェービング結果のためにいくつかの位置の任意の１つに配置され得る。可能な位置の数、従って磁気戻り止めシステムの解決策は、磁石に施され得る極セグメントの最大数によってのみ限定される。
【０２４１】
[00356]  代替的実施形態は、２つのＤＭ磁石１１４０２、１１４０６が接線方向に配置されるという点で図１０６〜図１０８に関して上述の実施形態と同様であるが、この場合、ブレードカートリッジ支持ＤＭ磁石１１４０６はハンドル６０に対して固定された軸を中心として回転するように制限され、そのためこれはハンドルＤＭ磁石１１４０２の円周の回りをもはや転動しない。これは、ブレードカートリッジ支持部材２４の動きが単一の平面に制限された修正された「ボール及びソケット」設計１１５０２（図１１４で最もよく見える）の使用を通じて達成される。ディスク又はリングの形状のブレードカートリッジ支持ＤＭ磁石１１４０６はハンドル６０の嵌合ソケットに据えられる。その所定の静止位置は、２つのＤＭ磁石１１４０２、１１４０６の、それらの反対の極が可能な限り近くに一緒に整列するように整列する傾向の結果である。図１１４におけるように側方回転が適用されると、ユーザは、動きに対する抵抗を経験し、ブレードカートリッジ支持部材２４が解放されると、ブレードカートリッジ支持部材２４はＤＭ磁石１１４０２、１１４０６が互いに再配置される結果としてハンドル６０に対するその所定の静止位置を取る。
【０２４２】
[00357]  ブレードカートリッジ支持部材２４は、ブレードカートリッジ２２がヨーク４７／アーム３０に対して回転し得、かつ既知の場所（初期始動位置、すなわちＩＳＰ）へ復帰し得るように組み立てられたヨークとブレードカートリッジ２２とを含む上述の実施形態が示されているが、これは具体的にそのように主張されない限り本開示の限界ではない。ヨーク４７／アーム３０へのブレードカートリッジ２２の取付け、及びヨーク４７／アーム３０内でのブレードカートリッジ２２の回転の制限及び制御は、限定するものではないが、機械的デバイス、例えば物理的アクスル特徴部及びＲＤＰ（弾性的に変形可能なつめ）又は磁気構成、例えば（限定するものではないが）交互の吸引／反発磁石、多極又はプログラム可能な磁石などを含む、本明細書で説明された任意の数の方法で達成され得る。実施形態は、片面ブレードカートリッジであって、そのＩＳＰが反発磁石１１４１０、１１４１２の対であって、一方１１４１０がブレードカートリッジ２２の裏１１４０９に位置し、他方１１４１２がヨーク４７の中心ウェブの主要エッジに位置する、反発磁石１１４１０、１１４１２の対により決められた片面ブレードカートリッジを使用して説明されたが、これは例示目的のためのみであり、本明細書で説明された任意の構成が使用され得る。反発磁石１１４１２は必ずしも組立体における個別の磁石である必要はなく、むしろ、ブレードカートリッジ２２における磁石１１４１０と反発磁力を生じさせるためにハンドル６０又はブレードカートリッジ支持部材２４接続における磁石１１４０２、１１４０６の１つが用いられ得ることに留意されたい。
【０２４３】
[00358]  ここで図１１５〜図１１８を参照すると、２つのコンポーネントが互いに確実に固定されるが所定の静止位置へ戻る傾向を有しつつ複数の軸を中心として互いに対して回転することができ、例えば使用済みヘッド組立体２０の新たなものとの交換中に十分な力が加えられると手動で分離され得るように、２つのコンポーネント間の取付けを達成するための直径方向磁化（ＤＭ）リング及び／又はディスク磁石の複数対が示されている（例えば、限定するものではないが、剃刀ハンドル６０及びブレードカートリッジ支持部材２４）。
【０２４４】
[00359]  本明細書で述べられるとおり、ＤＭ円筒形磁石は、互いの方を向く平面側と極めて近接することが可能とされる場合、反対の極が隣接するように、それ自体を同軸に整列させる。追加的に、一方のＤＭ磁石が他方に対してその静止位置から回転可能に変位される場合、それはばねの挙動を緊密に模倣する態様でその静止位置に復帰する。
【０２４５】
[00360]  ＤＭ磁石の１１７０２、１１７０４の２つ以上の対の使用を通じて、ブレードカートリッジ支持部材２４は、（図１１５に概略的に示されたとおり）第１の位置から、ＤＭ磁石の対１１７０２の第１のものを使用して（図１１６に概略的に示されたとおり）第２の位置へ、及び最終的にＤＭ磁石の第２の対１１７０４を使用して（図１１７に概略的に示されたとおり）第３の位置へ回転され得る。ＤＭ磁石の第１の対１１７０２はヨーク接合を形成してもよく、ＤＭ磁石の第２の対１１７０４は中心接合部を形成してもよい。
【０２４６】
[00361]  図示の実施形態では、ヨーク接合部１１７０６（例えば、図１１６を参照されたい）はブレードカートリッジ支持部材２４／ヨーク４７を中間ナックル１１７０８の一部に接続する。ブレードカートリッジ支持部材２４／ヨーク４７及び中間ナックル１１７０８の第１の部分は、各々、それぞれＤＭ磁石の第１の対１１７０２の少なくとも１つのＤＭ磁石１１７１０、１１７１２の１つを含む。ＤＭ磁石１１７１０、１１７１２は、ブレードカートリッジ支持部材２４及び中間ナックル１１７０８を（図１１５に概略的に示されたとおり）所定の静止位置において組み立てられた状態で維持する傾向があるが、ブレードカートリッジ支持部材２４は、ユーザがブレードカートリッジ支持部材２４にトルクを加えることによりＤＭ磁石１１７１０、１１７１２の共有軸を中心として略矢印１１７１４の方向に、中間ナックル１１７０８に対してねじられ得る。力が解放されると、ＤＭ磁石１１７１０、１１７１２の、それらの極を隣接するように整列する傾向により、ブレードカートリッジ支持部材２４を中間ナックル１１７０８に対してその所定の静止位置に復帰させるトルクを生じさせる。
【０２４７】
[00362]  中心接合部１１７１６はＤＭ磁石の第２の対１１７０４を含み、かつ中間ナックル１１７０８を剃刀ハンドル６０へ接続する。中間ナックル１１７０８の第２の部分及びハンドル６０は、各々、それぞれＤＭ磁石の第２の対１１７０４の少なくとも１つのＤＭ磁石１１７１８、１１７２０の１つを含む。当然のことながら、中間ナックル１１７０８は、ハンドル６０の一部とみなされ得る。例えば、中間ナックル１１７０８及びＤＭ磁石１１７２０を含むハンドル６０の一部はハンドル６０のカラーの第１及び第２の部分１１７０１、１１７０３を形成し得る。
【０２４８】
[00363]  ヨーク接合部１１７０６と同様に、ＤＭ磁石１１７１８、１１７２０は、ハンドル６０に対するブレードカートリッジ２２の位置が従来の剃刀のそれと同様になるように、部分１１７０１、１１７０３を所定の静止位置において組み立てられた状態で保つ（図１１５に概略的に示されたとおり）。ユーザは、ブレードカートリッジ支持部材２４／ブレードカートリッジ２２を下向き又は上向きに向けてもよいが、ＤＭ磁石１１７１８、１１７２０の、それらの極を隣接して整列する傾向の結果として、この動きに対してばねのような抵抗を経験し、ブレードカートリッジ２２を解放すると、その所定の静止位置に復帰する。
【０２４９】
[00364]  ヨーク及び中心接合部１１７０６、１１７１６の両方について、小さい角度の付いた変位であるとすると、ＤＭ磁石は、機械的旋回特徴部が任意選択的であるように変位全体にわたって同軸のままである傾向を有する。より大きい角度の付いた変位について、この効果は低下し、機械的旋回部が使用され得る。このような場合、ＤＭリング磁石は（ＤＭディスク磁石とは対照的に）、この機械的旋回部、すなわち両方の磁石の内径を通って１つのコンポーネントから突出し、アクスルとして機能するピンのための自然な場所という利点を提供し得る。２つの部分のための取付け及び取り外し手順は、機械的旋回特徴部が存在したかどうかに依存して様々であり得る。このような特徴部がないと、２つのＤＭ磁石は、半径方向又は軸方向のいずれかで互いに近づくことができ、最終的に所定の静止位置を自然に採用することができる。機械的旋回特徴部が存在する場合、２つのＤＭ磁石は軸方向の動きを介して互いに取り付けられる必要があり得る。
【０２５０】
[00365]  接合部１１７０６、１１７１６の両方で所定の静止位置を取るＤＭ磁石の傾向を理由として、ユーザが（例示目的のためにのみ、従来の剃刀の構成と類似しているように示されている）所定の静止位置と異なる構成で剃刀１０を用いることを望む場合、接合部を係止する方法が使用されてもよい。１つの可能な係止システムは、「顔モード」及び「身体モード」の２つのシェービングモードを含む。顔モードでは、中心接合部１１７１６はその所定の静止位置に係止され得るが、ヨーク接合部１１７０６は、限られた度合いまで回転することが可能となり得る。このモードは図１１５に示されている。身体モード（例えば、図１１７に概略的に示されたとおり）は、ヨーク４７内のブレードカートリッジ支持部材２４回転軸がハンドル長手方向軸Ｌに平行となるように、接合部１１７０６、１１７１６の両方を９０度回転させることを通じて採用され得る。この状態のＤＭ磁石は接合部１１７０６、１１７１６の両方をそれらの所定の静止位置へ復帰させようと試みているため、接合部１１７０６、１１７１６の両方を９０度の位置に保つために機械的係止が使用されてもよい。顔モードと身体モードとの間で変更するプロセスは２つの動作を含む。すなわち、１）図１１７に示されるとおり中心接合部１１７１６を９０度回転させ、２）ヨーク接合部１１７０６を９０度回転させ（図１１６に図示される）、結果としての構成は図１１７に示されている。これらの２つの動作はいずれの順番でも実施され得る。
【０２５１】
[00366]  図１１８を参照すると、ブレードカートリッジ支持部材２４は、中間ナックル１１７０８（例えば、部分１１７０１）に形成された１つ又は複数の制限空洞又は溝１２００４内に少なくとも部分的に受けられる１つ又は複数の制限突出部１２００２を含み得る。同様に、ハンドル６０（例えば、部分１１７０３）は、中間ナックル１１７０８（例えば、部分１１７０１）に形成された１つ又は複数の制限空洞又は溝１２００８内に少なくとも部分的に受けられる１つ又は複数の制限突出部１２００６を含み得る。当然のことながら、ブレードカートリッジ支持部材２４、中間ナックル１１７０８（部分１１７０１）、及び／又はハンドル６０（部分１１７０３）に対する制限突出部１２００２、１２００６及び制限溝１２００４、１２００８の配置構成は逆であってもよい。制限突出部１２００２、１２００６及び制限溝１２００４、１２００８は、ヨーク及び中心接合部１１７０６、１１７１６の所定範囲への移動を制限し得る。認められ得るとおり、所定の範囲は所定の静止位置を中心として対称的である必要はない。従って、制限突出部１２００２、１２００６及び制限溝１２００４、１２００８は、例えば、一方向への９０度の回転及び反対方向への２０度未満の回転を可能にし得る（これらの値は単に例示目的のためのものである）。
【０２５２】
[00367]  当然のことながら、ＤＭ磁石の任意の１つは、複数の極セグメントを含む１つ又は複数のプログラム可能な磁石（ＰＭ）に取って代わられ得る。結果は、１つのみの代わりに複数の安定的均衡の位置であり、これは、ブレードカートリッジ支持部材２４が磁石の共通の軸を中心として回転する際に割出し又は戻り止めの効果をもたらすであろう。ブレードカートリッジ支持部材２４は、従って、最適なシェービング結果のためにいくつかの位置の任意の１つに配置され得る。可能な位置の数、従って磁気戻り止めシステムの解決策は、磁石に施され得る極セグメントの最大数によってのみ限定される。
【０２５３】
[00368]  ブレードカートリッジ支持部材２４は、ブレードカートリッジ２２がヨーク４７／アーム３０に対して回転し得、かつ既知の場所（初期始動位置、すなわちＩＳＰ）へ復帰し得るように組み立てられたヨークとブレードカートリッジ２２とを含む上述の実施形態が示されているが、これは具体的にそのように主張されない限り本開示の限界ではない。ブレードカートリッジ２２は片面であってもよく、又はそれは両面であってもよい。ヨーク４７／アーム３０へのブレードカートリッジ２２の取付け並びにヨーク４７／アーム３０内でのブレードカートリッジ２２の回転の制限及び制御は、限定するものではないが、機械的デバイス、例えば物理的アクスル特徴部及びＲＤＰ（弾性的に変形可能なつめ）又は磁気構成、例えば（限定するものではないが）交互の吸引／反発磁石、多極又はプログラム可能な磁石などを含む、本明細書で説明された任意の数の方法で達成され得る。例えば（及び非限定的に）、ブレードカートリッジ２２は、両面カートリッジヘッドであって、そのＩＳＰがブレードカートリッジの回転軸に対して同心円状に位置する多極磁石の対により決められる両面カートリッジヘッドを含み得る。
【０２５４】
[00369]  本明細書で説明されるとおり（例えば、限定するものではないが、図８２を参照されたい）、２つのコンポーネント間に空中静止／浮揚効果（例えば、限定するものではないが、ハンドル６０とブレードカートリッジ支持部材２４との間の接続）をもたらすためにさらに２つの磁石が使用されてもよい。ここで図１１９〜図１２４を参照すると、２自由度での（角度の付いたかつ軸方向の）動きを可能にする剃刀の２つの部分間の（例えば、限定するものではないが、ブレードカートリッジ支持部材２４とハンドル６０との間の）浮揚効果を達成するために少なくとも２つの同軸の、直径方向磁化磁石１２１０２、１２１０４を有する剃刀１０の一実施形態である。剃刀１０は、２つの部分間のロックアウト及び放出効果の両方を達成するための、ＤＭ磁石１２１０２、１２１０４間の反発磁力の使用を追加的に含み得る。
【０２５５】
[00370]  特に、剃刀１０は、１つの剃刀部品であって（例えば、限定するものではないが、ハンドル６０）、他の部品（例えば、限定するものではないが、ブレードカートリッジ支持部材２４）に取り付けられた直径方向磁化（ＤＭ）リング磁石１２１０４と同軸に位置付けられた１つの剃刀部品に取り付けられた直径方向磁化（ＤＭ）ディスク磁石１２１０２を含み、極は、２つのＤＭ磁石１２１０２、１２１０４の反対の極がリングＤＭ磁石１２１０４の内径において互いの方を向くように配置され、効果は、ＤＭ磁石１２１０２、１２１０４が同一平面上にあるポイントでブレードカートリッジ支持部材２４のＤＭ磁石１１２０４及びハンドル６０のディスクＤＭ磁石１２１０２に釣り合いを取らせるか、浮揚させるか、又は空中静止させることである。
【０２５６】
[00371]  一実施形態によると、ブレードカートリッジ支持部材２４は、空洞１２５０２（図１２３Ａで最もよく見える）を含むことができ、ハンドル６０は、軸方向に外向きに延在するポスト１２５０４を含み得る。ポスト１２５０４は、ディスクＤＭ磁石１２１０２を含み得、かつ空洞１２５０２であって、ディスクＤＭ磁石１２１０２が、２つのＤＭ磁石１２１０２、１２１０４の反対の極がリングＤＭ磁石１２１０４のＩＤ（例えば、浮揚位置）において互いの方を向くように整列され得るように、ＤＭディスク磁石１２１０２を含み得る空洞１２５０２内に少なくとも部分的に受けられるように構成され得る。空洞１２５０２は、本明細書で説明されるとおり、ポスト１２５０４が浮揚位置を越えて前方へ移動し続けることを可能にするようにも構成され得る。当然のことながら、ＤＭディスク磁石１２１０２及びＤＭリング磁石１２１０４並びに空洞１２５０２及びポスト１２５０４の配置構成は逆であってもよく、ＤＭディスク磁石１２１０２及びＤＭリング磁石１２１０４の追加的な組合せも含まれ得る。
【０２５７】
[00372]  好適な間隙がブレードカートリッジ支持部材２４及びハンドル６０の嵌合面１２５０６、１２５０８（図１２３Ｂで最もよく見える）間に空けられる場合、ブレードカートリッジ支持部材２４は、偏向に続いて釣り合いポイントに常に戻ると同時にハンドル６０に対して軸方向に浮揚するように見え、従って、剃刀１０がブレードカートリッジ支持部材２４とハンドル６０との間に小さい衝撃吸収器を有するという印象を与える。ブレードカートリッジ支持部材２４がＤＭ磁石１２１０２、１２１０４の共有軸の周りで小さい軸方向のかつ／又は角度の付いた変位を与えられると（図１２０に概略的に示されたとおり）、２つのＤＭ磁石１２１０２、１２１０４の吸引力はブレードカートリッジ支持部材２４を釣り合いポイントでその元の角度位置へ戻す（図１１９に概略的に示されたとおり）。軸方向のかつ／又は角度の付いた変位の範囲であって、その中で２つのＤＭ磁石１２１０２、１２１０４の吸引力が２つの部分をそれらの元の並置へ復帰させる範囲は「復帰範囲」と呼ばれる。
【０２５８】
[00373]  任意選択的に、ポスト１２５０４は、ブレードカートリッジ支持部材２４に配置されたロックアウト及び／又は放出室又は溝１２５１２内に受けられる案内ピン１２５１０（図１２３Ａ及び図１２３Ｂで最もよく見える）を含み得る。例えば、ロックアウト及び／又は放出室又は溝１２５１２は、案内ピン１２５１０がその中に受けられることを可能にする開口を含み得る。ロックアウト及び／又は放出室又は溝１２５１２の内部に入ると、案内ピン１２５１０（従ってブレードカートリッジ支持部材２４に対するハンドル６０）の移動は、以下で概説される２つの状況を除き、復帰範囲内での２つの部分の相対的動きを保つために制限される（例えば、機械的制約を受ける）。
【０２５９】
[00374]  ロックアウト及び／又は放出室又は溝１２５１２は、所定の動きを可能にする１つ又は複数の異なる領域又は範囲を含むことができ、かつ／又はハンドル６０に対するブレードカートリッジ支持部材２４の動きを略防ぐ（例えば、略固定、保持、及び／又は係止する）。例えば、ロックアウト及び／又は放出室又は溝１２５１２の一実施形態が図１２３Ｃ及び図１２３Ｄ概略的に示される。認められ得るとおり、ロックアウト及び／又は放出室又は溝１２５１２は、ブレードカートリッジ支持部材２４の一部を中心として半径方向に延在し得る。図１２３Ｃは、復帰範囲１２５１４、ロックアウト範囲１２５１６、及び／又は放出範囲１２５１８（案内ピン１２５１０がロックアウト及び／又は放出室又は溝１２５１２に入る及び／又はそれから出ることのいずれかを可能にする）を有するロックアウト及び／又は放出室又は溝１２５１２を概略的に示し、図１２３Ｄは、範囲１２５１４、１２５１６、１２５１８内の異なる位置に配置された案内ピン１２５１０を概略的に示す。図１２３Ｅは、案内ピン１２５１０に加えて、（例えば、９０度のロックアウトを有する）ロックアウト、並びに／又は復帰範囲１２５１４、放出範囲１２５１８、及び／もしくは代替的ロックアウト範囲１２５１６（例えば、０度のロックアウトを有する）を有する放出室又は溝１２５１２の代替的実施形態を示す。当然のことながら、一度に複数の範囲に配置されている案内ピン１２５１０が図１２３Ｄ及び図１２３Ｅに示されているが、これは例示目的のみのものであり、案内ピン１２５１０は任意の所与の時間に１つの範囲のみにあり得る。
【０２６０】
[00375]  機械的制約がないと、ブレードカートリッジ支持部材２４に十分に角度の付いた変位が適用された場合、「復帰範囲」１２５１４が越えられ、ＤＭ磁石１２１０２、１２１０４は、それらが互いに反発する位置を取り始める。直径方向磁化ディスク／リング対１２１０２、１２１０４の場合、この反発の効果は、２つのＤＭ磁石１２１０２、１２１０４がもはや同一平面上に残らないように軸方向動きを与えることである。同様に、機械的制約がない場合、この軸方向の動きは、いずれかの方向に均等に生じると考えられる。軸方向の動きの１つの可能な方向は２つの部分を引き寄せる効果があり、他方はそれらを押し離す効果を有する。機械的制約（例えば、案内ピン１２５１０並びにロックアウト及び／又は放出室又は溝１２５１２）が追加されると、復帰範囲を出る際に生じる軸方向の動きの方向はユーザ入力に基づいて制御され得る。
【０２６１】
[00376]  ここで図１２１を参照すると、剃刀１０が、ブレードカートリッジ支持部材２４が１つの特定の方向（例えば、限定するものではないが、図示の実施形態では時計回り）に逆にされると、２つの部分（例えば、ブレードカートリッジ支持部材２４及びハンドル６０）が引き合うように促進する位置／整列で示されている。ハンドル６０（例えば、ポスト１２５０４）上の案内ピン１２５１０は、ロックアウト及び／又は放出室又は溝１２５１２のロックアウト範囲１２５１６内の斜面に衝突し、これは、ハンドル６０及びブレードカートリッジ支持部材２４を、回転が続くにつれて互いに向かって、間隙が完全に閉じ、部品が互いに対して９０度回った後で緊密に接触するポイントまで導く。結果は、軸方向又は回転方向の任意の浮揚効果の「ロックアウト」又は削除である。図１２１、１２３Ｃ〜Ｄに示されるとおり、ロックアウトは、戻り止め特徴部を任意選択的に含んでもよく、それにより、ロックアウトを克服し、かつブレードカートリッジ支持部材２４を浮揚性状態に復帰させるには、ブレードカートリッジ支持部材２４をハンドル６０から離して手動で引かれなければならない。
【０２６２】
[00377]  ここで図１２２を参照すると、剃刀１０が、部品（例えば、ブレードカートリッジ支持部材２４及びハンドル６０）を軸方向に分離するように付勢する位置／整列で示されている。この場合、ブレードカートリッジ支持部材２４が１つの特定の方向（例えば、限定するものではないが、この実施形態では反時計回り）に回されると、案内ピン１２５１０が、ブレードカートリッジ支持部材２４及びハンドル６０を互いから離して押す放出範囲１２５１８内の斜面に衝突する。ＤＭ磁石１２１０２、１２１０４の相互作用を理由として、案内ピン１２５１０に適切な逃避経路を与えられる場合、この特徴部は、部品を、それらが強制的に分離し「解放」効果をもたらすポイントへ駆動するように設計され得る。これらのシステム（例えば、ロックアウト及び解放）の両方が単一のデバイスに組み込まれ、「ロックアウト」及び「解放」が、ブレードカートリッジ支持部材２４が２つの異なる方向に回されたときに生じる場合、結果は図１２３Ｂ及び図１２３Ｄに示されるとおりであり、案内ピン１２５１０は３つの異なる範囲  −  復帰範囲１２５１４、ロックアウト範囲１２５１６、又は解放範囲１２５１８内に存在し得る。このシナリオでは、ユーザは、ユーザがハンドル６０に対してブレードカートリッジ支持部材２４をいずれの方向に回すかに基づき、与える動きを選択し得る。
【０２６３】
[00378]  上述のとおり、図１２３Ｅも、ロックアウト位置が名目浮揚位置と略同一である代替的ロックアウト機構を示す。これは、ユーザが剃刀１０を従来の向きで用いることを望んでいるが、この設計に固有の衝撃吸収効果が一時的に無効である場合に有用であり得る。この場合（例えば、「０ロックアウト」）、ロックアウトは、ブレードカートリッジ支持部材２４を反時計回りに回すこと、それをハンドル６０に向かって内向きへ押すこと、それを時計回りに可能な限り回すこと、及びそれを解放することを順序どおりに行うことにより達成される。その際、案内ピン１２５１０は、ロックアウト位置１２５１６へＵ字型の経路に従うように誘導され、ブレードカートリッジ支持部材２４が最初と同じ角度になる。ブレードカートリッジ支持部材２４をこのロックアウト位置１２５１６から解放することは、案内ピン１２５１０を復帰範囲１２５１４に戻すために上記ステップを逆に行うことを伴い得る。
【０２６４】
[00379]  剃刀１０は、両面ブレードカートリッジ２２であって、アーム３０に対してその幾何学的中心に位置する旋回軸ＰＡを中心として旋回し、ユーザが選択可能であり、かつ１８０度離れている２つの安定的均衡（初期始動位置又はＩＳＰ）の位置を有する両面ブレードカートリッジ２２（ブレードカートリッジ支持部材２４及びブレードカートリッジ２２を含む）ヘッド組立体２０を有する状態で示されているが、これは具体的にそのように主張されない限り本開示の限界ではなく、ＤＭ磁石（及び関連する説明された特徴の任意のもの）が、本明細書で説明された任意のブレードカートリッジとともに使用されてもよい。追加的に、回転（及びその制御）は、本明細書で説明された任意の抵抗旋回機構、例えば、限定するものではないが、ＲＤＰ（弾性的に変形可能なつめ）又は磁気手段、例えば（図１１９〜図１２３のために例示的に選択された）交互の吸引／反発磁石、多極又はプログラム可能な磁石などを使用して達成され得る。
【０２６５】
[00380]  追加的に、ブレードカートリッジ２２の任意の側が、（顔モードのために用いられる従来の剃刀におけるように）同じ方向に角度が付いている複数のブレードを、（身体モードのために用いられるいずれの方向にも剃ることを可能にするために）ブレードの半分が一方向に角度が付いており、半分が他方に角度が付いている、均等な数のブレードを有する１つの面及び／又は１つ又は複数の面に含み得る。このようなシナリオでは、ユーザは、カートリッジがその浮揚性状態にあるときに２つのカートリッジヘッド位置の１つを用い、それがロックアウトされたときに別のものを用いることが有利であることが分かり得る。このシステムは、第２の固定された位置  −  「身体モード」（図１２４）にさらに配置され得る。この実施形態は、従来のハンドル位置（図１１９）又は顔モード及びヨーク／カートリッジヘッド組立体９０°ロックアウト位置（図１２１）から９０°下で係止し得る機械的旋回部１２６０２を任意選択的に有するハンドル／カラーを含み得る。顔モードと身体モードとの間で変更するプロセスは、２つの動作、すなわち、１）図１２４に示されるとおりカラー接合部を９０度回転させることと、２）ヨーク接合９０度回転させること、図１２１とを含み、結果としての構成は図１２４に示されている。これらの２つの動作はいずれの順序でも実施され得る。
【０２６６】
[00381]  上述のとおり、両面ブレードカートリッジ２２が示されているが、これは例示目的のみのものであり、ブレードカートリッジは片面カートリッジヘッドを含んでもよい。このような場合、カートリッジヘッドは、ブレードカートリッジ支持部材２４の１つの長手方向エッジに近く、ヨークアーム３０間に固定された軸上で旋回することができる。片面カートリッジＩＳＰは、限定するものではないが、磁気配置構成、例えば反発磁石の対であって、そのうちの１つがカートリッジヘッドの裏側にあり、他方がヨークアームにわたるウェブの主要なエッジ上にある磁気配置構成を含む、本明細書で説明されたいくつかの方法の１つで決められ得る。
【０２６７】
[00382]  図１２５〜図１３６を参照すると、回転ブレードカートリッジ２２をブレードカートリッジ支持部材２４（例えば、ヨーク４７）内で位置付け及び制御するために磁石を含む剃刀１０の様々な実施形態が概略的に示される。ブレードカートリッジ２２は、ヨーク４７のアーム３０の端部に配置されてもよく、アーム３０に対して固定された旋回軸ＰＡを中心として回転し、ユーザにより選択される１８０度離れた安定的均衡（初期始動位置、すなわちＩＳＰとも呼ばれる）の２つの向きを含み得る。これらの向きのいずれかにあるとき、ブレードカートリッジ２２は、例えばシェービングストローク中に小さい（＜９０度）角度の付いた変位を受けた場合、そのＩＳＰに復帰するように付勢されてもよく、これを達成するために必要とされるトルクは、従来のカートリッジ付勢機構の代わりに磁石及び／又は鉄要素の組合せにより作られる。ブレードカートリッジ支持部材２４内でのブレードカートリッジ２２の回転の制限及び制御は、限定するものではないが、機械的手段、例えば物理的アクスル特徴部及びＲＤＰ（弾性的に変形可能なつめ）又は磁気配置構成、例えば交互の吸引／反発磁石、多極又はプログラム可能な磁石などを含む、本明細書で説明された任意の数の方法で達成され得る。
【０２６８】
[00383]  ここで図１２５〜図１２６を参照すると、上記のものと合致する抵抗旋回機構を有する剃刀１０の一実施形態が概略的に示されている。図示のとおり、１つ又は複数の固定されたアーム磁石１２７０２（例えば、限定するものではないが、ディスク磁石）がブレードカートリッジ支持部材２４の２つのアーム３０の１つ又は複数内に位置している。アーム磁石１２７０２は、旋回軸ＰＡに対して軸外に位置してもよく、その向きは既知である。北と南との間で交互の、４つの四分円において直径方向磁化されたリング磁石１２７０４は、ブレードカートリッジ２２の側方エッジの１つ又は複数内に配置されかつそれに固定されてもよく、概して、固定されたアーム磁石１２７０２の方を向く。
【０２６９】
[00384]  アーム磁石１２７０２の軸外位置のため、アーム磁石１２７０２は、アーム磁石１２７０２に隣接するリング磁石１２７０４の四分円に依存して、トルクをブレードカートリッジ２２に伝達することができる。結果として、リング磁石１２７０４は、ブレードカートリッジ２２がその２つのＩＳＰの１つにある場合、その対応するアーム磁石１２７０２に隣接する各リング磁石１２７０４の四分円が、ディスク磁石１２７０４の隣接する面に対して反対の極性であるように方向付けられる。結果として、ブレードカートリッジ２２は、その旋回軸ＰＡを中心として小さい回転変位を受けると、その最も近い（及び最も直近の）ＩＳＰへ戻るよう付勢される。
【０２７０】
[00385]  ２つの可能なＩＳＰ間で切り替えるため、ユーザは、ブレードカートリッジ２２を、旋回軸ＰＡを中心としていずれかの方向に回転が９０度を超えるまで意図的に回転させ、この角度でリング磁石１２７０４及び固定されたアーム磁石１２７０２の同様の極が隣接し、従って互いに反発する不安定な均衡のポイントがある。この状態は図１２６に示されている。影響力のある摩擦源がない場合、これらの不安定な均衡点の１つでブレードカートリッジ２２の釣り合いを取ることは略不可能であり、そのため、ブレードカートリッジ２２は、当然のことながら、このポイントを過ぎるように回転し続け、次のＩＳＰで静止するようになり、次のＩＳＰは、先行するＩＳＰから１８０度離れた安定的均衡点である。十分な強度の磁石１２７０２、１２７０４を仮定すると、この同じ挙動は、ブレードカートリッジ２２の１つのみの側にあり、概略的に示されるとおりブレードカートリッジ２２及びアーム３０の側方端部の両方にあるのではなく、むしろ、ブレードカートリッジ支持部材２４の１つのアーム３０における磁石１２７０２、１２７０４で達成することが可能であり得ることに留意されたい。
【０２７１】
[00386]  ここで図１２７〜図１２８を参照すると、上記のものと合致する抵抗旋回機構を有する剃刀１０の別の実施形態が概略的に示されている。図示のとおり、１つ又は複数の固定されたアーム磁石１２９０２は、ブレードカートリッジ支持部材２４の２つのアーム３０の１つ又は複数内に位置し、かつ長楕円形、楕円、及び／又は長尺形状を有し得る。アーム磁石１２９０２は、磁石の厚さ（深さ）にわたって磁化されていてもよい。アーム磁石１２９０２は、旋回軸ＰＡに対して少なくとも部分的に軸外に位置してもよく、その向きは既知である。ブレードカートリッジ磁石１２９０４は、ブレードカートリッジ２２の側方エッジの１つ又は複数内に配置されかつそれに固定され得、固定されたアーム磁石１２９０２の方に略向いている。ブレードカートリッジ磁石１２９０４も長楕円形、楕円、及び／又は長尺形状を有し得るが、ブレードカートリッジ磁石１２９０４は、アーム磁石１２９０２の長さ１２９０８より長い長さ１２９０６を有してもよい。ブレードカートリッジ磁石１２９０４は、磁石の厚さ（深さ）にわたって磁化されていてもよい。
【０２７２】
[00387]  この実施形態では、磁石１２９０２、１２９０４は、常に、反対の極が互いの方を向いた状態で方向付けられており、そのため、磁石１２９０２、１２９０４の反発特性は用いられない。この構成は図１２７に示されている。ブレードカートリッジ２２における磁石１２９０４は、旋回軸ＰＡ上に中心に置かれてもよく、かつ磁石１２９０４の長さ１２９０６がブレードカートリッジ２２の幅１２９１０に平行であるように方向付けられ得る。ブレードカートリッジ支持部材２４／アーム３０における磁石１２９０４は、より短く、旋回軸ＰＡの後ろにそれを囲むように位置付けられる。ブレードカートリッジ２２を、２つのＩＳＰの１つを取るように誘導する駆動トルクは、磁石１２９０２、１２９０４の、嵌合表面が最大重複領域を有するように整列する傾向から派生する。角度の付いた変位がブレードカートリッジ２２に加えられると磁石形状の長い軸がもはや整列しないことにより、磁石１２９０２、１２９０４間の重複領域は減少する。（図１２８に示されるとおり）角度の付いた変位が小さい場合、ブレードカートリッジ２２は、解放されるとその最も近い（及び最も直近の）ＩＳＰへ戻る。上記実施形態と同様に、磁石１２９０２、１２９０４が互いに対して９０度に方向付けられると不安定な均衡の位置が存在する。従って、変位が９０度を超えると、ブレードカートリッジ２２は他のＩＳＰへ移り、他のＩＳＰは、先行するＩＳＰから１８０度離れた安定的均衡のポイントである。
【０２７３】
[00388]  ここで図１２９を参照すると、上記のものと合致する抵抗旋回機構を有する剃刀１０のなお別の実施形態が概略的に示されている。この実施形態は、図１２５〜図１２６及び／又は図１２７〜図１２８のいずれかのものと同様であるが、磁石は、それぞれブレードカートリッジ２２及び／又はアーム３０に一体的に成形された１つ又は複数の磁化された、ナノチューブ強化された熱可塑性物質ゾーン１３１０２、１３１０４と置き換えられ得る。図１２９に示される領域１３１０２、１３１０４は例示目的のみのものである。示された領域１３１０２、１３１０４は、最終製品では検出可能又は可視ではない場合もある。これらの領域１３１０２、１３１０４は、ヨークアーム３０の内面とブレードカートリッジ２２の側面との間の間隙にわたって反対の極が互いの方を向くようにプログラムされ得、従って反発は用いられず、ブレードカートリッジ２２の挙動は、ゾーン間の様々なレベルの吸引力により全体として駆動される。ＩＳＰは、磁化ゾーン１３１０２、１３１０４間の重複、従って吸引力が最大であるブレードカートリッジ２２位置により決められる。図１２７〜図１２８の実施形態の場合のように、ブレードカートリッジ２２に小さい回転変位（＜９０度）が与えられると、２つの磁化ゾーン１３１０２、１３１０４間の重複領域及び吸引力の減少は、ブレードカートリッジ２２をその最も近い（及び最も直近の）ＩＳＰへ復帰させることに役立つ。ブレードカートリッジ２２がＩＳＰから９０度回転されると、それは不安定な均衡の位置に遭遇し、他のＩＳＰへ移り、他のＩＳＰは、先行するＩＳＰから１８０度離れた安定的均衡のポイントである。
【０２７４】
[00389]  ここで図１３０を参照すると、上記のものと合致する抵抗旋回機構を有する剃刀１０の追加的な実施形態が概略的に示されている。この実施形態は、図１２７〜図１２８で説明された実施形態と同様であるが、ブレードカートリッジ２２及び／又はアーム３０における長楕円形磁石の１つ又は複数は鉄要素と置き換えられ得る。図示の実施形態では、ブレードカートリッジ２２におけるブレードカートリッジ磁石１２９０４は、鉄要素１３２０２と置き換えられているが、当然のことながら、アーム磁石１２９０２が鉄要素と置き換えられてもよく、ブレードカートリッジ磁石１２９０４は残ってもよい。
【０２７５】
[00390]  図１２７〜図１２８で説明された実施形態は反発を使用せず、図１３０におけるブレードカートリッジ２２の挙動は、ブレードカートリッジ２２がその旋回軸ＰＡを中心として回転する際の磁気要素１２９０２と鉄要素１３２０２との間の様々なレベルの吸引力により支配されるため、磁石１２９０２、１２９０４の一方のセットを鉄バー１３２０２と置き換えることが実施可能である。これは、図１２７〜図１２８で特徴付けられた対になった磁石１２９０２、１２９０４シナリオと同様の性能を提供する一方、費用及び製造可能性の点から利益を提供し得る。
【０２７６】
[00391]  上述のとおり、磁石（磁石１２９０２又は磁石１２９０４のいずれか）の組合せは、両方のアーム３０及びブレードカートリッジ２２の端部（図１３０に概略的に示されとおり）、又は図１３１に概略的に示されたとおりブレードカートリッジ２２の単一のアーム３０及び単一の端部に配置され得る。図１３２〜図１３３を参照すると、図１３０の構成は、磁石を含まないアーム３０を取り外すように修正され得る。この実施形態では、ブレードカートリッジ２２は、単一のヨークアーム３０により制約及び制御され、旋回軸ＰＡは、図１３１に概略的に示されたとおり２つの対称的ヨークアーム３０間の距離にわたるのではなく、むしろ、アーム３０端部から一端が飛び出す。ブレードカートリッジ２２のための旋回軸ＰＡは、図１３３に概略的に示されたとおり、ブレードカートリッジ２２がアクスル１３５０２から摺動して出ることができるように設計され得る。この場合、磁気要素（例えば、アーム３０における磁石及びブレードカートリッジ２２における鉄バー及び／又は磁石）は、ブレードカートリッジ２２をアーム３０に対して角度的に位置付けることに役立つのみならず、ブレードカートリッジ２２をアーム３０上に保持することにも役立つ。ブレードカートリッジ２２の交換は、使用済みのブレードカートリッジ２２上を、磁気抵抗を克服するように横方向に引き、ブレードカートリッジ２２を摺動させてアクスル１３５０２から外し、新たなブレードカートリッジ２２を摺動させて着けるという単純なものである。アーム磁石１２９０２と本体鉄要素１３２０２との間に磁気吸引力があるため、新たなブレードカートリッジ２２は、横方向にその適切な位置を選び、また２つのＩＳＰの１つを自動的に選ぶ。
【０２７７】
[00392]  図１２５〜図１３３の剃刀１０は、ハンドル６０から取り外し可能である、ユーザが取り替え可能な使い捨てブレードカートリッジ２２を有する状態で示される。これは、限定するものではないが、磁気構成（例えば、限定するものではないが、嵌め合い直径方向磁化（ＤＭ）ディスク及び／もしくはリング又は磁気戻り止め／スナップシステム）又は機械／磁気構成、例えば修正されたねじり／係止／放出システムを含む、本明細書で説明されたいくつかの方法の１つで達成され得る。加えて（又は代替的に）、ブレードカートリッジ２２のみ置き換えられることができ、ブレードカートリッジ支持部材２４はハンドル６０と永久に結合／一体化されたままであり得る。このような実施形態では、ブレードカートリッジ支持部材２４の一部又は全体は、ブレードカートリッジ２２が置き換えられているとき、ブレードカートリッジ２２とともに捨てられるのではなく、ハンドル６０とともに残るであろう。これらの変形形態は、剃刀システムの使い捨て部分における材料の使用及び部品数の低減という利点を提供する。
【０２７８】
[00393]  ここで図１３４〜図１３５を参照すると、図１３０の実施形態の変形形態が概略的に示されている。ブレードカートリッジ２２は、図１２７〜図１２８の実施形態では、ブレードカートリッジ支持部材２４に略永久に結合されている一方、図１３４〜図１３５の旋回アクスル１３６０２は、アーム３０ではなくブレードカートリッジ２２に固定され、ブレードカートリッジ２２及びアクスル１３６０２がアーム３０から除去されることを可能にするため、通路／溝／スロット１３６０４がアーム３０及び／又は磁石１３６０６に設けられる。一実施形態では、スロット１３６０４は、アーム３０の端部を通って延在し、望ましい回転軸で終端するブラインドスロットを含み得る。ブレードカートリッジ２２は、ヨーク磁石１３６０６が旋回軸ＰＡの後ろに存在し、ＩＳＰを決定することに加えてまた、ブレードカートリッジ２２を、アクスル１３６０２がブラインドスロット１３６０４の端部に至るまでアーム３０内に引き込む傾向があるという事実のため、アーム３０において磁気的に保持されてもよい。ブレードカートリッジ２２の交換は、図１３５に概略的に示されたとおり、使用済みのブレードカートリッジ２２を、磁気抵抗を克服するためにハンドル６０から離れる方向に引き、ブレードカートリッジ２２及びアクスル１３６０２を除去し、新たなブレードカートリッジ２２のアクスル１３６０２をスロット１３６０４内へ摺動させることを含んでもよい。当然のことながら、ブレードカートリッジ２２の鉄要素１３２０２は１つ又は複数の磁石と置き換えられてもよく、ヨーク磁石１３６０６は鉄要素と置き換えられてもよい。
【０２７９】
[00394]  ここで図１３６を参照すると、上記のものと合致する抵抗旋回機構を有する剃刀１０のさらなる実施形態が概略的に示されている。剃刀１０は、ブレードカートリッジ支持部材２４に永久に結合された第１の部分１３８０２とブレードカートリッジ２２に回転可能に（又は旋回可能に）結合された第２の部分１３８０４とを有する二部片アーム３０を含む。アーム３０の第１の部分１３８０２は、吸引磁力をもたらすことによりブレードカートリッジ２２をブレードカートリッジ支持部材２４に結合するためにその極が固定されたアーム磁石１２９０２と整列されたアーム磁石１３８０６を含む。
【０２８０】
[00395]  例えば、ほぞ及びほぞ穴式特徴部の対が、各ヨークアーム先端部（例えば、第２の部分１３８０４）をヨークフレーム（例えば、第１の部分１３８０２）に取り付けるために使用されてもよい。ヨークアーム先端１３８０４が、ブレードカートリッジ２２を位置付ける目的で存在している磁石１２９０２を既に有するため（例えば、図１３０の実施形態を参照されたい）、これらの磁石は、追加的な磁石又は鉄要素１３８０６がヨークフレーム１３８０２においてフレームと先端との間の接点に位置付けられる場合、ヨークアーム先端１３８０４を適所に保持するためにも使用され得る。この場合、ブレードカートリッジ２２の除去は、ヨークアーム先端１３８０４における磁石１２９０２とヨークフレーム１３８０２における磁石又は鉄要素１３８０６との間の吸引力を克服するために使用済みのブレードカートリッジ２２をハンドル６０から離れる方向に引くことと、ほぞ及びほぞ穴特徴部を離して摺動させることとを含む。新たなブレードカートリッジ２２は、両方のヨークアーム先端１３８０４のほぞ及びほぞ穴特徴部をヨークフレーム１３８０２におけるそれらの相当する特徴部と整列させることと、先端１３８０４及びフレーム１３８０２における要素間の磁気引力が取付けを完了させることを可能にすることとにより設置され得る。この実施形態は、両方のヨークアーム３０（２つのアーム３０が存在する場合）内の磁石を含んでもよく、なぜなら、それらがヨークアーム先端１３８０４をフレーム１３８０２に固定するために使用されるからのみならず、それらが、新たなブレードカートリッジ２２の設置中に各側で適切かつ同時にほぞ及びほぞ穴特徴部を嵌合させるのに必要とされ得る、ヨークアーム先端１３８０４をブレードカートリッジ２２に対して同じ向きに整列させることを支援するからでもある。
【０２８１】
[00396]  ここで図１３７を参照すると、使い捨てヘッド組立体２０（例えば、限定するものではないが、ブレードカートリッジ２２）に組み込まれたナノチューブシート、ストリップ又はスレッド１３９０２を含む剃刀１０の一実施形態が、概略的に示される。ナノチューブシート、ストリップ又はスレッド１３９０２は、シェービング中にユーザの皮膚を温めるために電流により通電され得る。ナノチューブシート、ストリップ又はスレッド１３９０２からの温かさは、ＩＲ放射バンドを介して伝えられる。例えば、遠赤外線放射線（ＦＩＲ）は、ヒトの皮膚における温度受容器が認識することができ、略即時に感じることができる純粋に熱の形態のエネルギーを伝える。ＦＩＲは、ユーザの身体により、皮膚の最大で１．５”下まで貫通し得る弱い放射熱として経験される。ＦＩＲは人体により吸収かつ放射され、そのためナノチューブが生じた熱は、自然で潜在的には癒す力があるように感じられて認識される。ナノチューブ繊維は、その効果からの健康上の恩恵を得るため、ＦＩＲを送達するために布地、包、及び衣服に問題なく浸透されている。重要なことは、ナノチューブシート、ストリップ又はスレッド１３９０２が剃刀１０のいずれかの部分を加熱するために使用されるのではなく、むしろ、ユーザの皮膚のみを加熱することである。従って、剃刀１０は接触すると「冷たく」（例えば、周囲温度）感じられることがある。
【０２８２】
[00397]  電源（例えば、バッテリ）は、例えば、図１３７に概略的に示されたとおり、ブレードカートリッジ２２の面上、その中、又はその近くに取り付けられたナノチューブシート、ストリップ又はスレッド１３９０２に電気的に接続され得る。加熱は、剃刀１０（例えば、ハンドル６０及び／又はヘッド組立体２０）に位置する電気スイッチの起動を通じて、ユーザにより制御され得る。バッテリ又は別の電源は、剃刀組立体（例えば、ハンドル６０）のいくつかのセクション内又はその外部に位置することができ、電流は、ワイヤ又は他の電気接続部を介して、ナノチューブシート、ストリップ又はスレッド１３９０２を通って流れ得る。ナノチューブシート、ストリップ又はスレッド１３９０２は、本明細書で説明された任意のヘッド組立体２０へ取り付けられ得る。
【０２８３】
[00398]  図１３７及び図１３８を参照すると、抵抗旋回機構及び結合機構の別の実施形態が概略的に示されている。特に、旋回アクスル１４００２（図１３８で最もよく見える）は、ブレードカートリッジ２２に固定された鉄材料を含み得る。Ｕ字型又は溝付き磁石１４００４は、ヨークアーム３０の先端に取り付けられ、磁石１４００４の形状は、ブレードカートリッジ２２（例えば、アクスル１４００２）が除去されることを可能にする開口を有する通路を規定する。図１３７は、ブレードカートリッジ支持部材２４に設置／結合されたブレードカートリッジ２２を概略的に示す。通路は、アーム３０の端部を通って磁石１４００４内へ延在し、望ましい回転軸の場所で終端するブラインドスロットとして示されている。鉄アクスル１４００２とＵ字型の磁石１４００４との間の緊密な接触を理由として、ブレードカートリッジ２２は、アーム３０において磁気的に保持され、旋回軸ＰＡは、ブラインドスロットの端部でアクスル先端部において正しく位置付けられる。ブレードカートリッジ２２の交換は、鉄アクスル１４００２を磁石１４００４へ拘束する磁力を克服するために使用済みのブレードカートリッジ２２をハンドル６０から離れる方向へ引くこと、ブレードカートリッジ２２及びアクスル１４００２を除去すること、新たなブレードカートリッジ２２のアクスル１４００２をスロット内へ摺動させることを含む。鉄アクスル１４００２と溝付き磁石１４００４との間の磁気吸引力により組立プロセスが完了する。任意選択的に、前述の組立及びＩＳＰ機構は、溝付きのプログラムされた磁石レセプタクル（旋回ピンを受けるためのスロットを有する磁石）内に位置するプログラムされた磁気アクスル（特に先端部）の使用に置き換えることができる。ブレードカートリッジ２２及びブレードカートリッジ支持部材２４は、磁気付勢システム（例えば、図１４５〜図１４７に示された磁気付勢システム１４７０２を参照されたい）を有する状態で示されているが、これはそのように主張されない限り本開示の限界ではなく、剃刀１０は、本明細書で説明された任意の抵抗旋回機構を含み得る。
【０２８４】
[00399]  ここで図１３９〜図１４０を参照すると、複数の磁石を使用してブレードカートリッジ２２をブレードカートリッジ支持部材２４に旋回可能に結合する一実施形態が概略的に示されている。本明細書で説明されるとおり、ブレードカートリッジ２２とブレードカートリッジ支持部材２４との間の接続は、レードカートリッジ２２がブレードカートリッジ支持部材２４に対して空中静止しているかのように見えることがある。
【０２８５】
[00400]  特に、ブレードカートリッジ２２は、ヨークアーム３０に対して固定された旋回軸ＰＡを中心として回転可能であるが、例えばシェービングストローク中に小さい（＜９０度）角度の付いた変位を受けるとその初期始動位置（ＩＳＰ）へ復帰する傾向を有する。加えて、この挙動は、ブレードカートリッジ２２が、その旋回軸ＰＡ中心に置かれたままであり、従来の機械的付勢機構がないと同時に、「空中静止する」（又は空中静止しているように見える）ように、従来のアクスル特徴部なしで達成されることが望ましい。
【０２８６】
[00401]  この効果をもたらすため、小さい軸方向磁化ディスク磁石１４２０６、１４２０８の対が互いに対向するように取り付けられ、磁石１４２０６がブレードカートリッジ２２の側方端部に固定され、磁石１４２０８がヨークアーム３０に固定される。これらの磁石１４２０６、１４２０８はそれらが互いに反発するように方向付けられ、これらは、ブレードカートリッジ２２の反対側に同一の磁石対がない場合、ブレードカートリッジ２２をヨークアーム３０から離して押す傾向があるが、反対側方端部に対１４２０６、１４２０８があるため、２つの反発力は互いに打ち消し合い、ブレードカートリッジ２２がヨークアーム３０間の中心に置かれるようになる。
【０２８７】
[00402]  追加的な力がない場合、ブレードカートリッジ２２は反発磁石に同軸のままではなくなるが、なぜなら、その位置は不安定な均衡の１つであるためであり、ブレードカートリッジ２２は、ブレードカートリッジ支持部材２４から半径方向に離れるように強いられる。しかし、小さい軸方向磁化ディスク１４２０６、１４２０８の対を囲んでいるのは、図１４０で最もよく見えるより大きい直径方向磁化リング１４２０２、１４２０４の対である。ディスク１４２０６、１４２０８の場合と同様に、一方のリング１４２０４はブレードカートリッジ２２に固定され、他方の１４２０２はヨークアーム３０に固定される。しかし、これらのリング１４２０２、１４２０４は、ブレードカートリッジ２２がそのＩＳＰにあるとき、リング１４２０２、１４２０４の反対の極が、それらが吸引するように互いに隣接するように方向付けられている。直径方向磁化リング１４２０２、１４２０４の（向かい合って重ねられた）この配置構成は、互いに同軸に位置付けられたままである傾向を有する。反発ディスク１４２０６、１４２０８の対により与えられた半径方向の力に抗し、かつブレードカートリッジ２２を旋回軸ＰＡ上でヨークアーム３０内に位置付けられたままに保つのは、この力である。さらに、反対の極が互いに隣接する状態で位置付けられた２つの積み重なった直径方向磁化リング１４２０２、１４２０４は、それらの共有軸を中心として互いに対して回転する量が限られている場合でも同心円状に位置したままであり、この状態では、磁石１４２０２、１４２０４は、解放されると、それらの反対の極が隣接するそれらの好ましい並置へと戻るように回転する傾向がある。上述のとおりの望ましい付勢挙動をもたらすのは、この特徴部である。従って、内部の軸方向磁化ディスク磁石１４２０６、１４２０８の役割は空中静止効果をもたらすことであり、外側の直径方向磁化リング磁石１４２０２、１４２０４の役割は、ブレードカートリッジ２２を旋回軸ＰＡ上に位置付けられたままに保ち、それが小さい回転変位を受けたときにそれをそのＩＳＰに復帰させることである。
【０２８８】
[00403]  この変形形態は、多極の又はプログラムされた磁気リングを直径方向磁化リング１４２０２、１４２０４の代わりに組み込むことである。これらの磁石は、直径方向磁化リング１４２０２、１４２０４のように、それらの反対の極が互いに隣接したように位置付けられ得るが、１つの磁石あたり３つ以上の極があり得る。これは、複数のＩＳＰ、すなわち安定的均衡の位置があることをもたらし得る。このシナリオの特別な場合、４極リングを用い、結果として１８０度離れた２つのＩＳＰがもたらされる。この実施形態は、２つの可能なＩＳＰの１つにユーザが自由に位置付けることができる両面カートリッジヘッド２２との使用に特に適している。
【０２８９】
[00404]  本明細書で説明された任意の実施形態によると、ブレードカートリッジ２２は、ブレードカートリッジ支持部材２４に加えて、置き換えられ得るが、ブレードカートリッジ２２のみが除去され得ること、及びブレードカートリッジ支持部材２４がハンドル６０に一体的であり得ることも可能である。
【０２９０】
[00405]  図１４１を参照すると、反発ディスク磁石１４２０６、１４２０８は、嵌合特徴部、例えば、限定するものではないが、旋回軸ＰＡに沿って位置して、一方の磁石にくぼみ１４３０２及び他方の磁石に隆起部１４３０４を任意選択的に含み得る。隆起部１４３０４は、ブレードカートリッジ２２は旋回軸ＰＡに対して少ない量の半径方向移動が可能とされ得るが、完全には除去され得ないという点で、追加的な制御要素を導入するためにくぼみ１４３０２内に少なくとも部分的に受けられるように構成され得る。このような例では、ブレードカートリッジ支持部材２４及びブレードカートリッジ２２は、永続的組立体としてできていてもよく、例えば上述のとおりのブレードカートリッジ支持部材２４とハンドル６０との間の取付け機構が使用されてもよい。
【０２９１】
[00406]  ここで図１４２〜図１４４を参照すると、「顔モード」又は「身体モード」のいずれかで選択的に配置され得る剃刀１０の別の実施形態が概略的に示されている。顔モードでは、ブレードカートリッジ２２は、上面図においてハンドル６０に垂直であり、非ゼロの皮膚表面の平面に対して理想的な始動角度を有することが予想される。身体モードでは、ブレードカートリッジ２２は、上面図においてハンドル６０に平行であり、また皮膚表面の平面に平行に最良に位置付けられることが予想される。本明細書で説明されるとおり、剃刀１０は、ハンドル６０に対するブレードカートリッジ２２の複数の位置（例えば、顔モード及び身体モード）を作り、かつブレードカートリッジ２２の位置が顔モード又は身体モードのいずれにあるかに基づいてカートリッジヘッドＩＳＰ（初期始動位置）を自動的に変化させるために複合曲率トラック１４４０２を含む。複合曲率トラック１４４０２は、従って、ハンドル６０に対するブレードカートリッジ２２の整列を再配置するだけでなく、ハンドル６０に対するブレードカートリッジ２２の再方向付けの一部としてＩＳＰを知らせることを自動的に行う。
【０２９２】
[00407]  ブレードカートリッジ２２の、旋回軸ＰＡを中心とした旋回は、本明細書で説明された任意の実施形態を使用して達成され得、任意の抵抗旋回機構又は本明細書で説明された任意の組合せを任意選択的に含み得る。追加的に、図示の実施形態では、ブレードカートリッジ２２の一方の側は、（従来の剃刀におけるように）同じ方向に角度が付けられた複数のブレードを含むことができ、他の側は、均等な数のブレードを含むことができ、（いずれの方向にもシェービングが可能であるように）ブレードの半分が一方向に角度が付いており、半分が他方に角度が付いている。これらの２つの側は、それぞれ「顔側」及び「身体側」と呼ばれる。
【０２９３】
[00408]  顔モードが図１４２においていくつかの図で示されており、身体モードが図１４３に示されている。２つのモード間の移行は、ブレードカートリッジ支持部材２４の外周に沿って複合曲線を横断するらせん状トラック１４４０４、１４４０６（例えば、上トラック１４４０４及び下トラック１４４０６）の対を含む複合曲率トラック１４４０２の使用を通じて達成され得る。これらのトラック１４４０４、１４４０６を係合させるのは、（剃刀ハンドル６０に取り付けられた）カラーにおける溝に位置する３つの案内ピン１４４０８ａ、１４４０８ｂ、１４４０８ｃである。２つのピン１４４０８ａ、１４４０８ｂが一方のトラック１４４０４に係合し、１つのピン１４４０８ｃが他方のトラック１４４０６に係合する。図１４２及び図１４３に示されるとおり、２つのピン１４４０８ａ、１４４０８ｂは頂部トラック１４４０４に係合し、単一のピン１４４０８ｃは底部トラック１４４０６に係合するが、これを逆にしても同じ結果を得ることができる。ブレードカートリッジ２２の位置を（例えば、顔モードから身体モードへ）変更することは、カラーにおける溝を通じてブレードカートリッジ支持部材２４を摺動させることのみを含む。ブレードカートリッジ支持部材２４を適所に完全に位置付けるには３つの接点で十分であるため、ブレードカートリッジ支持部材２４は、溝を通じて移動される際にその角度を変えるよう制限される。らせん状トラック１４４０４、１４４０６は、移動が完了し、ハンドル６０に対するブレードカートリッジ２２位置が垂直から平行に変えられると、ブレードカートリッジ２２も、角度が付いている状態から皮膚の平面に平行な状態へ変えられるように、ブレードカートリッジ支持部材２４をこの運転中に新たな方向に向くように強制する。このポイントでは、ブレードカートリッジ２２ｃは、ブレードカートリッジ支持部材２４内で顔側から身体側へ任意選択的に回転される。
【０２９４】
[00409]  任意選択の特徴部は、シェービングストローク中にブレードカートリッジ支持部材２４を選択された位置に保持することを促進する目的のため、レードカートリッジ支持部材２４の、カラー内での動きの範囲全体にわたって離間された複数の戻り止めを含んでもよい。図１４２、１４３に示されるとおり、２つの戻り止め１４４１０ａ、１４４１０ｂは、１つが動きのそれぞれの各極端部（例えば、それぞれ身体モード及び顔モードに対応する）に含まれる。これらの戻り止め１４４１０ａ、１４４１０ｂは、ばね仕掛けのプランジャ（示される）１４４２０又は嵌合磁石を含むいくつかの可能な方法の１つを使用して達成され得る。追加的な任意選択の特徴部は、らせん状トラック１４４０４、１４４０６を含む複合曲線特徴部１４４０２がわたる領域において、ブレードカートリッジ支持部材２４上に存在し得るカスタマイズ可能な、取り外し可能な／取り替え可能なドレスプレートを含み得る。このドレスプレートは、ユーザが適切なヨーク位置を選択することを支援することを意図された焼き印及び／又は印刷された説明書又は図像のために使用され得る。
【０２９５】
[00410]  設計の検討は、ブレードカートリッジ２２が身体モードにあるときの側面図における剃刀ハンドル６０とブレードカートリッジ２２との間に形成される角度である（例えば、図１４３を参照されたい）。この角度は、らせん状トラック１４４０２がブレードカートリッジ支持部材２４の外周を横切る際の、らせん状トラック１４４０２におけるねじりの度合いにより決められる（ねじりがゼロの場合、ブレードカートリッジ２２及びハンドル６０が側面図で完全に平行になる）。設計者／ユーザは特に届きにくい領域を剃る場合、この角度を選択して、剃刀１０を保持するために可能な方法の数を最大化することができる。任意選択的に、ブレードカートリッジ支持部材２４の一方のみではなく、むしろ両側にトラック１４４０２があってもよい。このような場合、ブレードカートリッジ支持部材２４の、カラー内での動きの範囲は２倍になり、中心位置は顔モードを表してもよく、トラック１４４０２の各端部に１つずつ、２つの身体モード位置があってもよい。２つの側にあるトラック１４４０２は互いに無関係であるため、２つの身体モード位置は互いの鏡像であり得る（すなわち、ブレードカートリッジ支持部材２４が移動された先のハンドル６０の側のみが異なる）か、又はそれらは異なるねじりの度合いを有し得る。このような場合、ユーザは、ブレードカートリッジ支持部材２４をいずれの側に摺動するかを選択することにより、側面図におけるハンドル６０とブレードカートリッジ２２との間の、ユーザが選んだ２つの結果としての角度を有し得る。
【０２９６】
[00411]  追加的に、剃刀１０は、ユーザのブレードカートリッジ支持部材２４の位置付けを介してユーザにより選択されたのがいずれのモードであるか（それぞれ顔モード又は身体モード）に依存して、顔側又は身体側を皮膚表面に提示するためにブレードカートリッジ２２を自動的に移動させてもよい。これは、カムもしくは歯車のシステムにおいて又はいくつかの他の構成を通じて達成され得る。このような設計の検討は、ブレードカートリッジ２２がブレードカートリッジ支持部材２４位置に対応して向きを選ぶために機械的システムにより制約されたかどうか、又はユーザがシステムを無効化し、かつブレードカートリッジ２２をいずれかの向きに置く選択肢を依然として有するかどうかである。
【０２９７】
[00412]  追加的な任意選択の特徴部が図１４４に示されている。この構成では、ハンドル６０又はカラーの端部は、ブレードカートリッジ支持部材２４の曲線に混入するように見える特徴部を含むように適合される。この特徴部を有する又は有しないいずれの構成でも、耐久性がある／使い捨ての境界部がブレードカートリッジ支持部材２４とカラーとの間、カラーとハンドルとの間、又はブレードカートリッジ２２とブレードカートリッジ支持部材２４との間の接合点にあり得る。ハンドルからヨーク／カートリッジヘッドへの使い捨て部分の取付け及び解放は、本明細書で説明された任意の構成を使用して達成され得る。
【０２９８】
[00413]  ここで図１４５〜図１４７を参照すると、ブレードカートリッジを初期始動位置（ＩＳＰ）へ付勢するための磁気付勢システム１４７０２の一実施形態が概略的に示されている。磁気付勢システム１４７０２は、１つ又は複数のブレードカートリッジ支持部材磁石１１４１２（明確にするために１つのみが示されている）及び１つ又は複数のブレードカートリッジ磁石１１４１０であって、それらの極が、ブレードカートリッジ２２を、旋回軸ＰＡを中心としてブレードカートリッジ支持部材２４から離して付勢する反発磁力を生じさせるように構成された１つ又は複数のブレードカートリッジ支持部材磁石１１４１２及び１つ又は複数のブレードカートリッジ磁石１１４１０を含み得る。図示の実施形態では、磁気付勢システム１４７０２はブレードカートリッジ２２を矢印１４７０４により概略的に示された方向に付勢するように構成されているが、当然のことながら、ブレードカートリッジ２２は、限定するものではないが、矢印１４７０４の略反対方向を含む任意の方向に回転されてもよい。
【０２９９】
[00414]  一実施形態によると、ブレードカートリッジ磁石１１４１０は、片面ブレードカートリッジ２２の裏側１１４０９（例えば、ブレードカートリッジ２２の、前側１４７１２に配置された剃刀ブレードの略反対の側）に位置してもよい。例えば、ブレードカートリッジ磁石１１４１０は、旋回軸ＰＡにかつ／又は上に（例えば、ハンドル６０から最も離れているブレードカートリッジ２２の上エッジ１４７１４のより近くに）位置し得る。反発磁石１１４１０、１１４１２により生じた反発磁力は、旋回軸ＰＡの上に位置するブレードカートリッジ磁石１１４１０に加えて、ブレードカートリッジ２２を付勢して、旋回軸ＰＡを中心として初期始動位置に向かって（ＩＳＰ）矢印１４７０４の方向に回転させる。
【０３００】
[00415]  ブレードカートリッジ支持部材２４及び／又はブレードカートリッジ２２は、ブレードカートリッジ２２の初期始動位置（ＩＳＰ）をブレードカートリッジ支持部材２４及びハンドル６０に対して設定する１つ又は複数のＩＳＰ突出部、肩、隆起部、及び／又は延在部９３２８を任意選択的に含み得る。認められ得るとおり、ＩＳＰは、力が加えられていないときの、ブレードカートリッジ支持部材２４及びハンドル６０に対するブレードカートリッジ２２の位置であり、外力が除去された後にブレードカートリッジ２２が戻って行く位置である。換言すると、シェービング中に外力がブレードカートリッジ２２に加えられると、外力は、ブレードカートリッジ２２が矢印１４７０４の略反対の方向に移動するように、ブレードカートリッジ支持部材磁石１１４１２とブレードカートリッジ磁石１１４１０との間の反発磁力を克服し得る。外力が除去されかつ／又は減少すると、磁石１１４１０、１１４１２間の反発磁力は、ブレードカートリッジ２２をＩＳＰに向かって戻るように付勢する。このようにして、ＩＳＰ突出部９３２８はブレードカートリッジ支持部材２４に対してブレードカートリッジ２２の初期始動位置を設定し、ブレードカートリッジ２２の、矢印１４７０４の方向への回転を制限し、かつまたシェービングストローク中のカートリッジの回転し過ぎを制限する／防ぐ。
【０３０１】
[00416]  図示の実施形態では、ＩＳＰ突出部９３２８は、旋回軸ＰＡの下に（例えば、ヨーク４７に近接して）ヨークアーム３０の１つ又は複数の内部に位置するが、述べたとおり、これは具体的にそのように主張されない限り本開示の限界ではない。このようにして、ＩＳＰ突出部９３２８はブレードカートリッジ２２の０位置を設定又は定義する。ブレードカートリッジ２２は、所定の回転範囲内で旋回軸ＰＡを中心として回転することができる。例えば、所定の回転範囲は、最大で１１０度、例えば９０度未満又は４５度未満であり得る。ブレードカートリッジ２２の、矢印１４７０４の略反対の方向への回転は、ＩＳＰ突出部９３２８及び／又は別の突出部、肩部、隆起部、及び／又は延在部によっても制限され得る。この実施形態は、周囲の幾何学的制約に対する適切な調整を条件として、ばねに対するより大きい範囲の角度の付いた変位  −  ９０度を超える  −  にわたる復帰力を生じさせるという利点を提供する。
【０３０２】
[00417]  反発磁石１１４１０、１１４１２はブレードカートリッジ支持部材２４及びブレードカートリッジ２２の中心に位置するものとして図示されているが、反発磁石１１４１０、１１４１２は、ブレードカートリッジ支持部材２４及び／又はブレードカートリッジ２２に沿った任意の場所に位置し得る。さらに、反発磁石１１４１０、１１４１２は目に見えるものとして図示されているが、これは例示目的のみのものであり、反発磁石１１４１０、１１４１２の１つ又は複数は、ブレードカートリッジ支持部材２４及び／又はブレードカートリッジ２２に埋め込まれてもよい。任意選択的に、ブレードカートリッジ支持部材磁石１１４１２は、ブレードカートリッジ支持部材２４の一部からブレードカートリッジ２２に略向かって外向きに延在し得る１つ又は複数の突出部（例えば、「タレット」）１１４１６に位置してもよい。タレット１１４１６は、ブレードカートリッジ支持部材磁石１１４１２がブレードカートリッジ磁石１１４１０のより近くに位置し、それにより、ブレードカートリッジ２２をＩＳＰに向かって付勢する反発磁力を増加させることを可能にしてもよい。追加的に、タレット１１４１６は、ブレードカートリッジ支持部材磁石１１４１２を含むブレードカートリッジ支持部材２４の一部のみがブレードカートリッジ２２と接近することを可能にし、一方で、ブレードカートリッジ支持部材２４の他の一部がブレードカートリッジ２２からさらに離れることを可能にすることにより、ブレードカートリッジ２２とブレードカートリッジ支持部材２４との間の間隙全体を増加させてもよく、それにより、使用中にブレードカートリッジ２２が旋回軸ＰＡを中心として（例えば、シェービングクリーム、破片／毛などのための空間を提供するために）より自由に旋回することを可能にする。
【０３０３】
[00418]  ブレードカートリッジ支持部材磁石１１４１２は必ずしも組立体における個別の磁石である必要はなく、むしろ、ブレードカートリッジ支持部材２４をハンドル６０に結合するための本明細書で説明された磁石の１つ又は複数がブレードカートリッジ２２における磁石１１４１０との反発磁力を生じさせるために用いられ得ることに留意されたい。追加的に、ブレードカートリッジ２２の剃刀ブレードの１つ又は複数は、ブレードカートリッジ磁石１１４１０を形成するために磁化され得ることが可能である。
【０３０４】
[00419]  磁気付勢システム１４７０２は片面ブレードカートリッジ２２との組合せで図示されているが、当然のことながら、これは具体的にそのように主張されない限り本開示の限界ではなく、磁気付勢システム１４７０２は、多面ブレードカートリッジ２２（例えば、両面ブレードカートリッジ２２）とともに使用されてもよい。例えば、ブレードカートリッジ２２は、多面ブレードカートリッジ２２の反対側に内部に配置された複数のブレードカートリッジ磁石１１４１０であって、それらの極が、ブレードカートリッジ２２が選択された面へ回転されると、選択された面と関連するブレードカートリッジ磁石１１４１０（例えば、ブレードカートリッジ支持部材磁石１１４１２に最も近いブレードカートリッジ磁石１１４１０）が、その極を、反発磁力を生じさせるようにブレードカートリッジ支持部材磁石１１４１２と整列させるように、反対の方向に整列された複数のブレードカートリッジ磁石１１４１０を含み得る。
【０３０５】
[00420]  磁気付勢システム１４７０２は、限定するものではないが、使い捨てヘッド組立体２０（例えば、ブレードカートリッジ支持部材２４及びブレードカートリッジ２２の両方がハンドル６０に取り外し可能に結合される実施形態、及び／又はブレードカートリッジ２２のみがハンドル６０の一部（一体的又は単一のコンポネント）のままである実施形態を含む）、及びハンドル６０の一体的又は単一のコンポーネントであるヘッド組立体（例えば、ブレードカートリッジがハンドル６０から除去され得ない使い捨て剃刀）を含む、本明細書で説明された任意のハンドル６０又はヘッド組立体２０とともに使用されてもよい。追加的に、磁気付勢システム１４７０２は片面ブレードカートリッジ２２との組合せで図示されているが、当然のことながら、これは具体的にそのように主張されない限り本開示の限界ではなく、磁気付勢システム１４７０２は、多面ブレードカートリッジ２２（例えば、両面ブレードカートリッジ２２）とともに使用されてもよい。
【０３０６】
[00421]  図示の実施形態では、ブレードカートリッジ支持部材２４はハンドル６０に、本明細書で説明された及び／又は当業者に既知の任意の機械的接続及び／又は閉鎖具（例えば、限定するものではないが、図１４７に概略的に示されたとおり、取り外し可能な閉鎖具／クリップ１４９０２）を使用して結合され得る。代替的に（又は加えて）、本明細書で説明された磁気接続部の任意のものが、ブレードカートリッジ支持部材２４をハンドル６０に結合するために使用されてもよい。
【０３０７】
[00422]  図１４８を参照すると、それぞれブレードカートリッジ支持部材２４及びブレードカートリッジ２２に配置され、吸引磁力をもたらすためにそれらの極が整列された１つ又は複数の磁石１５００２、１５００４を有する剃刀１０が概略的に示されている。特に、ブレードカートリッジ磁石１５００４は、ブレードカートリッジ２２の裏側１１４０９、旋回軸ＰＡの下（例えば、ブレードカートリッジ支持部材２４のより近く、上エッジ１４７１４の略反対側）に配置されてもよい。ブレードカートリッジ支持部材磁石１５００２は、吸引磁石が生成される限りブレードカートリッジ支持部材２４上のいずれの場所に配置されてもよい。吸引磁力は、図１４８に示されるとおり、ブレードカートリッジ２２を矢印１４７０４の略反対の方向にＩＳＰへ付勢し得る。ユーザがシェービング中にブレードカートリッジ２２に力を加えると、外力が吸引磁力を克服することができ、ブレードカートリッジ２２は略矢印１４７０４の方向に移動することができる。外力が除去されかつ／又は減少すると、吸引磁力はブレードカートリッジ２２を、矢印１４７０４の略反対の方向にＩＳＰへ戻るように付勢することができる。１つ又は複数のＩＳＰ突出部９３２８は、ブレードカートリッジ２２の、いずれかの方向の動きを制限するためにかつ／又はＩＳＰを設定／確立するため、ブレードカートリッジ支持部材２４を旋回軸ＰＡの上及び／又は下に位置付けることができる。当然のことながら、磁石１５００２、１５００４により生じた吸引磁力は、（同じ及び／又は反対の方向に）吸引磁力及び反発磁力の両方を生じさせるために磁石１１４１０、１１４１２の１つ又は複数と任意選択的に組み合わされ得る。
【０３０８】
[00423]  同様に当然のことながら、磁石１１４１０、１１４１２及び／又は１５００２、１５００４の任意の１つ又は複数は、本明細書で説明されるとおりナノ粒子磁石と置き換えられてもよい。ナノ粒子磁石は、１つ又は複数のブレードカートリッジ支持部材２４の一部及び／又はブレードカートリッジ２２に埋め込まれて（例えば、中に成形され）もよく、ブレードカートリッジ２２をＩＳＰに付勢するため、反発磁力及び／又は吸引磁力をもたらすために望ましい極を有するようにプログラムされ得る。代替的に又は加えて、ブレードカートリッジ支持部材２４及び／又はブレードカートリッジ２２のいずれかは、製造プロセス中にナノ粒子材料に浸出されてもよく、これは、次いでブレードカートリッジ２２をＩＰＳへ付勢するために反発磁力及び／又は吸引磁力をもたらすために望ましい極を有するようにプログラムされ得る。
【０３０９】
[00424]  様々な実施形態が、図１４５〜図１４７と略一致する磁気付勢システム１４７０２を有する状態で本明細書に示されているが、当然のことながら、これは例示目的のみのものであり、本明細書で説明された他の付勢システムが使用されてもよい。
【０３１０】
[00425]  当然のことながら、本明細書で説明された抵抗旋回機構の任意のもの又は任意の組合せ（例えば、限定するものではないが、磁気抵抗旋回機構）は、任意のヘッド組立体とともに使用されてもよく、従って多面ヘッド組立体に限定されない。例えば、本明細書で説明された抵抗旋回機構は、片面のみに剃刀ブレードを有し、かつ片面を中心としてのみ旋回するヘッド組立体とともに使用されてもよい。本明細書で説明された抵抗旋回機構は、剃刀ブレードを含む片面を中心として旋回するのみである片面カートリッジヘッド組立体の１つのみの面に配置された剃刀ブレードを有し得る、任意の従来のシェービングデバイスのヘッド組立体とともに使用されてもよい。さらに当然のことながら、本明細書で説明された抵抗旋回機構（例えば、限定するものではないが、磁気抵抗旋回機構）のいずれも、所定の回転度を特に従来の片面剃刀に比べて大幅に増加させ、それにより、より形状に沿ったシェービングをユーザに提供するという追加的な利益を提供し得る。
【０３１１】
[00426]  本明細書で説明された実施形態の任意の１つは、ハンドル６０の長手方向軸を中心として回転可能なヘッド組立体２０を含み得る。例えば、ユーザは、ヘッド組立体２０をハンドル６０の長手方向軸に実質的に垂直な平面において単に回転させることにより、新たな面を選択することができる。
【０３１２】
[00427]  本明細書で説明された実施形態の１つ又は複数と合致する剃刀は、多くの恩恵及び／又は利点を特徴とし得る。例えば、少なくとも１つの実施形態と合致する剃刀は、より環境にやさしい設計を特徴とすることができ、なぜなら、両面及び三面カートリッジシステムの特定のコンポーネントが、任意の２つ又は３つの標準的な片面カートリッジ及び個別に組み立てられたそれらの梱包、例えば、限定するものではないが、接続ハブ、支持アーム及びカートリッジハウジング並びに梱包よりも製造中に少ない材料を用い得るためである。
【０３１３】
[00428]  追加的に又は代替的に、４つ又は５つの標準的な片面カートリッジをここで保持する梱包は、本開示の少なくとも１つの実施形態と合致する均等な数の剃刀を収容することができるため、わずかな修正のみを必要とする。製造業者が、８〜１０個の標準的な単一のカートリッジに相当するものを、４つ又は５つのみの標準的な単一のカートリッジを以前に保持していた、わずかに修正された容器に入れて輸送することを本質的に可能にすることである。本開示の少なくとも１つの実施形態と合致すると、これは、カートリッジを輸送するために必要な容器の量が著しく減少し、概ね半分に削減されるため、より環境にやさしい設計を促進し得る。
【０３１４】
[00429]  別の実施形態によると、カートリッジヘッド組立体の中心に又はおよそ中心に位置する旋回ポイントを有するブレードカートリッジがユーザにとって有利である。例えば、この設計は、皮膚と「ブレードが接触する表面積」の量を可能にしかつ最大化する。特に、難しい起伏を有する外形に沿った領域、例えばヘッド、首、顎、（生殖器を含む）胴体領域の身体の生体構造及び脚部にわたる。本明細書で説明された旋回ポイントとは対照的に、カートリッジの底部に位置する旋回ポイントを有することはあまり有利でない場合があり、なぜなら、剃刀が剃られている領域にわたって引かれる際に付勢ロッドが「最も低い位置にある」とき、カートリッジの底部は、皮膚の表面から離れて自然に持ち上がるためである。これは、毛の見逃しを招き、かつユーザに追加的なシェービングストロークを行わせ、これは、「剃刀負け」として消費者に知られる一般的な状態の主要因である。これが起る理由は、付勢ロッドが最も低い位置になった後、ユーザが、下向きのシェービングストロークを行いながらハンドルを上向きに上げることによりカートリッジに引き続き回転を加えるからであり、逆も同様である。これが今度はカートリッジを回転させ続け、カートリッジを皮膚から離して持ち上げ、これは先に述べたとおり、毛の見逃しを招き、かつユーザに追加的なシェービングストロークを行うことを強いる。カートリッジヘッド組立体の中心に位置し、抵抗旋回機構と結合された旋回ポイントを有することは、剃刀カートリッジが皮膚の正確な外形に従うことを可能にするため、本明細書で説明されたブレードカートリッジの少なくとも１つの実施形態はこの問題に対処する。これは、ブレードが剃られている領域と接触する表面積を増加させ、結果として毛の見逃しが減少する。
【０３１５】
[00430]  なお別の実施形態によると、本明細書で説明されるとおり２面又は３面回転カートリッジを備えた剃刀には、消費者及び製造業者の両方にかなりの利点がある。環境に配慮しコスト意識の高い消費者及び製造業者に対して、この設計はこれらの重要な関心事の両方に対応する。ＥＰＡから最近発表された消費者レポートによると、米国のみで年間２０億個を超える使い捨て剃刀カートリッジが廃棄されていると記載されている。本明細書で説明されるとおり、本開示の１つ又は複数の実施形態は、製造業者への経済的利点及び上で言及された重要な環境問題の両方に対処するものであり、なぜなら、上で言及されたとおり、製造プロセス中、両面カートリッジシステムの特定のコンポーネントは、別個に組み立てられた２つの標準的な単一のカートリッジよりも少ない材料を用いることができるからである。例えば、アーム、接続ハブ及びカートリッジヘッド組立体は全て、製造中、別個に組み立てられた標準的な単一のカートリッジより少ない材料を使用し得る。従って、（カートリッジが梱包及び輸送される容器を含む）本明細書で説明された特定の実施形態を用いる２面又は３面剃刀カートリッジシステムは、製造中、２つの標準的な単一のカートリッジよりも少ない材料を使用することができ、それらのそれぞれの容器は、製造するのにより経済的であり得、かつその後、環境に対してはるかに優しくなり得ると仮定することは合理的である。これに対する１つの重要な理由は、製造及び梱包材料の減少は、配送のために必要とされるカートリッジ容器の量を減らすためである。これは、配達目的の輸送の必要性の頻度を低下させ、燃焼され大気中へ放出される燃料の量を削減し、大室効果ガス排出及び不必要な環境廃棄物を概して減少される。
【０３１６】
[00431]  認められ得るとおり、生体構造の様々な部分を剃ることが次第により一般的になってきており、これを円滑にするための多くのシェービングデバイスがある。認められ得るとおり、多くのシェービングデバイスは費用がかかりかつ煩雑である。本開示の少なくとも１つの実施形態は、ユーザがいずれのカートリッジを選択するかに依存して異なるブレード構成を有するブレードカートリッジを特徴とし、それにより、複数のシェービングタスクを行うために（複数のデバイスが以前に必要とされていた場合に）必要なデバイスが１つのみであるという注目すべき利点をユーザにもたらす。
【０３１７】
[00432]  例えば、「標準的な」両面カートリッジ構成は、各カートリッジ側が、６つのブレードが全て同じ切断方向を向いており、潤滑ストリップにより中心で分離された「３＆３」ブレード配置構成を有することを特徴とし得る。この構成は、従来のシェービング目的にとって特に有用である。
【０３１８】
[00433]  「身体」ブレード両面カートリッジ組合せ構成は、カートリッジの各側が６つのブレードが潤滑ストリップにより中心で分離される「３＆３」ブレード配置構成を有するが、各側は異なって構成されることを特徴とし得る。カートリッジの１つの側で、３つのブレードの２つのセットは中心において潤滑ストリップにより分離され得、対向する切断方向に配置される。消費者は、「往復する」シェービングストロークの動きを、新たなストロークを始めるために剃られている領域から剃刀を持ち上げる必要なしに使用することができるため、これは、自らの頭又は他の任意の身体の慎重に処理しなければならない領域を剃る消費者にとって特に有用なブレード配置構成である。代替的に、カートリッジの第２の側では、従来のシェービングのためにブレードの全てが同じ切断方向であってもよい。ユーザの生体構造の任意の部分を剃るために１つのみのデバイスが求められるとき、このカートリッジ構成はユーザに大きいフレキシビリティを与える。
【０３１９】
[00434]  潤滑は、より滑らかでより速く、より効率的で傷付けることのないシェービング体験をユーザに与えることに向けた終わりのない探求において必須の要素である。従って、本開示と合致する少なくとも１つの実施形態は、ブレードが皮膚に接触する前及びシェービングストロークが完了した後で配置される潤滑ストリップを特徴とし得る。対照的に、シェービングストロークの終わりに皮膚を滑らかにするためにカートリッジの上エッジに潤滑ストリップを置くことで十分であり得るが、この配置構成は、シェービングストロークの動き中に潤滑を提供しない。本開示と合致する少なくとも１つの実施形態は、潤滑ストリップをカートリッジの中心に置き、それによりブレード構成を分割し、かつシェービングストロークの最中に皮膚をさらに滑らかにすることにより、この重要な問題に対処する。結果として、より滑らかでより速く、より効率的なシェービングストロークが提供され得、結果として、ユーザにとって全面的なより良好なシェービング経験がもたらされる。
【０３２０】
[00435]  さらに、本開示と合致する少なくとも１つの実施形態は、緩衝機構を特徴とし得る。アーム内に位置する緩衝機構を（任意選択的に、この場合にも、それが接続ハブ組立体に取り付けられた各アームの端部に）有することは、この設計に、カートリッジの各端部を個別に緩衝するというかなりの利点を与え、それにより、ブレードカートリッジにより大きい移動範囲を与え、かつより綿密でより外形の付いたシェービング経験を促進する。
【０３２１】
[00436]  本開示の少なくとも１つの実施形態は、ヒンジで連結されたネックと取り外し可能なヘッド組立体とを備えた拡張可能な／入れ子式ハンドルを特徴とし得る。この配置構成は、ユーザがカートリッジをハンドルに対して直角に位置付けることを可能にし得、かつユーザがカートリッジヘッドの位置を、ハンドルの長手方向軸に略平行に整列されるように回転することを可能にし得る。このカートリッジ位置は、頭及び脚部など、届きにくい又は届くのが難しいユーザの身体領域を剃るときに特に有用である。
【０３２２】
[00437]  一態様によると、本開示は、ヘッド組立体を含むシェービングデバイスを特徴とし得る。ヘッド組立体は、ハンドルへ取り外し可能に結合されるように構成された支持部材と、第１及び第２の面を有するブレードカートリッジとを含んでもよく、第１又は第２の面の少なくとも１つは少なくとも１つの剃刀ブレードを含む。ブレードカートリッジは、ブレードカートリッジが、第１又は第２の面の１つを選択するためにユーザにより旋回可能であるように、旋回軸ＰＡを中心として支持部材に回転可能に結合されるように構成され得る。
【０３２３】
[00438]  別の態様によると、本開示は、ハンドルとヘッド組立体とを含むシェービングデバイスを特徴とし得る。ヘッド組立体は、支持部材とブレードカートリッジとを含み得る。支持部材は、ハンドルに取り外し可能に結合され得、かつ第１及び第２の旋回軸レセプタクルを含む第１及び第２の支持アームを含むように構成されてもよい。ブレードカートリッジは、第１及び第２の面を含んでもよく、少なくとも第１又は第２の面の１つは、ブレードカートリッジの長手方向軸に略平行に延在する少なくとも１つの剃刀ブレードを含む。ブレードカートリッジは、ブレードカートリッジの対向する側面からブレードカートリッジの旋回軸ＰＡに沿って外向きに延在する第１及び第２の旋回ピンをさらに含み得る。旋回軸ＰＡはブレードカートリッジの長手方向軸に略平行に延在してもよく、第１及び第２の旋回ピンは、それぞれ第１又は第２の面に対応する第１又は第２の初期始動位置を選択するためにブレードカートリッジが旋回軸ＰＡを中心として旋回され得るように、それぞれ第１及び第２の旋回軸レセプタクルに回転可能に結合されるように構成され得る。
【０３２４】
[00439]  シェービングデバイスは、それぞれブレードカートリッジの第１及び第２の面に対応する第１又は第２の面位置の１つを選択するために、抵抗旋回機構であって、ユーザがブレードカートリッジを、旋回軸ＰＡを中心として回転させることを可能にするように構成された抵抗旋回機構を任意選択的に含み得る。抵抗旋回機構は、選択された面位置にある間、ブレードカートリッジが所定の回転範囲内で回転することを可能にするように構成され得る。ブレードカートリッジが初期始動位置に対して旋回軸ＰＡを中心として回転し得る度数は、意図された用途に依存し得る。例えば、ブレードカートリッジは、初期始動位置に対して旋回軸ＰＡを中心としておよそ５度〜およそ９０度の範囲及びその中の任意の範囲内で回転し得る。別の実施形態によると、ブレードカートリッジは、初期始動位置に対して旋回軸ＰＡを中心としておよそ５度〜６０度の範囲内及びその中の任意の範囲で回転し得る。例えば、ブレードカートリッジは、初期始動位置に対して旋回軸ＰＡを中心としておよそ５度〜４５度の範囲内で回転し得る。なお別の実施形態によると、ブレードカートリッジは、初期始動位置に対して旋回軸ＰＡを中心としておよそ５度〜およそ２５度の範囲及びその中の任意の範囲内で回転し得る。なおさらなる実施形態によると、ブレードカートリッジは、初期始動位置に対して旋回軸ＰＡを中心としておよそ５度〜およそ１５度の範囲及びその中の任意の範囲内で回転し得る。
【０３２５】
[00440]  別の態様によると、本開示は、ブレードカートリッジの複数の面の１つを選択するために支持部材に結合されたブレードカートリッジを、旋回軸ＰＡを中心として回転させることであって、複数の面の少なくとも１つが少なくとも１つの剃刀ブレードを含むことを含む方法を特徴とし得る。
【０３２６】
[00441]  本開示の好ましい実施形態が説明されたが、本発明の趣旨及び添付の特許請求の範囲から逸脱することなく様々な変形形態、適応形態及び修正形態がその中でなされ得ることが理解されるべきである。従って、本開示の範囲は、上の説明を参照して決められてはならず、代わりに、添付の特許請求の範囲、さらにはそれらの全ての均等物を参照して決められなければならない。さらに、添付の特許請求の範囲は、本出願人が主張する資格のある本発明の最も幅広い範囲も、本発明が特許請求され得る唯一の方法も必ずしも含む必要はないこと、又は全ての挙げられた特徴部が必要であることが理解されるべきである。
【図１Ａ】
2018526076.tif 000003
【図１Ｂ】
2018526076.tif 000004
【図１Ｃ】
2018526076.tif 000005
【図２】
2018526076.tif 000006
【図３】
2018526076.tif 000007
【図４】
2018526076.tif 000008
【図５】
2018526076.tif 000009
【図６Ａ】
2018526076.tif 000010
【図６Ｂ】
2018526076.tif 000011
【図７】
2018526076.tif 000012
【図８】
2018526076.tif 000013
【図９】
2018526076.tif 000014
【図１０】
2018526076.tif 000015
【図１１】
2018526076.tif 000016
【図１２】
2018526076.tif 000017
【図１３】
2018526076.tif 000018
【図１４】
2018526076.tif 000019
【図１５】
2018526076.tif 000020
【図１６Ａ】
2018526076.tif 000021
【図１６Ｂ】
2018526076.tif 000022
【図１７Ａ】
2018526076.tif 000023
【図１７Ｂ】
2018526076.tif 000024
【図１８】
2018526076.tif 000025
【図１９】
2018526076.tif 000026
【図２０】
2018526076.tif 000027
【図２１】
2018526076.tif 000028
【図２２】
2018526076.tif 000029
【図２３】
2018526076.tif 000030
【図２４】
2018526076.tif 000031
【図２５】
2018526076.tif 000032
【図２６】
2018526076.tif 000033
【図２７】
2018526076.tif 000034
【図２８】
2018526076.tif 000035
【図２９】
2018526076.tif 000036
【図３０Ａ】
2018526076.tif 000037
【図３０Ｂ】
2018526076.tif 000038
【図３１】
2018526076.tif 000039
【図３２】
2018526076.tif 000040
【図３３】
2018526076.tif 000041
【図３４】
2018526076.tif 000042
【図３５Ａ】
2018526076.tif 000043
【図３５Ｂ】
2018526076.tif 000044
【図３５Ｃ】
2018526076.tif 000045
【図３５Ｄ】
2018526076.tif 000046
【図３５Ｅ】
2018526076.tif 000047
【図３５Ｆ】
2018526076.tif 000048
【図３５Ｇ】
2018526076.tif 000049
【図３５Ｈ】
2018526076.tif 000050
【図３６】
2018526076.tif 000051
【図３７】
2018526076.tif 000052
【図３８】
2018526076.tif 000053
【図３９】
2018526076.tif 000054
【図４０】
2018526076.tif 000055
【図４１】
2018526076.tif 000056
【図４２】
2018526076.tif 000057
【図４３】
2018526076.tif 000058
【図４４】
2018526076.tif 000059
【図４５】
2018526076.tif 000060
【図４６】
2018526076.tif 000061
【図４７】
2018526076.tif 000062
【図４８】
2018526076.tif 000063
【図４９】
2018526076.tif 000064
【図５０】
2018526076.tif 000065
【図５１】
2018526076.tif 000066
【図５２】
2018526076.tif 000067
【図５３】
2018526076.tif 000068
【図５４】
2018526076.tif 000069
【図５５】
2018526076.tif 000070
【図５６】
2018526076.tif 000071
【図５７】
2018526076.tif 000072
【図５８】
2018526076.tif 000073
【図５９Ａ】
2018526076.tif 000074
【図５９Ｂ】
2018526076.tif 000075
【図５９Ｃ】
2018526076.tif 000076
【図５９Ｄ】
2018526076.tif 000077
【図６０】
2018526076.tif 000078
【図６１】
2018526076.tif 000079
【図６２】
2018526076.tif 000080
【図６３】
2018526076.tif 000081
【図６４】
2018526076.tif 000082
【図６５】
2018526076.tif 000083
【図６６】
2018526076.tif 000084
【図６７】
2018526076.tif 000085
【図６８】
2018526076.tif 000086
【図６９】
2018526076.tif 000087
【図７０】
2018526076.tif 000088
【図７１】
2018526076.tif 000089
【図７２】
2018526076.tif 000090
【図７３】
2018526076.tif 000091
【図７４】
2018526076.tif 000092
【図７５】
2018526076.tif 000093
【図７６】
2018526076.tif 000094
【図７７】
2018526076.tif 000095
【図７８】
2018526076.tif 000096
【図７９】
2018526076.tif 000097
【図８０】
2018526076.tif 000098
【図８１Ａ】
2018526076.tif 000099
【図８１Ｂ】
2018526076.tif 000100
【図８２】
2018526076.tif 000101
【図８３】
2018526076.tif 000102
【図８４】
2018526076.tif 000103
【図８５】
2018526076.tif 000104
【図８６】
2018526076.tif 000105
【図８７】
2018526076.tif 000106
【図８８】
2018526076.tif 000107
【図８９】
2018526076.tif 000108
【図９０】
2018526076.tif 000109
【図９１】
2018526076.tif 000110
【図９２】
2018526076.tif 000111
【図９３】
2018526076.tif 000112
【図９４】
2018526076.tif 000113
【図９５】
2018526076.tif 000114
【図９６】
2018526076.tif 000115
【図９７】
2018526076.tif 000116
【図９８】
2018526076.tif 000117
【図９９】
2018526076.tif 000118
【図１００】
2018526076.tif 000119
【図１０１】
2018526076.tif 000120
【図１０２】
2018526076.tif 000121
【図１０３】
2018526076.tif 000122
【図１０４】
2018526076.tif 000123
【図１０５】
2018526076.tif 000124
【図１０６】
2018526076.tif 000125
【図１０７】
2018526076.tif 000126
【図１０８】
2018526076.tif 000127
【図１０９】
2018526076.tif 000128
【図１１０】
2018526076.tif 000129
【図１１１】
2018526076.tif 000130
【図１１２】
2018526076.tif 000131
【図１１３】
2018526076.tif 000132
【図１１４】
2018526076.tif 000133
【図１１５】
2018526076.tif 000134
【図１１６】
2018526076.tif 000135
【図１１７】
2018526076.tif 000136
【図１１８】
2018526076.tif 000137
【図１１９】
2018526076.tif 000138
【図１２０】
2018526076.tif 000139
【図１２１】
2018526076.tif 000140
【図１２２】
2018526076.tif 000141
【図１２３Ａ】
2018526076.tif 000142
【図１２３Ｂ】
2018526076.tif 000143
【図１２３Ｃ】
2018526076.tif 000144
【図１２３Ｄ】
2018526076.tif 000145
【図１２３Ｅ】
2018526076.tif 000146
【図１２４】
2018526076.tif 000147
【図１２５】
2018526076.tif 000148
【図１２６】
2018526076.tif 000149
【図１２７】
2018526076.tif 000150
【図１２８】
2018526076.tif 000151
【図１２９】
2018526076.tif 000152
【図１３０】
2018526076.tif 000153
【図１３１】
2018526076.tif 000154
【図１３２】
2018526076.tif 000155
【図１３３】
2018526076.tif 000156
【図１３４】
2018526076.tif 000157
【図１３５】
2018526076.tif 000158
【図１３６】
2018526076.tif 000159
【図１３７】
2018526076.tif 000160
【図１３８】
2018526076.tif 000161
【図１３９】
2018526076.tif 000162
【図１４０】
2018526076.tif 000163
【図１４１】
2018526076.tif 000164
【図１４２】
2018526076.tif 000165
【図１４３】
2018526076.tif 000166
【図１４４】
2018526076.tif 000167
【図１４５】
2018526076.tif 000168
【図１４６】
2018526076.tif 000169
【図１４７】
2018526076.tif 000170
【図１４８】
2018526076.tif 000171
【国際調査報告】
2018526076.tif 000172